(57)【要約】  本開示の送信装置は、複数のユーザ変調信号生成部を含む。ユーザ＃ｋ変調信号生成部（１０４＿ｋ）（ただし、ｋ＝１〜ｎ）は、複数の受信装置向けの位相雑音推定用のリファレンス信号（ＰＴ−ＲＳ：Reference Signal for Phase Tracking）を含む変調信号を生成する。無線部（１０９＿Ａ、１０９＿Ｂ）は、生成した変調信号を送信する。リファレンス信号に対する送信電力の補正係数と、リファレンス信号として使用される系列のパターンとが１対１で関連付けられている。
2018163657.tif 000002
【特許請求の範囲】
【請求項１】
複数の受信装置向けの位相雑音推定用のリファレンス信号を含む変調信号を生成し、前記リファレンス信号に対する送信電力の補正係数と、前記リファレンス信号として使用される系列のパターンとが１対１で関連付けられている、回路と、
前記変調信号を送信する送信機と、
を具備する送信装置。
【請求項２】
前記回路は、前記受信装置の各々に割り当てられるリソースの最も高い周波数及び最も低い周波数に前記リファレンス信号を配置する、
請求項１に記載の送信装置。
【請求項３】
前記回路は、前記リファレンス信号を、前記受信装置に割り当てられていないリソースに配置する、
請求項１に記載の送信装置。
【請求項４】
前記リファレンス信号の前記補正係数と、前記変調信号に含まれるデータに対する送信電力の補正係数とは、互いに異なる、
請求項１に記載の送信装置。
【請求項５】
前記回路は、前記受信装置向けの信号に設定される変調多値数が閾値以上の場合に当該受信装置に割り当てられるリソースに前記リファレンス信号を配置し、前記変調多値数が前記閾値未満の場合に前記リソースに前記リファレンス信号を配置しない、
請求項１に記載の送信装置。
【請求項６】
複数の受信装置向けの位相雑音推定用のリファレンス信号を含む変調信号を受信し、前記リファレンス信号に対する送信電力の補正係数と、前記リファレンス信号として使用される系列のパターンとが１対１で関連付けられている、受信機と、
前記変調信号に含まれる前記複数の受信装置向けの前記リファレンス信号を用いて位相雑音を推定する回路と、
を具備する受信装置。
【請求項７】
複数の受信装置向けの位相雑音推定用のリファレンス信号を含む変調信号を生成し、前記リファレンス信号に対する送信電力の補正係数と、前記リファレンス信号として使用される系列のパターンとが１対１で関連付けられ、
前記変調信号を送信する、
送信方法。
【請求項８】
複数の受信装置向けの位相雑音推定用のリファレンス信号を含む変調信号を受信し、前記リファレンス信号に対する送信電力の補正係数と、前記リファレンス信号として使用される系列のパターンとが１対１で関連付けられ、
前記変調信号に含まれる前記複数の受信装置向けの前記リファレンス信号を用いて位相雑音を推定する、
受信方法。
【発明の詳細な説明】
【技術分野】
【０００１】
本開示は、送信装置、受信装置、送信方法及び受信方法に関する。
【背景技術】
【０００２】
無線通信システムにおいて、送信装置及び受信装置が備える発振器が生成する信号の精度の関係上、変調信号に対して位相雑音が発生する。例えば、非特許文献１では、位相雑音を推定するために、送信装置がパイロットシンボル（参照信号又はリファレンス信号と呼ぶこともある）を受信装置へ送信する。【０００３】
図１は、非特許文献１に開示された送信装置が送信する変調信号のフレーム構成例を示す。図１において、横軸は周波数（キャリア番号）であり、一例として、キャリア１からキャリア３６を示している。縦軸は時間であり、一例として、時刻＄１から時刻＄１１を示している。【０００４】
図１では、時刻＄１のキャリア１からキャリア３６には、チャネル推定シンボル０１が配置されている。また、時刻＄２から時刻＄１１において、キャリア４、キャリア１０、キャリア１６、キャリア２１、キャリア２８、キャリア３３には、パイロットシンボル０３が配置されている。また、時刻＄２から時刻＄１１において、キャリア４、キャリア１０、キャリア１６、キャリア２１、キャリア２８、キャリア３３以外のキャリアには、データシンボル０２が配置されている。【０００５】
送信装置は、図１に示すフレーム構成の変調信号を通信相手である受信装置に送信し、受信装置は、この変調信号を受信して、特に、パイロットシンボル０３を用いて位相雑音を推定する。
【先行技術文献】
【非特許文献】
【０００６】
【非特許文献１】IEEE P802.11n(D3.00) Draft STANDARD for Information Technology-Telecommunications and information exchange between systems-Local and metropolitan area networks-Specific requirements-Part11: Wireless LAN Medium Access Control (MAC) and Physical Layer (PHY) specifications, 2007.
【発明の概要】
【０００７】
しかしながら、上述した送信装置の通信相手である受信装置が複数あることは想定されておらず、複数の受信装置の各々が位相雑音を精度良く推定するためのリファレンス信号の送信方法については検討されていなかった。
【０００８】
本開示の一態様は、複数の通信相手が精度良く位相雑音を推定することができる送信装置、受信装置、送信方法及び受信方法の提供に資する。
【０００９】
本開示の一態様に係る送信装置は、複数の受信装置向けの位相雑音推定用のリファレンス信号を含む変調信号を生成し、前記リファレンス信号に対する送信電力の補正係数と、前記リファレンス信号として使用される系列のパターンとが１対１で関連付けられている、回路と、前記変調信号を送信する送信機と、を備える。
【００１０】
本開示の一態様に係る受信装置は、複数の受信装置向けの位相雑音推定用のリファレンス信号を含む変調信号を受信し、前記リファレンス信号に対する送信電力の補正係数と、前記リファレンス信号として使用される系列のパターンとが１対１で関連付けられている、受信機と、前記変調信号に含まれる前記複数の受信装置向けの前記リファレンス信号を用いて位相雑音を推定する回路と、を備える。
【００１１】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【００１２】
本開示の一態様によれば、複数の通信相手が精度良く位相雑音を推定することができる。
【図面の簡単な説明】
【００１３】
【図１】変調信号のフレーム構成の一例を示す図
【図２】実施の形態１に係る基地局と端末との通信状態の一例を示す図
【図３】実施の形態１に係る送信装置の構成例を示すブロック図
【図４】実施の形態１に係るユーザ＃ｋ変調信号生成部１０４＿ｋの内部構成例を示すブロック図
【図５Ａ】実施の形態１に係るストリーム＃Ｘ１のデータシンボル、ＤＭ−ＲＳシンボル、ＰＴ−ＲＳシンボルのフレーム構成の一例を示す図
【図５Ｂ】実施の形態１に係るストリーム＃Ｘ２のデータシンボル、ＤＭ−ＲＳシンボル、ＰＴ−ＲＳシンボルのフレーム構成の一例を示す図
【図６】実施の形態１に係る無線部１０９＿Ａ，１０９＿Ｂの内部構成例を示すブロック図
【図７】実施の形態１に係る変調信号１０８＿Ａのフレーム構成の一例を示す図
【図８】実施の形態１に係る変調信号１０８＿Ｂのフレーム構成の一例を示す図
【図９】実施の形態１に係る受信装置の構成例を示すブロック図
【図１０】ＢＰＳＫのＩ−Ｑ平面における信号点配置の一例を示す図
【図１１】ＱＰＳＫのＩ−Ｑ平面における信号点配置の一例を示す図
【図１２】１６ＱＡＭのＩ−Ｑ平面における信号点配置の一例を示す図
【図１３】６４ＱＡＭのＩ−Ｑ平面における信号点配置の一例を示す図
【図１４】実施の形態１に係る変調信号１０８＿Ａのフレーム構成の他の例を示す図
【図１５】実施の形態１に係る変調信号１０８＿Ｂのフレーム構成の他の例を示す図
【図１６】実施の形態１に係る変調信号１０８＿Ａのフレーム構成の他の例を示す図
【図１７】実施の形態１に係る変調信号１０８＿Ｂのフレーム構成の他の例を示す図
【図１８】実施の形態１に係る変調信号１０８＿Ａのフレーム構成の他の例を示す図
【図１９】実施の形態１に係る変調信号１０８＿Ｂのフレーム構成の他の例を示す図
【図２０】実施の形態１に係る変調信号１０８＿Ａのフレーム構成の他の例を示す図
【図２１】実施の形態１に係る変調信号１０８＿Ｂのフレーム構成の他の例を示す図
【図２２】実施の形態１に係る変調信号１０８＿Ａのフレーム構成の他の例を示す図
【図２３】実施の形態１に係る変調信号１０８＿Ｂのフレーム構成の他の例を示す図
【図２４】実施の形態１に係る変調信号１０８＿Ａのフレーム構成の他の例を示す図
【図２５】実施の形態１に係る変調信号１０８＿Ｂのフレーム構成の他の例を示す図
【図２６】実施の形態１に係る変調信号１０８＿Ａのフレーム構成の他の例を示す図
【図２７】実施の形態１に係る変調信号１０８＿Ｂのフレーム構成の他の例を示す図
【図２８】実施の形態２に係る送信装置の構成例を示すブロック図
【図２９】実施の形態２に係るストリームのフレーム構成の一例を示す図
【図３０】実施の形態２に係る変調信号のフレーム構成の一例を示す図
【図３１】実施の形態２に係るＤＭ−ＲＳシンボルのフレーム構成の一例を示す図
【図３２】実施の形態２に係るＤＭ−ＲＳ伝送領域のフレーム構成の一例を示す図
【図３３】実施の形態２に係るＤＦＴ−ｓ−ＯＦＤＭシンボルの構成例を示す図
【図３４】実施の形態２に係るＤＦＴ−ｓ−ＯＦＤＭ伝送領域の構成例を示す図
【図３５】実施の形態２に係るサイクリックプレフィックス付加後の信号構成の一例を示す図
【図３６】実施の形態２に係るサイクリックプレフィックス付加後の信号のフレーム構成の一例を示す図
【図３７】実施の形態２に係る拡張サイクリックプレフィックス付加後の信号のフレーム構成の一例を示す図
【図３８】実施の形態２に係るサイクリックプレフィックス付加後の信号のフレーム構成の一例を示す図
【図３９】実施の形態２に係るＤＦＴ−ｓ−ＯＦＤＭシンボル構成の他の例を示す図
【図４０】実施の形態２に係るＤＦＴ−ｓ−ＯＦＤＭ伝送領域構成の他の例を示す図
【発明を実施するための形態】
【００１４】
以下、本開示の実施の形態について、図面を参照して詳細に説明する。なお、以下に説明する各実施形態は一例であり、本開示はこれらの実施形態により限定されるものではない。
【００１５】
なお、以下では、位相雑音を推定するためのリファレンス信号を「ＰＴ−ＲＳ（Reference Signal for Phase Tracking）」と記載し、データを復調するためのリファレンス信号を「ＤＭ−ＲＳ（Demodulation Reference Signal）」と記載する。
【００１６】
（実施の形態１）
本実施の形態の送信方法、送信装置、受信方法、受信装置について、詳しく説明する。
【００１７】
［通信状態の一例］
図２は、本実施の形態に係る基地局（送信装置）と端末（受信装置）との通信状態の一例を示す。図２に示す基地局４０１は、例えば、後述する送信装置の構成（図３）を具備している。また、図２に示す端末４０２＿１、４０２＿２、４０２＿３は、例えば、後述する受信装置の構成（図９）を具備している。
【００１８】
例えば、基地局４０１は、端末４０２＿１、４０２＿２、４０２＿３に対して、変調信号を送信している。端末４０２＿１、４０２＿２、４０２＿３は、基地局４０１から送信される変調信号に含まれるＰＴ−ＲＳを用いて位相雑音を推定する。
【００１９】
［送信装置の構成］
図３は、本実施の形態に係る送信装置の構成例を示すブロック図である。図３に示す送信装置は、例えば、図２に示す基地局４０１、又はアクセスポイント等である。
【００２０】
図３において、ユーザ＃ｋ変調信号生成部１０４−ｋ（例えば、ｋは１以上ｎ以下の整数）は、データ１０１＿ｋ、ＤＭ−ＲＳ１０２＿ｋ、ＰＴ−ＲＳ１０３＿ｋ、及び、制御信号１００を入力とする。ユーザ＃ｋ変調信号生成部１０４−ｋは、制御信号１００に含まれるフレーム構成、変調方式、誤り訂正符号化方法の情報等に基づいて、ユーザ＃ｋの変調信号１０５＿ｋ、及び、１０６＿ｋを生成し、出力する。
【００２１】
制御情報用マッピング部１１３は、制御情報１１２及び制御信号１００を入力とし、制御信号１００に含まれるフレーム構成の情報等に基づいて、制御情報１１２に対してマッピングを行い、制御情報信号１１４を出力する。
【００２２】
多重部（信号処理部）１０７＿Ａは、ユーザ＃１の変調信号１０５＿１、ユーザ＃２の変調信号１０５＿２、・・・、ユーザ＃ｎ−１の変調信号１０５＿ｎ−１、ユーザ＃ｎの変調信号１０５＿ｎ、制御信号１００、及び、制御情報信号１１４を入力とする。多重部１０７＿Ａは、制御信号１００に含まれるフレーム構成の情報等に基づいて、フレーム構成に従った変調信号１０８＿Ａを生成し、出力する。
【００２３】
同様に、多重部（信号処理部）１０７＿Ｂは、ユーザ＃１の変調信号１０６＿１、ユーザ＃２の変調信号１０６＿２、・・・、ユーザ＃ｎ−１の変調信号１０６＿ｎ−１、ユーザ＃ｎの変調信号１０６＿ｎ、制御信号１００、及び、制御情報信号１１４を入力とする。多重部１０７＿Ｂは、制御信号１００に含まれるフレーム構成の情報等に基づいて、フレーム構成に従った変調信号１０８＿Ｂを生成し、出力する。
【００２４】
無線部１０９＿Ａは、フレーム構成に従った変調信号１０８＿Ａ及び制御信号１００を入力とする。無線部１０９＿Ａは、制御信号１００に従って、変調信号１０８＿Ａに対する無線関連の処理を行い、送信信号１１０＿Ａを生成する。送信信号１１０＿Ａは、アンテナ部＃Ａ（１１１＿Ａ）から電波として出力される。
【００２５】
同様に、無線部１０９＿Ｂは、フレーム構成に従った変調信号１０８＿Ｂ及び制御信号１００を入力とする。無線部１０９＿Ｂは、制御信号１００に従って、変調信号１０８＿Ｂに対する無線関連の処理を行い、送信信号１１０＿Ｂを生成する。送信信号１１０＿Ｂは、アンテナ部＃Ｂ（１１１＿Ｂ）から電波として出力される。
【００２６】
アンテナ部＃Ａ（１１１＿Ａ）は、制御信号１００を入力としている。アンテナ部＃Ａ（１１１＿Ａ）は、制御信号１００に従って送信指向性制御を行ってもよい。また、アンテナ部＃Ａ（１１１＿Ａ）の入力として制御信号１００が無くてもよい。同様に、アンテナ部＃Ｂ（１１１＿Ｂ）は、制御信号１００を入力としている。アンテナ部＃Ｂ（１１１＿Ｂ）は、制御信号１００に従って送信指向性制御を行ってもよい。また、アンテナ部＃Ｂ（１１１＿Ｂ）の入力として制御信号１００が無くてもよい。
【００２７】
［ユーザ＃ｋ変調信号生成部１０４＿ｋの構成例］
図４は、図３に示すユーザ＃ｋ変調信号生成部１０４＿ｋの内部構成例を示すブロック図である。
【００２８】
図４において、誤り訂正符号化部２０３は、データ２０１（図３のデ―タ１０１＿ｋに相当する）、及び、制御信号２００（図３の制御信号１００に相当する）を入力とする。誤り訂正符号化部２０３は、制御信号２００に含まれる誤り訂正符号化方式に関する情報（例えば、誤り訂正符号の情報、符号化率、ブロック長など）等に基づいて、データ２０１に対して誤り訂正符号化を行い、誤り訂正符号化後のデータ２０４を出力する。
【００２９】
マッピング部２０５は、誤り訂正符号化後のデータ２０４、及び、制御信号２００を入力とする。マッピング部２０５は、制御信号２００に含まれる変調方式の情報等に基づいて、誤り訂正符号化後のデータ２０４に対してマッピングを行い、マッピング後のベースバンド信号２０６＿１、２０６＿２を出力する。なお、以下では、マッピング後のベースバンド信号２０６＿１を「ストリーム＃Ｘ１」と呼び、マッピング後のベースバンド信号２０６＿２を「ストリーム＃Ｘ２」と呼ぶ。
【００３０】
処理部２０７は、マッピング後のベースバンド信号２０６＿１、２０６＿２、ＤＭ−ＲＳ２０２（図３のＤＭ−ＲＳ１０２＿ｋに相当する）、ＰＴ−ＲＳ（図３のＰＴ−ＲＳ１０３＿ｋに相当する）及び制御信号２００を入力とする。処理部２０７は、制御信号２００に含まれるフレーム構成に関する情報、プリコーディングに関する情報、送信パワーの情報、ＣＤＤ（Cyclic Delay Diversity）（ＣＳＤ（Cyclic Shift Diversity））に関する情報等に基づいて、所定の処理（例えば、プリコーディング、送信パワー変更、ＣＤＤ（ＣＳＤ）等の処理）を行い、変調信号２０８＿Ａ（図３の変調信号１０５＿ｋに相当する）、及び、２０８＿Ｂ（図３の変調信号１０６＿ｋに相当する）を出力する。
【００３１】
以下では、変調信号２０８＿Ａを「ｕ１（ｉ）」と表し、変調信号２０８＿Ｂを「ｕ２（ｉ）」と表すこともある。なお、ｉはシンボル番号である。
【００３２】
また、処理部２０７は、プリコーディング処理の際、プリコーディング処理で使用するプリコーディング（行列）を複数シンボル単位で切り替えてもよく、プリコーディング処理で使用するプリコーディング（行列）をシンボル単位で切り替えるプリコーディングサイクリングの処理を行ってもよい。また、処理部２０７は、プリコーディングの処理を行わなくてもよい。
【００３３】
［変調信号のフレーム構成例］
図５Ａは、図４のマッピング部２０５によるマッピング後のベースバンド信号２０６＿１（つまり、ストリーム＃Ｘ１のデータシンボル）、ストリーム＃Ｘ１のデータシンボルに付加するストリーム＃Ｘ１のＤＭ−ＲＳシンボル、及び、ストリーム＃Ｘ１のＰＴ−ＲＳシンボルのフレーム構成の一例を示す。ただし、ユーザ＃ｋとする。
【００３４】
図５Ａにおいて、横軸は周波数（キャリア番号）であり、一例として、キャリアｋ＿１からキャリアｋ＿１２を示す。また、図５Ａにおいて、縦軸は時間であり、一例として、時刻＄１から時刻＄１１を示す。図５Ａにおいて、「２Ｂ０１」はストリーム＃Ｘ１のＤＭ−ＲＳシンボルであり、「２Ｂ０２」はストリーム＃Ｘ１のデータシンボルであり、「２Ｂ０３」はストリーム＃Ｘ１のＰＴ−ＲＳシンボルである。
【００３５】
図５Ｂは、図４のマッピング部２０５によるマッピング後のベースバンド信号２０６＿２（つまり、ストリーム＃Ｘ２のデータシンボル）、ストリーム＃Ｘ２のデータシンボルれに付加するストリーム＃Ｘ２のＤＭ−ＲＳシンボル、及び、ストリーム＃Ｘ２のＰＴ−ＲＳシンボルのフレーム構成の一例を示す。ただし、ユーザ＃ｋとする。
【００３６】
図５Ｂにおいて、横軸は周波数（キャリア番号）であり、一例として、キャリアｋ＿１からキャリアｋ＿１２を示す。また、図５Ｂにおいて、縦軸は時間であり、一例として、時刻＄１から時刻＄１１を示す。また、図５Ｂにおいて、「２Ｃ０１」はストリーム＃Ｘ２のＤＭ−ＲＳシンボルであり、「２Ｃ０２」はストリーム＃Ｘ２のデータシンボルであり、「２Ｃ０３」はストリーム＃Ｘ２のＰＴ−ＲＳシンボルである。
【００３７】
すなわち、図４に示すＤＭ−ＲＳ２０２には、ストリーム＃Ｘ１のＤＭ−ＲＳシンボル（２Ｂ０１）とストリーム＃Ｘ２のＤＭ−ＲＳシンボル（２Ｃ０１）とが含まれている。また、図４に示すＰＴ−ＲＳ２０３には、ストリーム＃Ｘ１のＰＴ−ＲＳシンボル（２Ｂ０３）とストリーム＃Ｘ２のＤＭ−ＲＳシンボル（２Ｃ０３）とが含まれている。
【００３８】
処理部２０７は、制御信号２００に含まれるフレーム構成の情報に基づいて、図５Ａに示すフレーム構成に基づいたストリーム＃Ｘ１の変調信号２０８＿Ａ、及び、図５Ｂに示すフレーム構成に基づいたストリーム＃Ｘ２の変調信号２０８＿Ｂを生成する。
【００３９】
図５Ａに示すように、フレームは、ストリーム＃Ｘ１のＤＭ−ＲＳシンボル２Ｂ０１、ストリーム＃Ｘ１のデータシンボル２Ｂ０２、ストリーム＃Ｘ１のＰＴ−ＲＳシンボルで構成されている。具体的には、図５Ａにおいて、時刻＄１にはストリーム＃Ｘ１のＤＭ−ＲＳシンボル２Ｂ０１が配置され、時刻＄２から時刻＄１１において、キャリアｋ＿４、キャリア＿ｋ１０にストリーム＃Ｘ１のＰＴ−ＲＳシンボル２Ｂ０３が配置され、時刻＄２から時刻＄１１において、キャリアｋ＿４、キャリア＿ｋ１０以外のキャリアにストリーム＃Ｘ１のデータシンボル２Ｂ０２が配置される。
【００４０】
同様に、図５Ｂに示すように、フレームは、ストリーム＃Ｘ２のＤＭ−ＲＳシンボル２Ｃ０１、ストリーム＃Ｘ２のデータシンボル２Ｃ０２、ストリーム＃Ｘ２のＰＴ−ＲＳシンボルで構成されている。具体的には、図５Ｂにおいて、時刻＄１にはストリーム＃Ｘ２のＤＭ−ＲＳシンボル２Ｃ０１が配置され、時刻＄２から時刻＄１１において、キャリアｋ＿４、キャリア＿ｋ１０にストリーム＃Ｘ２のＰＴ−ＲＳシンボル２Ｃ０３が配置され、時刻＄２から時刻＄１１において、キャリアｋ＿４、キャリア＿ｋ１０以外のキャリアにストリーム＃Ｘ２のデータシンボル２Ｃ０２が配置される。
【００４１】
図５Ａ及び図５Ｂの同一時刻、かつ、同一キャリアのシンボルは、複数のアンテナ部（１１１＿Ａ，１１１＿Ｂ）を用いて送信される。
【００４２】
［無線部１０９＿Ａ，１０９＿Ｂの構成例］
図６は、図３の無線部１０９＿Ａ、１０９＿Ｂの内部構成例を示すブロック図である。
【００４３】
図６において、シリアルパラレル変換部３０２は、フレーム構成に従った変調信号３０１（図３のフレーム構成に従った変調信号１０８＿Ａ又は変調信号１０８＿Ｂに相当する）、及び、制御信号３００（図３の制御信号１００に相当する）を入力とする。シリアルパラレル変換部３０２は、制御信号３００に基づいて、変調信号３０１のシリアルパラレル変換を行い、信号３０３を出力する。
【００４４】
逆フーリエ変換部３０４は、信号３０３及び制御信号３００を入力とする。逆フーリエ変換部３０４は、制御信号３００に基づいて、信号３０３に対して逆フーリエ変換を施し、逆フーリエ変換後の信号３０５を出力する。
【００４５】
処理部３０６は、逆フーリエ変換後の信号３０５及び制御信号３００を入力とする。処理部３０６は、制御信号３００に基づいて、逆フーリエ変換後の信号３０５に対して、信号処理（例えば、ＣＤＤ、ＣＳＤ又は位相変更等）を施し、処理後の信号３０７（図３の送信信号１１０＿Ａ又は送信信号１１０＿Ｂに相当する）を出力する。
【００４６】
なお、処理部３０６は、信号処理を行わなくてもよい。この場合、逆フーリエ変換後の信号３０５がそのまま処理後の信号３０７となる。また、無線部１０９＿Ａ，１０９＿Ｂは処理部３０６を備えなくてもよい。このとき、逆フーリエ変換後の信号３０５が、無線部１０９＿Ａ，１０９＿Ｂの出力（つまり、送信信号１１０＿Ａ又は送信信号１１０＿Ｂに相当する）となる。また、無線部１０９＿Ａ，１０９＿Ｂは、ＣＤＤ、ＣＳＤの処理を行わなくてもよい。
【００４７】
［変調信号１０８＿Ａ，１０８＿Ｂのフレーム構成例］
図７は、図２に示す基地局４０１（図３に示す送信装置）が送信する変調信号１０８＿Ａのフレーム構成の一例を示す。図７において、横軸は周波数（キャリア番号）であり、縦軸は時間である。図７の例では、キャリア１からキャリア３６を示し、時刻＃ａ、時刻＄１から時刻＄１１を示す。
【００４８】
図７に示すフレームは、制御情報伝送領域５００、ＤＭ−ＲＳ伝送領域５０１、データ伝送領域５０２、及び、ＰＴ−ＲＳ伝送領域５０３で構成されている。
【００４９】
ここで、図７において、時刻＄１から時刻＄１１のキャリア１からキャリア１２に存在する伝送領域は、図２に示す端末４０２＿１のための伝送領域（端末４０２＿１宛の伝送領域）である。以下、図７に示すように、端末４０２＿１のための伝送領域をユーザ＃１用の伝送領域と呼ぶ。
【００５０】
同様に、図７において、時刻＄１から時刻＄１１のキャリア１３からキャリア２４に存在する伝送領域は、図２に示す端末４０２＿２のための伝送領域（端末４０２＿２宛の伝送領域）である。以下、図７に示すように、端末４０２＿２のための伝送領域をユーザ＃２用の伝送領域と呼ぶ。
【００５１】
また、図７において、時刻＄１から時刻＄１１のキャリア２５からキャリア３６に存在する伝送領域は、図２に示す端末４０２＿３のための伝送領域（端末４０２＿３宛の伝送領域）である。以下、図７に示すように、端末４０２＿３のための伝送領域をユーザ＃３用の伝送領域と呼ぶ。
【００５２】
図７において、時刻＃ａに制御情報伝送領域５００が配置されている。制御情報伝送領域５００は、例えば、ユーザ＃１用の伝送領域、ユーザ＃２用の伝送領域、ユーザ＃３用の伝送領域のフレームにおける存在位置、各伝送領域の変調方式に関する情報、誤り訂正符号化方式に関する情報、プリコーディング行列に関する情報、送信方法に関する情報等を含んでいてもよい。なお、図７に示すフレーム構成では、時刻＃ａに制御情報伝送領域５００が配置される例を示しているが、制御情報伝送領域５００の存在位置は、これに限ったものではなく、いずれかのキャリアに存在する、いずれかの時刻に存在する、いずれかのキャリア・時刻の領域に存在するというような例を考えることができる。
【００５３】
図７に示すユーザ＃１用の伝送領域において、時刻＄１にはＤＭ−ＲＳ伝送領域５０１が配置され、時刻＄２から時刻＄１１において、キャリア４及びキャリア１０にＰＴ―ＲＳ伝送領域５０３が配置され、時刻＄２から時刻＄１１において、キャリア４及びキャリア１０以外のキャリアにデータ伝送領域５０２が配置される。
【００５４】
同様に、図７に示すユーザ＃２用の伝送領域において、時刻＄１にはＤＭ−ＲＳ伝送領域５０１が配置され、時刻＄２から時刻＄１１において、キャリア１６及びキャリア２１にＰＴ−ＲＳ伝送領域５０３が配置され、時刻＄２から時刻＄１１において、キャリア１６及びキャリア２１以外のキャリアにデータ伝送領域５０２が配置される。
【００５５】
また、図７に示すユーザ＃３用の伝送領域において、時刻＄１にはＤＭ−ＲＳ伝送領域５０１が配置され、時刻＄２から時刻＄１１において、キャリア２８及びキャリア３３にＰＴ−ＲＳ伝送領域５０３が配置され、時刻＄２から時刻＄１１において、キャリア２８及びキャリア３３以外のキャリアにデータ伝送領域５０２が配置される。
【００５６】
なお、図７に示すフレーム構成は一例であり、キャリア数及び時刻の構成は、図７の構成に限ったものではない。また、図７に示した伝送領域以外の伝送領域が存在していてもよく、また、各伝送領域のフレームに対する配置は、図７の構成に限ったものではない。
【００５７】
次に、変調信号１０８＿Ｂのフレーム構成例について説明する。
【００５８】
図８は、図２に示す基地局４０１（図３に示す送信装置）が送信する変調信号１０８＿Ｂのフレーム構成の一例を示す。図８において、横軸は周波数（キャリア番号）であり、縦軸は時間である。図８の例では、キャリア１からキャリア３６を示し、時刻＃ａ、時刻＄１から時刻＄１１を示す。
【００５９】
図８に示すフレームは、制御情報伝送領域６００、ＤＭ−ＲＳ伝送領域６０１、データ伝送領域６０２、及び、ＰＴ−ＲＳ伝送領域６０３で構成されている。
【００６０】
ここで、図８において、時刻＄１から時刻＄１１のキャリア１からキャリア１２に存在する伝送領域は、図２に示す端末４０２＿１のための伝送領域（端末４０２＿１宛の伝送領域）である。以下、図８に示すように、端末４０２＿１のための伝送領域をユーザ＃１用の伝送領域と呼ぶ。
【００６１】
同様に、図８において、時刻＄１から時刻＄１１のキャリア１３からキャリア２４に存在する伝送領域は、図２に示す端末４０２＿２のための伝送領域（端末４０２＿２宛の伝送領域）である。以下、図８に示すように、端末４０２＿２のための伝送領域をユーザ＃２用の伝送領域と呼ぶ。
【００６２】
また、図８において、時刻＄１から時刻＄１１のキャリア２５からキャリア３６に存在する伝送領域は、図２に示す端末４０２＿３のための伝送領域（端末４０２＿３宛の伝送領域）である。以下、図８に示すように、端末４０２＿３のための伝送領域をユーザ＃３用の伝送領域と呼ぶ。
【００６３】
図８において、時刻＃ａに制御情報伝送領域６００が配置されている。制御情報伝送領域６００は、例えば、ユーザ＃１用の伝送領域、ユーザ＃２用の伝送領域、ユーザ＃３用の伝送領域のフレームにおける存在位置、各伝送領域の変調方式に関する情報、誤り訂正符号化方式に関する情報、プリコーディング行列に関する情報、送信方法に関する情報等を含んでいてもよい。なお、図８に示すフレーム構成では、時刻＃ａに制御情報伝送領域６００が配置される例を示しているが、制御情報伝送領域６００の存在位置は、これに限ったものではなく、いずれかのキャリアに存在する。いずれかの時刻に存在する、いずれかのキャリア・時刻の領域に存在するというような例を考えることができる。
【００６４】
図８に示すユーザ＃１用の伝送領域において、時刻＄１にはＤＭ−ＲＳ伝送領域６０１が配置され、時刻＄２から時刻＄１１において、キャリア４及びキャリア１０にＰＴ―ＲＳ伝送領域６０３が配置され、時刻＄２から時刻＄１１において、キャリア４及びキャリア１０以外のキャリアにデータ伝送領域６０２が配置される。
【００６５】
同様に、図８に示すユーザ＃２用の伝送領域において、時刻＄１にはＤＭ−ＲＳ伝送領域６０１が配置され、時刻＄２から時刻＄１１において、キャリア１６及びキャリア２１にＰＴ−ＲＳ伝送領域６０３が配置され、時刻＄２から時刻＄１１において、キャリア１６及びキャリア２１以外のキャリアにデータ伝送領域６０２が配置される。
【００６６】
また、図８に示すユーザ＃３用の伝送領域において、時刻＄１にはＤＭ−ＲＳ伝送領域６０１が配置され、時刻＄２から時刻＄１１において、キャリア２８及びキャリア３３にＰＴ−ＲＳ伝送領域６０３が配置され、時刻＄２から時刻＄１１において、キャリア２８及びキャリア３３以外のキャリアにデータ伝送領域６０２が配置される。
【００６７】
なお、図８に示すフレーム構成は一例であり、キャリア数及び時刻の構成は、図８の構成に限ったものではない。また、図８に示した伝送領域以外の伝送領域が存在していてもよく、また、各伝送領域のフレームに対する配置は、図８の構成に限ったものではない。
【００６８】
また、図７及び図８のように、特定のキャリアにＰＴ−ＲＳ伝送領域５０３，６０３が配置される際、ＰＴ−ＲＳ伝送領域５０３，６０３が配置されるキャリア数は、各ユーザ用の伝送領域に対して、２キャリアに限ったものではなく、１キャリア以上にＰＴ−ＲＳ伝送領域５０３，６０３が配置されれば、同様に実施することができる。また、あるユーザ用の伝送領域に対してＰＴ−ＲＳ伝送領域５０３，６０３が配置されない場合があってもよい。さらに、ある時間のあるキャリア領域にＰＴ−ＲＳ伝送領域５０３、６０３が配置されるような構成であってもよい。
【００６９】
［シンボルと伝送領域との関係］
次に、図５Ａ及び図５Ｂで説明した「シンボル」と、図７及び図８で説明した「伝送領域」との関係について説明する。なお、以下では、ユーザ＃ｋについて説明する。
【００７０】
上述したように、図４に示す処理部２０７では、プリコーディング処理も行われる。以下、プリコーディング前の信号をｓ１（ｉ）、ｓ２（ｉ）と表す。ただし、ｉはシンボル番号とする。
【００７１】
すなわち、プリコーディング前の信号ｓ１（ｉ）は、ストリーム＃Ｘ１のデータシンボル（マッピング後のベースバンド信号２０６＿１）（２Ｂ０２）、ストリーム＃Ｘ１のＤＭ−ＲＳシンボル（２Ｂ０１）、及び、ストリーム＃Ｘ１のＰＴ−ＲＳシンボル（２Ｂ０３）を含んでいる。同様に、プリコーディング前の信号ｓ２（ｉ）は、ストリーム＃Ｘ２のデータシンボル（マッピング後のベースバンド信号２０６＿２）（２Ｃ０２）、ストリーム＃Ｘ２のＤＭ−ＲＳシンボル（２Ｃ０１）、及び、ストリーム＃Ｘ２のＰＴ−ＲＳシンボル（２Ｃ０３）を含んでいる。
【００７２】
＜データシンボルについて＞
プリコーディング前の信号ｓ１（ｉ）のうち、ストリーム＃Ｘ１のデータシンボル（２Ｂ０２）を「ｓＤ１（ｉ）」とし、プリコーディング前の信号ｓ２（ｉ）のうち、ストリーム＃Ｘ２のデータシンボル（２Ｃ０２）を「ｓＤ２（ｉ）」とする。
【００７３】
また、図４に示す処理部２０７の出力である変調信号２０８＿Ａのうち、図７に示すデータ伝送領域５０２の信号を「ｕＤ１（ｉ）」とし、図４に示す処理部２０７の出力である変調信号２０８＿Ｂのうち、図８に示すデータ伝送領域６０２の信号を「ｕＤ２（ｉ）」とする。
【００７４】
また、（ユーザ＃ｋの）プリコーディング行列をＦとし、（ユーザ＃ｋの）ＣＤＤに関する行列をＷとし、送信（電力）レベルの変更値（以下、「補正係数」）をα１、α２とする。
【００７５】
このとき、以下の式が成立する。ただし、α１、α２は、複素数又は実数で定理することができ、ユーザ毎に設定されてもよく、複数シンボル単位で設定されてもよく、シンボル単位で設定されてもよく、固定値であってもよい。なお、送信レベルの変更を行わない場合、α１＝α２＝１と表され、以下の式において送信レベル変更の演算が行われないことになる。
【００７６】
プリコーディングを行い、かつ、ＣＤＤを行わない場合：
【数１】
2018163657.tif 000003
または、
【数２】
2018163657.tif 000004
【００７７】
プリコーディングを行い、かつ、ＣＤＤを行う場合：
【数３】
2018163657.tif 000005
または、
【数４】
2018163657.tif 000006
【００７８】
プリコーディングを行わず、かつ、ＣＤＤを行わない場合：
【数５】
2018163657.tif 000007
【００７９】
プリコーディングを行わず、かつ、ＣＤＤを行う場合：
【数６】
2018163657.tif 000008
または、
【数７】
2018163657.tif 000009
【００８０】
＜ＤＭ−ＲＳシンボルについて＞
プリコーディング前の信号ｓ１（ｉ）のうち、ストリーム＃Ｘ１のＤＭ−ＲＳシンボル（２Ｂ０１）を「ｓＤＲ１（ｉ）」とし、プリコーディング前の信号ｓ２（ｉ）のうち、ストリーム＃Ｘ２のＤＭ−ＲＳシンボル（２Ｃ０１）を「ｓＤＲ２（ｉ）」とする。
【００８１】
また、図４に示す処理部２０７の出力である変調信号２０８＿Ａのうち、図７に示すＤＭ−ＲＳ伝送領域５０１の信号を「ｕＤＲ１（ｉ）」とし、図４に示す処理部２０７の出力である変調信号２０８＿Ｂのうち、図８に示すＤＭ−ＲＳ伝送領域６０１の信号を「ｕＤＲ２（ｉ）」とする。
【００８２】
このとき、以下の式が成立する。なお、送信（電力）レベルの変更を行わない場合、α１＝α２＝１と表され、以下の式において送信レベル変更の演算が行われないことになる。
【００８３】
プリコーディングを行い、かつ、ＣＤＤを行わない場合：
【数８】
2018163657.tif 000010
または、
【数９】
2018163657.tif 000011
【００８４】
プリコーディングを行い、かつ、ＣＤＤを行う場合：
【数１０】
2018163657.tif 000012
または、
【数１１】
2018163657.tif 000013
【００８５】
プリコーディングを行わず、かつ、ＣＤＤを行わない場合：
【数１２】
2018163657.tif 000014
【００８６】
プリコーディングを行わず、かつ、ＣＤＤを行う場合：
【数１３】
2018163657.tif 000015
または、
【数１４】
2018163657.tif 000016
【００８７】
＜ＰＴ−ＲＳシンボルについて＞
プリコーディング前の信号ｓ１（ｉ）のうち、ストリーム＃Ｘ１のＰＴ−ＲＳシンボル（２Ｂ０３）を「ｓＰＲ１（ｉ）」とし、プリコーディング前の信号ｓ２（ｉ）のうち、ストリーム＃２のＰＴ−ＲＳシンボル（２Ｃ０３）を「ｓＰＲ２（ｉ）」とする。
【００８８】
また、図４に示す処理部２０７の出力である変調信号２０８＿Ａのうち、図７に示すＰＴ−ＲＳ伝送領域５０３の信号を「ｕＰＲ１（ｉ）」とし、図４に示す処理部２０７の出力である変調信号２０８＿Ｂのうち、図８に示すＰＴ−ＲＳ伝送領域６０３の信号を「ｕＰＲ２（ｉ）」とする。
【００８９】
このとき、ＰＴ−ＲＳの送信（電力）レベルの変更値（補正係数）をβ１、β２とすると、以下の式が成立する。つまり、ＰＴ−ＲＳシンボルに対しては、データシンボル及びＤＭ−ＲＳシンボルに適用される送信レベルの補正係数α１、α２と異なる補正係数β１、β２が適用される。ただし、β１、β２は、複素数又は実数で定理することができ、ユーザ毎に設定されてもよく、複数シンボル単位で設定されてもよく、シンボル単位で設定されてもよく、固定値であってもよい。なお、送信レベルの変更を行わない場合、β１＝β２＝１と表され、以下の式において送信レベル変更の演算が行われないことになる。
【００９０】
プリコーディングを行い、かつ、ＣＤＤを行わない場合：
【数１５】
2018163657.tif 000017
または、
【数１６】
2018163657.tif 000018
【００９１】
プリコーディングを行い、かつ、ＣＤＤを行う場合：
【数１７】
2018163657.tif 000019
または、
【数１８】
2018163657.tif 000020
【００９２】
プリコーディングを行わず、かつ、ＣＤＤを行わない場合：
【数１９】
2018163657.tif 000021
【００９３】
プリコーディングを行わず、かつ、ＣＤＤを行う場合：
【数２０】
2018163657.tif 000022
または、
【数２１】
2018163657.tif 000023
【００９４】
なお、式（１）から式（２１）において、ＰＴ−ＲＳ伝送領域の信号を求めるために使用するプリコーディング行列と、データ伝送領域の信号及びＤＭ−ＲＳ伝送領域の信号を求めるために使用するプリコーディング行列とが同じ行列である場合について説明しているが、異なる行列を使用してもよい。
【００９５】
また、プリコーディング行列Ｆの例として、以下が考えられる。
【数２２】
2018163657.tif 000024
【００９６】
式（２２）において、ａ，ｂ，ｃ，ｄは複素数又は実数で定義することができる。また、ａ，ｂ，ｃ，ｄの条件としては、以下の条件＜１＞〜＜４＞の何れかを満たせばよい。
＜１＞ａ，ｂ，ｃ，ｄのすべてがゼロになることはない。
＜２＞ａ，ｂ，ｃ，ｄのうち、３つ以上がゼロになることはない。
＜３＞ａ，ｂ，ｃ，ｄのうち、２つ以上がゼロになることがない。
＜４＞ａ，ｂ，ｃ，ｄのうち、２つ以上がゼロになることがなく、かつ、ａ＝ｃ＝０を満たすことがなく、かつ、ｂ＝ｄ＝０を満たすことがない。
【００９７】
また、ＣＤＤに関する行列の例として、以下が考えられる。
【数２３】
2018163657.tif 000025
【００９８】
式（２３）において、ｐ，ｑ，ｒ，ｓは複素数又は実数で定義することができる。また、ｐ，ｑ，ｒ，ｓの条件としては、以下の条件＜５＞〜＜８＞の何れかを満たせばよい。
＜５＞ｐ＝ｅｊθ、かつ、ｑ＝０、かつ、ｒ＝０、かつ、ｓ＝ｅｊλ
ただし、ｐとｓはシンボル毎に設定される。
＜６＞ｐ＝ｇ×ｅｊθ、かつ、ｑ＝０、かつ、ｒ＝０、かつ、ｓ＝ｈ×ｅｊλ
ただし、ｐとｓはシンボル毎に設定され、かつ、ｇ、ｈは実数である。
＜７＞ｐ＝０、かつ、ｑ＝ｅｊθ、かつ、ｒ＝ｅｊλ、かつ、ｓ＝０
ただし、ｐとｓはシンボル毎に設定される。
＜８＞ｐ＝０、かつ、ｑ＝ｇ×ｅｊθ、かつ、ｒ＝ｈ×ｅｊλ、かつ、ｓ＝０
ただし、ｐとｓはシンボル毎に設定され、かつ、ｇ、ｈは実数である。
【００９９】
［受信装置の構成例］
図９は、本実施の形態に係る受信装置の構成例を示すブロック図である。図９に示す受信装置は、例えば、図２に示す基地局４０１（図３に示す送信装置）の通信相手である端末４０２＿１、４０２＿２、４０２＿３である。
【０１００】
なお、以下では、図３に示す送信装置において、アンテナ部＃Ａ（１１１＿Ａ）から送信される変調信号を「変調信号ｕ１」と呼び、アンテナ部＃Ｂ（１１１＿Ｂ）から送信される変調信号を「変調信号ｕ２」と呼ぶ。
【０１０１】
無線部７０３Ｘは、アンテナ部＃Ｘ（７０１Ｘ）で受信した受信信号７０２Ｘを入力とする。無線部７０３Ｘは、受信信号７０２Ｘに対して、周波数変換、フーリエ変換等の信号処理を施し、ベースバンド信号７０４Ｘを出力する。
【０１０２】
同様に、無線部７０３Ｙは、アンテナ部＃Ｙ（７０１Ｙ）で受信した受信信号７０２Ｙを入力とする。無線部７０３Ｙは、受信信号７０２Ｙに対して、周波数変換、フーリエ変換等の信号処理を施し、ベースバンド信号７０４Ｙを出力する。
【０１０３】
制御情報復調部７０９は、ベースバンド信号７０４Ｘ、７０４Ｙを入力とする。制御情報復調部７０９は、ベースバンド信号７０４Ｘ、７０４Ｙから制御情報シンボル（例えば、図７に示す制御情報伝送領域５００、図８に示す制御情報伝送領域６００）を抽出し、これらの制御情報シンボル（制御情報伝送領域）を復調し、制御情報７１０を出力する。
【０１０４】
アンテナ部＃Ｘ（７０１Ｘ）及びアンテナ部＃Ｙ（７０１Ｙ）は、制御情報７１０を入力としている。アンテナ部＃Ｘ（７０１Ｘ）及びアンテナ部＃Ｙ（７０１Ｙ）は、制御情報７１０に従って受信指向性制御を行ってもよい。また、アンテナ部＃Ｘ（７０１Ｘ）及びアンテナ部＃Ｙ（７０１Ｙ）の入力として制御情報７１０が無くてもよい。
【０１０５】
変調信号ｕ１のチャネル推定部７０５＿１は、ベースバンド信号７０４Ｘ及び制御情報７１０を入力とする。変調信号ｕ１のチャネル推定部７０５＿１は、図７に示すＤＭ−ＲＳ伝送領域５０１及び／又は図８に示すＤＭ−ＲＳ伝送領域６０１を用いて、変調信号ｕ１のチャネル推定を行い、変調信号ｕ１のチャネル推定信号７０６＿１を出力する。
【０１０６】
同様に、変調信号ｕ１のチャネル推定部７０７＿１は、ベースバンド信号７０４Ｙ及び制御情報７１０を入力とする。変調信号ｕ１のチャネル推定部７０７＿１は、図７に示すＤＭ−ＲＳ伝送領域５０１及び／又は図８に示すＤＭ−ＲＳ伝送領域６０１を用いて、変調信号ｕ１のチャネル推定を行い、変調信号ｕ１のチャネル推定信号７０８＿１を出力する。
【０１０７】
変調信号ｕ２のチャネル推定部７０５＿２は、ベースバンド信号７０４Ｘ及び制御情報７１０を入力とする。変調信号ｕ２のチャネル推定部７０５＿２は、図７に示すＤＭ−ＲＳ伝送領域５０１及び／又は図８に示すＤＭ−ＲＳ伝送領域６０１を用いて、変調信号ｕ２のチャネル推定を行い、変調信号ｕ２のチャネル推定信号７０６＿２を出力する。
【０１０８】
同様に、変調信号ｕ２のチャネル推定部７０７＿２は、ベースバンド信号７０４Ｙ及び制御情報７１０を入力とする。変調信号ｕ２のチャネル推定部７０７＿２は、図７に示すＤＭ−ＲＳ伝送領域５０１及び／又は図８に示すＤＭ−ＲＳ伝送領域６０１を用いて、変調信号ｕ２のチャネル推定を行い、変調信号ｕ２のチャネル推定信号７０８＿２を出力する。
【０１０９】
位相雑音推定部７１１は、ベースバンド信号７０４Ｘ及び制御情報７１０を入力とする。位相雑音推定部７１１は、ＰＴ−ＲＳ伝送領域５０３及び／又はＰＴ−ＲＳ伝送領域６０３を用いて位相雑音を推定し、位相雑音推定信号７１２を出力する。
【０１１０】
同様に、位相雑音推定部７１３は、ベースバンド信号７０４Ｙ及び制御情報７１０を入力とする。位相雑音推定部７１３は、ＰＴ−ＲＳ伝送領域５０３及び／又はＰＴ−ＲＳ伝送領域６０３を用いて位相雑音を推定し、位相雑音推定信号７１４を出力する。
【０１１１】
信号処理部７１５は、変調信号ｕ１のチャネル推定信号７０６＿１、７０８＿１、変調信号ｕ２のチャネル推定信号７０６＿２、７０８＿２、位相雑音推定信号７１２、７１４、ベースバンド信号７０４Ｘ、７０４Ｙ、制御情報７１０を入力とする。信号処理部７１５は、これらの信号を用いて、データシンボル（データ伝送領域５０２、６０２）の復調及び誤り訂正復号などの処理を行い、受信信号７１６を出力する。
【０１１２】
［位相雑音の推定方法］
次に、図９に示す受信装置における位相雑音の推定方法について説明する。
【０１１３】
一例として、図２に示す端末４０２＿２（ユーザ＃２）において位相雑音を高精度に推定する際の課題について説明する。
【０１１４】
図２に示す基地局４０１（図３に示す送信装置）が送信する変調信号のフレーム構成は、図７及び図８で説明した通りである。端末４０２＿２（図９に示す受信装置）が位相雑音を推定する方法として、以下の２つの方法１，２が考えられる。
【０１１５】
＜方法１＞
方法１では、端末４０２＿２は、図５Ａ及び図５Ｂにおける自機宛のＰＴ−ＴＳシンボル（２Ｂ０３、２Ｃ０３）、つまり、図７に示すキャリア１６及びキャリア２１のユーザ＃２用のＰＴ−ＲＳ伝送領域５０３、及び、図８に示すキャリア１６及びキャリア２１のユーザ＃２用のＰＴ−ＲＳ伝送領域６０３を用いて位相雑音を推定する。
【０１１６】
＜方法２＞
方法２では、端末４０２＿２は、図５Ａ及び図５Ｂにおける自機宛のＰＴ−ＲＳシンボル（２Ｂ０３、２Ｃ０３）に加え、他の端末宛のＰＴ−ＲＳシンボルを用いて位相雑音を推定する。
【０１１７】
つまり、端末４０２＿２は、「図７に示すキャリア１６及びキャリア２１のユーザ＃２用のＰＴ−ＲＳ伝送領域５０３、及び、図８に示すキャリア１６及びキャリア２１のユーザ＃２用のＰＴ−ＲＳ伝送領域６０３」に加えて、「図７に示すキャリア４、キャリア１０、キャリア２８及びキャリア３３の他のユーザ用のＰＴ−ＲＳ伝送領域５０３」、及び、「図８に示すキャリア４、キャリア１０、キャリア２８及びキャリア３３の他のユーザ用のＰＴ−ＲＳ伝送領域６０３」を用いて、位相雑音を推定する。
【０１１８】
以上、端末４０２＿２における位相雑音を推定する方法１，２について説明した。
【０１１９】
端末４０２＿２（受信装置）において方法２を用いた方が、方法１を用いるよりも多くのＰＴ−ＲＳを用いて位相雑音の推定精度を向上させることができる可能性がある。そこで、以下では、方法２による位相雑音推定を実現する方法について詳しく説明する。
【０１２０】
図７及び図８に示すフレーム構成において、基地局４０１（送信装置）は、ユーザ＃１用の少なくともデータシンボル（データ伝送領域）の送信電力を、端末４０２＿１（ユーザ＃１）の状態に合わせて調整する。同様に、基地局４０１は、ユーザ＃２用の少なくともデータシンボル（データ伝送領域）の送信電力を、端末４０２＿２（ユーザ＃２）の状態に合わせて調整し、ユーザ＃３用の少なくともデータシンボル（データ伝送領域）の送信電力を、端末４０２＿３（ユーザ＃３）の状態に合わせて調整する。
【０１２１】
このとき、基地局４０１は、ユーザ＃１用のデータシンボルの送信電力の調整の規則に合わせて、キャリア４及びキャリア１０に配置されるＰＴ−ＲＳシンボル（ＰＴ−ＲＳ伝送領域）の送信電力を調整する。同様に、基地局４０１は、ユーザ＃２用のデータシンボルの送信電力の調整の規則に合わせて、キャリア１６及びキャリア２１に配置されるＰＴ−ＲＳシンボル（ＰＴ−ＲＳ伝送領域）の送信電力を調整し、ユーザ＃３用のデータシンボルの送信電力の調整の規則に合わせて、キャリア２８及びキャリア３３に配置されるＰＴ−ＲＳシンボル（ＰＴ−ＲＳ伝送領域）の送信電力を調整する。
【０１２２】
なお、図７及び図８における“伝送領域”と図５Ａ、図５Ｂにおける“シンボル”との関係については上述した通りである。
【０１２３】
ここで、基地局４０１が、上述した送信電力の調整に関する情報（送信電力情報）を、例えば、制御情報伝送領域５００、６００等の制御情報伝送領域で送信した場合について説明する。
【０１２４】
この場合、図２に示す端末４０２＿２（図９に示す受信装置）は、他のユーザの送信電力情報、つまり、ユーザ＃１用のシンボルの送信電力情報、及び、ユーザ＃３用のシンボルの送信電力情報を、制御情報シンボルから得る。これにより、端末４０２＿２は、キャリア４、キャリア１０、キャリア２８及びキャリア３３に配置されたＰＴ−ＲＳ伝送領域のＰＴ−ＲＳシンボルを位相雑音の推定に用いることが容易となる可能性が高い。このように、端末４０２＿２は、他のユーザのＰＴ−ＲＳ伝送領域（ＰＴ−ＲＳシンボル）を位相雑音推定に用いることができ、所望のデータシンボルから得られるデータの受信品質を向上させるという効果を得ることができる。
【０１２５】
しかし、このような方法を用いて位相雑音推定を行う際、他のユーザのデータの保護、及び、他のユーザのデータを保護する仕組みのための制御情報の増加、という点を考える必要がある。
【０１２６】
以下では、上述した方法とは異なる位相雑音推定の実現方法について説明する。
【０１２７】
第１の方法について説明を行う。
【０１２８】
まず、基地局４０１は、各ユーザのデータシンボルの送信電力の調整を行い、送信電力のレベルを示す送信電力情報を、例えば、図７に示す制御情報伝送領域５００及び／又は、図８に示す制御情報伝送領域６００を用いて送信する。
【０１２９】
一例として、図７及び図８に示すフレーム構成において、基地局４０１は、ユーザ＃１用のＰＴ−ＲＳ伝送領域５０３，６０３を除く伝送領域の“シンボル”の送信（電力）レベルを「１．０」とし、ユーザ＃２用のＰＴ−ＲＳ伝送領域５０３，６０３を除く伝送領域の“シンボル”の送信（電力）レベルを「４．０」とし、ユーザ＃３のＰＴ−ＲＳ伝送領域５０３，６０３を除く伝送領域の“シンボル”の送信（電力）レベルを「１６．０」として、送信電力情報を送信する。
【０１３０】
一方、基地局４０１は、ユーザ＃１用のＰＴ−ＲＳ伝送領域、つまり、図７及び図８に示すキャリア４及びキャリア１０のＰＴ−ＲＳ伝送領域５０３、６０３のＰＴ−ＲＳシンボル（図５Ａ、図５Ｂを参照）の送信（電力）レベルを「２．０」とし、ユーザ＃２用のＰＴ−ＲＳ伝送領域、つまり、図７及び図８に示すキャリア１６及びキャリア２１のＰＴ−ＲＳ伝送領域５０３、６０３のＰＴ−ＲＳシンボル（図５Ａ、図５Ｂを参照）の送信（電力）レベルを「４．０」とし、ユーザ＃３用のＰＴ−ＲＳ伝送領域、つまり、図７及び図８に示すキャリア２８及びキャリア３３のＰＴ−ＲＳ伝送領域５０３、６０３のＰＴ−ＲＳシンボル（図５Ａ及び図５Ｂを参照）の送信（電力）レベルを「８．０」として、送信電力情報を送信する。
【０１３１】
すなわち、基地局４０１は、同一ユーザに対する場合であっても、ＰＴ−ＲＳ伝送領域を除く伝送領域の“シンボル”（ただし、データシンボルであってもよい）の送信（電力）レベルの制御方法と、ＰＴ−ＲＳ伝送領域のＰＴ−ＲＳシンボルの送信（電力）レベルの制御方法とを異ならせる。または、基地局４０１は、同一ユーザに対する場合であっても、ＰＴ−ＲＳ伝送領域を除く伝送領域の送信（電力）レベルの制御方法と、ＰＴ−ＲＳ伝送領域の送信（電力）レベルの制御方法とを異ならせる。
【０１３２】
このとき、基地局４０１は、ＰＴ−ＲＳ伝送領域を除く伝送領域の“シンボル”、または、“伝送領域”に対して、基地局４０１の通信相手である端末においてデータの受信品質を確保することを達成するように送信電力（電力）レベルの制御を行う。一方、基地局４０１は、ＰＴ−ＲＳ伝送領域のＰＴ−ＲＳシンボル、またはＰＴ−ＲＳ伝送領域に対して、所望の端末が位相雑音を高精度に推定できるとともに、他の端末が位相雑音を推定するためにＰＴ−ＲＳシンボルを使用できるように送信（電力）レベルの制御を行う。
【０１３３】
以下、この点について、具体的な例を挙げて説明する。
【０１３４】
図１０は、ＢＰＳＫ（Binary Phase Shift Keying）の同相Ｉ−直交Ｑ平面（Ｉ−Ｑ平面）における信号点配置の一例を示す。ＢＰＳＫの場合、Ｉ−Ｑ平面において、２個の信号点が配置される。信号点を（Ｉ２，Ｑ２）と表すと、（Ｉ２，Ｑ２）として（ａ２×ｚ，０）、（−ａ２×ｚ，０）が存在する。なお、係数ａ２は次式（２４）で表される。
【数２４】
2018163657.tif 000026
【０１３５】
また、ｚは０より大きい実数である。このとき、平均送信電力はｚ２となる。
【０１３６】
図１１は、ＱＰＳＫ（Quadrature Phase Shift Keying）のＩ−Ｑ平面における信号点配置の一例を示す。ＱＰＳＫの場合、Ｉ−Ｑ平面において、４個の信号点が配置される。信号点を（Ｉ４，Ｑ４）と表すと、（Ｉ４，Ｑ４）として（ａ４×ｚ，ａ４×ｚ）、（−ａ４×ｚ，ａ４×ｚ）、（ａ４×ｚ，−ａ４×ｚ）、（−ａ４×ｚ，−ａ４×ｚ）が存在する。なお、係数ａ４は次式（２５）で表される。
【数２５】
2018163657.tif 000027
【０１３７】
また、ｚは０より大きい実数である。このとき、平均送信電力はｚ２となる。すなわち、式（２５）のようにａ４を設定することで、ＢＰＳＫの送信レベルとＱＰＳＫの送信レベルとが等しくなる。
【０１３８】
図１２は、１６ＱＡＭ（16 Quadrature Amplitude Modulation）のＩ−Ｑ平面における信号点配置の一例を示す。１６ＱＡＭの場合、Ｉ−Ｑ平面において、１６個の信号点が配置される。信号点を（Ｉ１６，Ｑ１６）と表すと、（Ｉ１６，Ｑ１６）として、（ａ１６×ｚ×３，ａ１６×ｚ×３）、（ａ１６×ｚ×３，ａ１６×ｚ×１）、（ａ１６×ｚ×３，−ａ１６×ｚ×１）、（ａ１６×ｚ×３，−ａ１６×ｚ×３）、（ａ１６×ｚ×１，ａ１６×ｚ×３）、（ａ１６×ｚ×１，ａ１６×ｚ×１）、（ａ１６×ｚ×１，−ａ１６×ｚ×１）、（ａ１６×ｚ×１，−ａ１６×ｚ×３）、（−ａ１６×ｚ×１，ａ１６×ｚ×３）、（−ａ１６×ｚ×１，ａ１６×ｚ×１）、（−ａ１６×ｚ×１，−ａ１６×ｚ×１）、（−ａ１６×ｚ×１，−ａ１６×ｚ×３）、（−ａ１６×ｚ×３，ａ１６×ｚ×３）、（−ａ１６×ｚ×３，ａ１６×ｚ×１）、（−ａ１６×ｚ×３，−ａ１６×ｚ×１）、（−ａ１６×ｚ×３，−ａ１６×ｚ×３）が存在することになる。なお、係数ａ１６は次式（２６）で表される。
【数２６】
2018163657.tif 000028
【０１３９】
また、ｚは０より大きい実数である。このとき、平均送信電力はｚ２となる。すなわち、式（２６）のようにａ１６を設定することで、ＢＰＳＫの送信レベルとＱＰＳＫの送信レベルと１６ＱＡＭの送信レベルとが等しくなる。
【０１４０】
図１３は、６４ＱＡＭ（64 Quadrature Amplitude Modulation）のＩ−Ｑ平面における信号点配置の一例を示す。６４ＱＡＭの場合、Ｉ−Ｑ平面において、６４個の信号点が配置される。信号点を（Ｉ６４，Ｑ６４）と表すと、（Ｉ６４，Ｑ６４）として、
（ａ６４×ｚ×７，ａ６４×ｚ×７）、（ａ６４×ｚ×７，ａ６４×ｚ×５）、（ａ６４×ｚ×７，ａ６４×ｚ×３）、（ａ６４×ｚ×７，ａ６４×ｚ×１）、（ａ６４×ｚ×７，−ａ６４×ｚ×１）、（ａ６４×ｚ×７，−ａ６４×ｚ×３）、（ａ６４×ｚ×７，−ａ６４×ｚ×５）、（ａ６４×ｚ×７，−ａ６４×ｚ×７）、
（ａ６４×ｚ×５，ａ６４×ｚ×７）、（ａ６４×ｚ×５，ａ６４×ｚ×５）、（ａ６４×ｚ×５，ａ６４×ｚ×３）、（ａ６４×ｚ×５，ａ６４×ｚ×１）、（ａ６４×ｚ×５，−ａ６４×ｚ×１）、（ａ６４×ｚ×５，−ａ６４×ｚ×３）、（ａ６４×ｚ×５，−ａ６４×ｚ×５）、（ａ６４×ｚ×５，−ａ６４×ｚ×７）、
（ａ６４×ｚ×３，ａ６４×ｚ×７）、（ａ６４×ｚ×３，ａ６４×ｚ×５）、（ａ６４×ｚ×３，ａ６４×ｚ×３）、（ａ６４×ｚ×３，ａ６４×ｚ×１）、（ａ６４×ｚ×３，−ａ６４×ｚ×１）、（ａ６４×ｚ×３，−ａ６４×ｚ×３）、（ａ６４×ｚ×３，−ａ６４×ｚ×５）、（ａ６４×ｚ×３，−ａ６４×ｚ×７）、
（ａ６４×ｚ×１，ａ６４×ｚ×７）、（ａ６４×ｚ×１，ａ６４×ｚ×５）、（ａ６４×ｚ×１，ａ６４×ｚ×３）、（ａ６４×ｚ×１，ａ６４×ｚ×１）、（ａ６４×ｚ×１，−ａ６４×ｚ×１）、（ａ６４×ｚ×１，−ａ６４×ｚ×３）、（ａ６４×ｚ×１，−ａ６４×ｚ×５）、（ａ６４×ｚ×１，−ａ６４×ｚ×７）、
（−ａ６４×ｚ×１，ａ６４×ｚ×７）、（−ａ６４×ｚ×１，ａ６４×ｚ×５）、（−ａ６４×ｚ×１，ａ６４×ｚ×３）、（−ａ６４×ｚ×１，ａ６４×ｚ×１）、（−ａ６４×ｚ×１，−ａ６４×ｚ×１）、（−ａ６４×ｚ×１，−ａ６４×ｚ×３）、（−ａ６４×ｚ×１，−ａ６４×ｚ×５）、（−ａ６４×ｚ×１，−ａ６４×ｚ×７）、
（−ａ６４×ｚ×３，ａ６４×ｚ×７）、（−ａ６４×ｚ×３，ａ６４×ｚ×５）、（−ａ６４×ｚ×３，ａ６４×ｚ×３）、（−ａ６４×ｚ×３，ａ６４×ｚ×１）、（−ａ６４×ｚ×３，−ａ６４×ｚ×１）、（−ａ６４×ｚ×３，−ａ６４×ｚ×３）、（−ａ６４×ｚ×３，−ａ６４×ｚ×５）、（−ａ６４×ｚ×３，−ａ６４×ｚ×７）、
（−ａ６４×ｚ×５，ａ６４×ｚ×７）、（−ａ６４×ｚ×５，ａ６４×ｚ×５）、（−ａ６４×ｚ×５，ａ６４×ｚ×３）、（−ａ６４×ｚ×５，ａ６４×ｚ×１）、（−ａ６４×ｚ×５，−ａ６４×ｚ×１）、（−ａ６４×ｚ×５，−ａ６４×ｚ×３）、（−ａ６４×ｚ×５，−ａ６４×ｚ×５）、（−ａ６４×ｚ×５，−ａ６４×ｚ×７）、
（−ａ６４×ｚ×７，ａ６４×ｚ×７）、（−ａ６４×ｚ×７，ａ６４×ｚ×５）、（−ａ６４×ｚ×７，ａ６４×ｚ×３）、（−ａ６４×ｚ×７，ａ６４×ｚ×１）、（−ａ６４×ｚ×７，−ａ６４×ｚ×１）、（−ａ６４×ｚ×７，−ａ６４×ｚ×３）、（−ａ６４×ｚ×７，−ａ６４×ｚ×５）、（−ａ６４×ｚ×７，−ａ６４×ｚ×７）
が存在することになる。なお、係数ａ６４は次式（２７）で表される。
【数２７】
2018163657.tif 000029
【０１４１】
また、ｚは０より大きい実数である。このとき、平均送信電力はｚ２となる。すなわち、式（２７）のようにａ６４を設定することで、ＢＰＳＫの送信レベルとＱＰＳＫの送信レベルと１６ＱＡＭの送信レベルと６４ＱＡＭの送信レベルとが等しくなる。
【０１４２】
ここで、一例として、基地局４０１が送信する変調信号のフレーム構成が図７及び図８に示すフレーム構成である場合に、各シンボルに対して、以下の変調方式及び送信レベル調整を行う場合ついて説明する。
【０１４３】
例えば、ユーザ＃１用のデータ伝送領域５０２，６０２のデータシンボルの変調方式をＱＰＳＫとし、送信レベルの調整係数をｂ１とする。なお、ｂ１は、上述で説明した送信レベルの変更値α１に相当する。この場合、送信レベル調整後のデータ伝送領域５０２，６０２のデータシンボルの同相成分ＩＤ１は、ＩＤ１＝ｂ１×Ｉ４で表され、送信レベル調整後のデータ伝送領域５０２，６０２のデータシンボルの直交成分ＱＤ１は、ＱＤ１＝ｂ１×Ｑ４で表される。
【０１４４】
また、例えば、ユーザ＃２用のデータ伝送領域５０２，６０２のデータシンボルの変調方式を１６ＱＡＭとし、送信レベルの調整係数をｂ２とする。なお、ｂ２は、上述で説明した送信レベルの変更値α２に相当する。この場合、送信レベル調整後のデータ伝送領域５０２，６０２のデータシンボルの同相成分ＩＤ２は、ＩＤ２＝ｂ２×Ｉ１６で表され、送信レベル調整後のデータ伝送領域５０２，６０２のデータシンボルの直交成分ＱＤ２は、ＱＤ２＝ｂ２×Ｑ１６で表される。
【０１４５】
また、例えば、ユーザ＃３用のデータ伝送領域５０２，６０２のデータシンボルの変調方式を６４ＱＡＭとし、送信レベルの調整係数をｂ３とする。この場合、送信レベル調整後のデータ伝送領域５０２，６０２のデータシンボルの同相成分ＩＤ３は、ＩＤ３＝ｂ３×Ｉ６４で表され、送信レベル調整後のデータ伝送領域５０２，６０２のデータシンボルの直交成分ＱＤ３は、ＱＤ３＝ｂ３×Ｑ６４で表される。
【０１４６】
一方、例えば、ユーザ＃１用のＰＴ−ＲＳ伝送領域５０３，６０３のＰＴ−ＲＳシンボルの変調方式をＢＰＳＫとし、送信レベルの調整係数をｃ１とする。なお、ｃ１は、上述で説明した送信レベルの変更値β１に相当する。この場合、送信レベル調整後のＰＴ−ＲＳ伝送領域５０３，６０３のＰＴ−ＲＳシンボルの同相成分ＩＰ１は、ＩＰ１＝ｃ１×Ｉ２で表され、送信レベル調整後のＰＴ−ＲＳ伝送領域５０３，６０３のＰＴ−ＲＳシンボルの直交成分ＱＰ１は、ＱＰ１＝ｃ１×Ｑ２で表される。
【０１４７】
また、例えば、ユーザ＃２用のＰＴ−ＲＳ伝送領域５０３，６０３のＰＴ−ＲＳシンボルの変調方式をＢＰＳＫとし、送信レベルの調整係数をｃ２とする。なお、ｃ２は、上述で説明した送信レベルの変更値β２に相当する。この場合、送信レベル調整後のＰＴ−ＲＳ伝送領域５０３，６０３のＰＴ−ＲＳシンボルの同相成分ＩＰ２は、ＩＰ２＝ｃ２×Ｉ２で表され、送信レベル調整後のＰＴ−ＲＳ伝送領域５０３，６０３のＰＴ−ＲＳシンボルの直交成分ＱＰ２は、ＱＰ２＝ｃ２×Ｑ２で表される。
【０１４８】
また、例えば、ユーザ＃３用のＰＴ−ＲＳ伝送領域５０３，６０３のＰＴ−ＲＳシンボルの変調方式をＢＰＳＫとし、送信レベルの調整係数をｃ３とする。この場合、送信レベル調整後のＰＴ−ＲＳ伝送領域５０３，６０３のＰＴ−ＲＳシンボルの同相成分ＩＰ３は、ＩＰ３＝ｃ３×Ｉ２で表され、送信レベル調整後のＰＴ−ＲＳ伝送領域５０３，６０３のＰＴ−ＲＳシンボルの直交成分ＱＰ３は、ＱＰ３＝ｃ３×Ｑ２で表される。
【０１４９】
基地局４０１は、上記送信レベル調整を行う際、以下の設定（条件）が可能となる。
「ｂ１≠ｃ１となるｂ１、ｃ１を設定」
「ｂ２≠ｃ２となるｂ２、ｃ２を設定」
「ｂ３≠ｃ３となるｂ３、ｃ３を設定」
【０１５０】
なお、上述した一例では、ユーザ＃１からユーザ＃３が存在する場合について説明しているが、ユーザの数は３に限ったものではなく、ユーザ数ｎ（ｎは２以上の整数）の場合でも同様に実施することができる。すなわち、基地局４０１は、ｂｋ≠ｃｋとなるｂｋ、ｃｋを設定することができる（ｋは１以上ｎ以下の整数）。
【０１５１】
または、基地局４０１は、上記送信レベル調整を行う際、以下の設定（条件）が可能である。
「ｂ１≠ｃ１、ｂ２≠ｃ２、ｂ３≠ｃ３の何れかが成立する時間が存在」
【０１５２】
なお、ユーザ数がｎのとき、以下が成立する。
「ｋを１以上ｎ以下の整数としたとき、ｂｋ≠ｃｋが成立するｋ存在する」という時間が存在
【０１５３】
また、上記の一例では、ＰＴ−ＲＳ伝送領域のＰＴ−ＲＳシンボルの変調方式（マッピング方法）をＢＰＳＫとしているが、他の変調方式であってもよい。また、ＢＰＳＫ、π／２シフトＢＰＳＫ、ＱＰＳＫ，π／４シフトＱＰＳＫ、ＰＡＭ（Pulse Amplitude Modulation）等は、位相の推定を行うことができるため、ＰＴ−ＲＳ伝送領域のＰＴ−ＲＳシンボルの変調方式（マッピング方法）としては好適な方法である。ただし、マッピング方法は、これらの方法に限ったものではなく、送信レベル調整前のＰＴ−ＲＳ伝送領域のＰＴ−ＲＳシンボルの平均送信電力ｚ２とならないマッピングであっても、上記と同様の動作を実施することは可能である。なお、上述の例では、調整係数ｂ１、ｂ２、ｃ１、ｃ２をシンボルに対して、乗算しているが、これに限ったものではなく、式（１）から式（２１）のいずれかのように、調整係数を乗算してもよい。
【０１５４】
また、データ伝送領域のデータシンボルの変調方式（マッピング方法）は、ＢＰＳＫ、ＱＰＳＫ、１６ＱＡＭ、６４ＱＡＭに限ったものではない。例えば、データ伝送領域のデータシンボルのマッピング方法として、非均一のマッピング方法を用いてもよいし、π／２シフトＢＰＳＫ、π／４シフトＱＰＳＫを用いてもよい。ただし、上述した係数ａ２、ａ４、ａ１６、ａ６４に相当する係数を各変調方式で別途定める必要がある。
【０１５５】
［データシンボルの送信レベル調整係数と、ＰＴ−ＲＳシンボルの送信レベル調整係数との関係］
次に、データ伝送領域のデータシンボルの送信レベル調整係数と、ＰＴ−ＲＳ伝送領域のＰＴ−ＲＳシンボルの送信レベル調整係数との関係について説明する。
【０１５６】
データ伝送領域のデータシンボルの送信レベルの調整係数の最低値をｂｍｉｎとし、最大値をｂｍａｘとする。ただし、ｂｍｉｎはゼロより大きい実数であり、ｂｍａｘは実数であり、ｂｍｉｎ＜ｂｍａｘが成立する。
【０１５７】
上述した送信レベル調整係数ｂ１、ｂ２、ｂ３（端末数をｎとした場合、ｂｋ（ｋは１以上ｎ以下の整数））は、ｂｍｉｎ以上ｂｍａｘ以下の好適な値に定められる。
【０１５８】
また、ＰＴ−ＲＳ伝送領域のＰＴ−ＴＳシンボルの送信レベル調整係数の最小値をｃｍｉｎとし、最大値ｃｍａｘとする。ただし、ｃｍｉｎはゼロより大きい実数であり、ｃｍａｘは実数であり、ｃｍｉｎ＜ｃｍａｘが成立する。
【０１５９】
上述した送信レベル調整係数ｃ１、ｃ２、ｃ３（端末数をｎとした場合、ｃｋ（ｋは１以上ｎ以下の整数））は、ｃｍｉｎ以上ｃｍａｘ以下の好適な値に定められる。
【０１６０】
このとき、ｃｍｉｎ＞ｂｍｉｎが成立してもよい。このようにすると、ＰＴ−ＲＳシンボルの受信レベルを確保することができる。これにより、各端末は、他の端末向けのＰＴ−ＲＳ伝送領域のＰＴ−ＲＳシンボルを用いて位相雑音を推定できる可能性が高くなり、データの受信品質が向上する可能性が高くなるからである。
【０１６１】
［ＰＴ−ＲＳシンボルの送信レベルの補正係数の推定方法］
次に、端末（図９に示す受信装置）におけるＰＴ−ＲＳシンボルの送信レベル補正係数βの推定方法の一例について詳細に説明する。
【０１６２】
具体的には、本実施の形態では、ＰＴ−ＲＳ伝送領域のＰＴ−ＲＳシンボルに対する送信（電力）レベルの補正係数βと、ＰＴ−ＲＳ伝送領域に配置されるＰＴ−ＲＳとして使用される系列のパターンとが関連付けられている。基地局４０１（送信装置）及び各端末（受信装置）は、補正係数βとＰＴ−ＲＳのパターンとの関連付けを共有する。
【０１６３】
これにより、各端末は、ＰＴ−ＲＳ伝送領域に配置されたＰＴ−ＲＳのパターンを特定することにより、基地局４０１からの補正係数βの明示的な通知が無くても、当該ＰＴ−ＲＳのパターンに関連付けられた送信レベルの補正係数βを特定することができる。
【０１６４】
すなわち、基地局４０１は、ＰＴ−ＲＳの送信によって、補正係数β（つまり、ＰＴ−ＲＳの送信電力情報）を暗黙的に通知することができる。よって、基地局４０１は、例えば、制御情報伝送領域５００，６００に、ＰＴ−ＲＳ伝送領域のＰＴ−ＲＳシンボルの送信レベルの情報を付加する必要がなくなる。
【０１６５】
また、上述したように、ＰＴ−ＲＳ伝送領域を除く伝送領域における補正係数αを用いた送信（電力）レベルの制御方法と、ＰＴ−ＲＳ伝送領域における補正係数βを用いた送信（電力）レベルの制御方法（補正係数β）とを異ならせることで、各端末は、他の端末のデータ伝送領域に関する情報を見ることなく、ＰＴ−ＲＳの送信（電力）レベルに関する情報（補正係数β）を特定することができる。これにより、他の端末のデータ保護を維持しつつ、端末は、自機向けのＰＴ−ＲＳに加え、他の端末向けのＰＴ−ＲＳを用いて位相雑音を精度良く推定することができる。
【０１６６】
以下、具体的な方法について説明する。
【０１６７】
例えば、ＰＴ−ＲＳに対する送信レベルの複数ｍ個の補正係数βｎ（ただし、ｎ＝１〜ｍの整数）の何れかが使用されるとする。
【０１６８】
この場合、ｍ個の補正係数βに対して、ＰＴ−ＲＳとして使用される系列のパターン（以下、ＰＴ−ＲＳパターンと呼ぶ）がそれぞれ関連付けて設定される。ここで、各ＰＴ−ＲＳパターンは互いに直交する。例えば、ＰＴ−ＲＳパターンは、変調信号として互いに直交してもよく、ＢＰＳＫ、ＱＰＳＫ等を使用している場合いにはビット系列として互いに直交してもよい。
【０１６９】
具体的には、例えば、ｍ種類のＰＴ−ＲＳパターンを用意する。このとき、ｍ種類のＰＴ−ＲＳパターンをｕｎ（ｋ）と表す。なお、ＰＴ−ＲＳパターンがｍ種類存在するため、ｎは、１以上ｍ以下の整数である（ただし、ｍは２以上の整数である）。このとき、ｕｎ（ｋ）は、複素数で定義してもよく、実数で定義してもよい。また、一例として、ｋは０以上の整数とする。また、ｕｎ（ｋ）は周期Ｔ（Ｔは２以上の整数とする）の系列（つまり、ｕｎ（ｋ＝ｉ）＝ｕｎ（ｋ＝ｉ＋Ｔ）が成立する）である。このとき、ＰＴ−ＲＳパターン（ｕｎ（０）〜ｕｎ（Ｔ−１））が変調信号として互いに直交している場合、ｘは１以上ｍ以下の整数、ｙは１以上ｍ以下の整数とし、ｘ≠ｙが成立するとき、次式（２８）が成立する。
【数２８】
2018163657.tif 000030
【０１７０】
または、ｍ種類のＰＴ−ＲＳパターンを用意する。このとき、ｍ種類のＰＴ−ＲＳパターンを｛０，１｝で構成されるビット系列ｂｎ（ｋ）と表す。なお、ＰＴ−ＲＳパターンがｍ種類存在するため、ｎは１以上ｍ以下の整数であるものとする（ただし、ｍは２以上の整数である）。このとき、一例として、ｋは０以上の整数とする。また、ｂｎ（ｋ）は周期Ｔ（Ｔは２以上の整数とする）のビット系列（つまり、ｂｎ（ｋ＝ｉ）ｂｎ（ｋ＝ｉ＋Ｔ）が成立する）とする。このとき、ＰＴ−ＲＳパターン（ｂｎ（０）〜ｂｎ（Ｔ−１））がビット系列として互いに直交している場合、ｘは１以上ｍ以下の整数、ｙは１以上ｍ以下の整数とし、ｘ≠ｙが成立するとき、次式（２９）が成立する。
【数２９】
2018163657.tif 000031
【０１７１】
一例として、ＢＰＳＫの変調信号（つまり、同相Ｉ成分が１又は−１、直交成分は０（ゼロ））の周期Ｔ＝４、ｍ＝４のＰＴ−ＲＳパターンについて説明する。
【０１７２】
例えば、ｍ＝４個のＰＴ−ＲＳパターンｕ１〜ｕ４は、式（２８）の関係を満たすように、以下で表される。
【０１７３】
ＰＴ−ＲＳパターンｕ１は以下のようになる。
ｕ１（０＋ｚ×Ｔ）＝(１，０)つまり、同相成分１、直交成分０
ｕ１（１＋ｚ×Ｔ）＝(１，０)つまり、同相成分１、直交成分０
ｕ１（２＋ｚ×Ｔ）＝(１，０)つまり、同相成分１、直交成分０
ｕ１（３＋ｚ×Ｔ）＝(１，０)つまり、同相成分１、直交成分０
なおｚは０以上の整数とする。
【０１７４】
ＰＴ−ＲＳパターンｕ２は以下のようになる。
ｕ２（０＋ｚ×Ｔ）＝(１，０)つまり、同相成分１、直交成分０
ｕ２（１＋ｚ×Ｔ）＝(−１，０)つまり、同相成分―１、直交成分０
ｕ２（２＋ｚ×Ｔ）＝(１，０)つまり、同相成分１、直交成分０
ｕ２（３＋ｚ×Ｔ）＝(−１，０)つまり、同相成分―１、直交成分０
なおｚは０以上の整数とする。
【０１７５】
ＰＴ−ＲＳパターンｕ３は以下のようになる。
ｕ３（０＋ｚ×Ｔ）＝(１，０)つまり、同相成分１、直交成分０
ｕ３（１＋ｚ×Ｔ）＝(１，０)つまり、同相成分１、直交成分０
ｕ３（２＋ｚ×Ｔ）＝(−１，０)つまり、同相成分−１、直交成分０
ｕ３（３＋ｚ×Ｔ）＝(−１，０)つまり、同相成分−１、直交成分０
なおｚは０以上の整数とする。
【０１７６】
ＰＴ−ＲＳパターンｕ４は以下のようになる。
ｕ４（０＋ｚ×Ｔ）＝(１，０)つまり、同相成分１、直交成分０
ｕ４（１＋ｚ×Ｔ）＝(−１，０)つまり、同相成分―１、直交成分０
ｕ４（２＋ｚ×Ｔ）＝(−１，０)つまり、同相成分−１、直交成分０
ｕ４（３＋ｚ×Ｔ）＝(１，０)つまり、同相成分１、直交成分０
なおｚは０以上の整数とする。
【０１７７】
また、各ＰＴ−ＲＳパターンｕ１〜ｕ４は、以下のように補正係数β１〜β４にそれぞれ関連付けられている。
補正係数β１＝１．０と設定するときＰＴ−ＲＳパターンｕ１を使用する。
補正係数β１＝２．０と設定するときＰＴ−ＲＳパターンｕ２を使用する。
補正係数β１＝４．０と設定するときＰＴ−ＲＳパターンｕ３を使用する。
補正係数β１＝８．０と設定するときＰＴ−ＲＳパターンｕ４を使用する。
【０１７８】
まず、基地局４０１（送信装置）は、各ユーザ用の伝送領域内のＰＴ−ＲＳ伝送領域５０３，６０３における送信（電力）レベルの補正係数βを設定する。そして、基地局４０１は、設定した補正係数βに関連付けられたＰＴ−ＲＳパターンｕを、当該ＰＴ−ＲＳ伝送領域５０３，６０３に配置するＰＴ−ＲＳシンボルとして使用する。
【０１７９】
つまり、各ユーザ用の伝送領域内のＰＴ−ＲＳ伝送領域５０３，６０３では、当該ＰＴ−ＲＳ伝送領域に設定された補正係数βに関連付けられたＰＴ−ＲＳパターンを構成する系列（変調信号系列又はビット系列）が送信される。なお、基地局４０１は、ユーザ用の伝送領域毎に送信レベルの補正係数βを設定するので、各ユーザ用の伝送領域内のＰＴ−ＲＳ伝送領域５０３，６０３で送信されるＰＴ−ＲＳパターンはそれぞれ個別に設定される。
【０１８０】
一方、端末（受信装置）は、ＰＴ−ＲＳパターンｕと補正係数βとの関連付けに基づいて、ＰＴ−ＲＳ伝送領域５０３，６０３で受信したＰＴ−ＲＳに関連付けられた補正係数βを特定する。
【０１８１】
具体的には、端末は、各ＰＴ−ＲＳ伝送領域５０３，６０３で受信したＰＴ−ＲＳと、ＰＴ−ＲＳパターンｕ１〜ｕ４の各々との相関値を算出し、相関値が最大となるＰＴ−ＲＳパターンｕｎを特定する。なお、式（２８）に示す関係から、ＰＴ−ＲＳ伝送領域で受信したＰＴ−ＲＳのパターンと異なるＰＴ−ＲＳパターンｕに対する相関値はゼロになる。そして、端末は、相関値が最大となるＰＴ−ＲＳパターンｕｎに関連付けられた補正係数βｎを特定する。
【０１８２】
例えば、上記例において、端末は、自機向けの伝送領域内のＰＴ−ＲＳ伝送領域５０３，６０３に配置されたＰＴ−ＲＳシンボルがＰＴ−ＲＳパターンｕ１の場合、当該ＰＴ−ＲＳシンボルに対する補正係数β１＝２．０であると判定する。端末は、同様にして、他のユーザ用の伝送領域内のＰＴ−ＲＳ伝送領域５０３，６０３に配置されたＰＴ−ＲＳシンボルのＰＴ−ＲＳパターンｕを特定し、補正係数βを判定する。
【０１８３】
こうすることで、各端末は、自機用の伝送領域の補正係数βに加え、他のユーザ用の伝送領域における補正係数βをそれぞれ特定することができる。よって、端末は、各ユーザ用伝送領域で受信したＰＴ−ＲＳの測定値を、特定した補正係数βに基づいて補正することにより、自機宛てのＰＴ−ＲＳに加え、他のユーザ宛てのＰＴ−ＲＳを用いて、位相雑音を推定することができる。
【０１８４】
なお、ＰＴ−ＲＳパターンｕｎ（ｋ）の例は上述の例に限ったものではない。また、ｂｎ（ｋ）からＰＴ−ＲＳパターンｕｎ（ｋ）を生成してもよい。
【０１８５】
以上、本実施の形態では、基地局（図３の送信装置）は、複数の受信装置に割り当てられたリソースに複数の受信装置向けのＰＴ−ＲＳ（位相雑音推定用のリファレンス信号）がそれぞれ配置された変調信号を生成し、変調信号を送信する。また、ＰＴ−ＲＳに対する送信電力の補正係数βと、当該ＰＴ−ＲＳに使用される系列のパターンとが関連付けられている。
【０１８６】
これにより、端末（受信装置）は、複数のユーザの送信電力制御が異なる場合でも、各ユーザに対する送信電力制御（補正係数β）に基づいて、各ユーザ宛てのＰＴ−ＲＳを用いて位相雑音を正しく推定できる。よって、本実施の形態によれば、各端末は、複数のユーザ宛てのＰＴ−ＲＳを用いて位相雑音の推定精度を向上させることができ、データの伝送効率を向上させることができる。
【０１８７】
また、各端末は、ＰＴ−ＲＳ伝送領域におけるＰＴ−ＲＳパターンを観測することにより、他のユーザのデータシンボル（送信レベルの補正係数α）とは関係無く、つまり、他のユーザのデータシンボルを観測することなく、各端末において他のユーザ用伝送領域におけるＰＴ−ＲＳの補正係数βを特定することができる。よって、端末が位相雑音推定を行う際に他のユーザのデータ保護を図ることができる。
【０１８８】
また、ＰＴ−ＲＳの送信レベルの補正係数βは、送信されるＰＴ−ＲＳパターンに対応付けられて暗黙的に端末へ通知されるので、補正係数βのための制御情報の増加を抑えることができる。
【０１８９】
（変形例１）
上記実施の形態では、送信レベル調整に関して、ＰＴ−ＲＳ伝送領域のＰＴ−ＲＳシンボルと、データ伝送領域のデータシンボルとの関係について説明したが、これに限ったものではない。例えば、ＰＴ−ＲＳ伝送領域のデータシンボルをＤＭ−ＲＳ伝送領域のＤＭ−ＲＳシンボルに置き換えてもよい。すなわち、ＰＴ−ＲＳ伝送領域のＰＴ−ＲＳシンボルとＤＭ−ＲＳ領域のＤＭ−ＲＳシンボルとについても、上記実施の形態と同様の送信レベル調整を実施してもよい。
【０１９０】
（変形例２）
上記実施の形態では、図７及び図８に示すフレーム構成において、各ユーザに対してＰＴ−ＲＳ伝送領域（ＰＴ−ＲＳシンボル）が配置（挿入）される場合について説明した。しかし、ユーザによっては、ＰＴ−ＲＳ伝送領域（ＰＴ−ＲＳシンボル）が配置されないフレーム構成としてもよい。また、ＰＴ−ＲＳ伝送領域（ＰＴ−ＲＳシンボル）を配置するフレームを変更してもよいし、フレーム中のリソースにおけるＰＴ−ＲＳ伝送領域（ＰＴ−ＲＳシンボル）の挿入頻度、挿入個数、挿入規則、挿入方法を変更してもよい。
【０１９１】
例えば、基地局４０１（送信装置）は、各端末（ユーザ）向けの信号に設定される変調方式（つまり、変調多値数：modulation order）に応じて当該端末に割り当てられるリソースにＰＴ−ＲＳ伝送領域（ＰＴ−ＲＳシンボル）を配置するか否かを決定してもよい。
【０１９２】
また、基地局４０１（送信装置）は、各端末（ユーザ）向けの信号に設定される変調方式（つまり、変調多値数：modulation order）に応じて、当該端末に割り当てられるリソースにおいて、ＰＴ−ＲＳ伝送領域（ＰＴ−ＲＳシンボル）を配置するフレームを変更してもよいし、フレーム中のリソースにおけるＰＴ−ＲＳ伝送領域（ＰＴ−ＲＳシンボル）の挿入頻度、挿入個数、挿入規則、挿入方法を変更してもよい。例えば、基地局４０１は、端末向けの信号に設定される変調多値数が閾値（例えば、閾値を１６と設定する）以上の場合に当該端末に割り当てられるリソースにＰＴ−ＲＳ伝送領域（ＰＴ−ＲＳシンボル）を配置し、変調多値数が閾値未満の場合に当該端末に割り当てられるリソースにＰＴ−ＲＳ伝送領域（ＰＴ−ＲＳシンボル）を配置しない。例えば、基地局４０１は、ある端末向けに１６ＱＡＭで変調信号を送信する。このとき、基地局４０１は、ＰＴ−ＲＳ伝送領域（ＰＴ−ＲＳシンボル）を送信する。一方、基地局４０１は、ある端末向けにＱＰＳＫで変調信号を送信ものとする。このとき、基地局４０１は、ＰＴ−ＲＳ伝送領域（ＰＴ−ＲＳシンボル）を送信しない。なお、閾値は、１６に限ったものではなく、他の値でもよい。
【０１９３】
具体的には、基地局４０１は、端末に対するデータシンボルの変調方式がＢＰＳＫ（又はπ／２シフトＢＰＳＫ）、ＱＰＳＫ（π／４シフトＱＰＳＫ）等の変調多値数が少ない場合には当該端末に対するＰＴ−ＲＳ伝送領域（ＰＴ−ＲＳシンボル）を配置せずに、変調多値数が多い場合に当該端末に対するＰＴ−ＲＳ伝送領域（ＰＴ−ＲＳシンボル）を配置してもよい。
【０１９４】
図１４、図１５を用いて別の例を説明する。例えば、基地局４０１が、ある端末（例えば、ユーザ＃２）に１６ＱＡＭで変調信号を送信する。このとき、例えば、図１４、図１５のように、ユーザ＃２用伝送領域である１２キャリアのうち、２キャリアを用いてＰＴ−ＲＳ伝送領域（ＰＴ−ＲＳシンボル）を送信する。また、基地局４０１が、ある端末（例えば、ユーザ＃１）にＱＰＳＫで変調信号を送信する。このとき、基地局４０１は、例えば、図１４、図１５のように、ユーザ＃１用伝送領域である１２キャリアのうち、１キャリア（キャリア１からキャリア１２を用いたとき、キャリア４のみＰＴ−ＲＳ伝送領域（ＰＴ−ＲＳシンボル）を配置する）を用いてＰＴ−ＲＳ伝送領域（ＰＴ−ＲＳシンボル）を送信する。また、基地局４０１が、ある端末（例えば、ユーザ＃３）にＢＰＳＫで変調信号を送信する。このとき、基地局４０１は、例えば、図１４、図１５の１２キャリアにはＰＴ−ＲＳ伝送領域（ＰＴ−ＲＳシンボル）を配置しない（例えば、キャリア２５からキャリア３６を用いたとき、キャリア２５からキャリア３６にはＰＴ−ＲＳ伝送領域（ＰＴ−ＲＳシンボル）が存在しない）。
【０１９５】
なお、この例では、変調方式により、１２キャリア中に存在するＰＴ−ＲＳ伝送領域（ＰＴ−ＲＳシンボル）の数を変更しているが、ＰＴ−ＲＳ伝送領域（ＰＴ−ＲＳシンボル）の挿入頻度を変更する方法は、これに限ったものではない。例えば、ＰＴ−ＲＳ伝送領域（ＰＴ−ＲＳシンボル）を、図７、図８では、時間軸に対し、連続に配置する例を記載しているが、変調方式により、時間的にＰＴ−ＴＳ伝送領域（ＰＴ−ＲＳシンボル）の挿入する頻度を切り替えるとしてもよい。
【０１９６】
例えば、図１６、図１７に示すように、ある端末（例えば、ユーザ＃１）に送信する変調信号の変調方式が１６ＱＡＭのとき、ＰＴ−ＲＳ伝送領域（ＰＴ−ＲＳシンボル）を時間的に連続に配置し、ある端末（例えば、ユーザ＃２）に送信する変調信号の変調方式がＱＰＳＫのときＰＴ−ＲＳ伝送領域（ＰＴ−ＲＳシンボル）を時間的に２シンボル毎に配置し、ある端末（例えば、ユーザ＃３）に送信する変調信号の変調方式がＢＰＳＫのときＰＴ−ＲＳ伝送領域（ＰＴ−ＲＳシンボル）を時間的に５シンボル毎に配置するというようにしてもよい。また、変調方式によって、時間的、かつ、周波数的にＰＴ−ＲＳ伝送領域（ＰＴ−ＲＳシンボル）の挿入頻度を切り替えるとしてもよい。また、変調方式により、ＰＴ−ＲＳ伝送領域（ＰＴ−ＲＳシンボル）のフレームへの挿入規則を切り替えるとよい。なお、挿入規則には、ＰＴ−ＲＳ伝送領域（ＰＴ−ＲＳシンボル）を挿入しない場合を含んでいてもよい。
【０１９７】
一般的に、変調多値数が多いほど、位相雑音の影響が大きくなる傾向がある。すなわち、変調多値数が多い場合には、ＰＴ−ＲＳ伝送領域（ＰＴ−ＲＳシンボル）を配置することにより端末での位相雑音による受信性能劣化の影響を低減することができる。一方、変調多値数が少ない場合には、位相雑音の影響が小さくなるので、ＰＴ−ＲＳ伝送領域（ＰＴ−ＲＳシンボル）が配置されない、または、ＰＴ−ＲＳ伝送領域（ＰＴ−ＲＳシンボル）の挿入頻度を少なくしても、位相雑音による性能劣化の影響が小さく、かつ、ＰＴ−ＲＳ伝送領域（ＰＴ−ＲＳシンボル）が挿入されない、または、少ない分、データ伝送領域（データシンボル）が増加するので、データの伝送効率を向上させることができる。
【０１９８】
例えば、ＬＴＥ（Long Term Evolution）等の通信システムでは、基地局４０１は、ユーザー（端末）に対し、基地局４０１が送信する変調信号で使用するＭＣＳ（Modulation and Coding Scheme）の情報を送信する。このとき、基地局４０１は、ユーザに対するＭＣＳに示される変調多値数（modulatio order）（または、変調方式）を読み取り（ユーザーに対するＭＣＳに示されている変調多値数（または、変調方式）に基づいて）、当該ユーザに対してＰＴ−ＲＳ伝送領域（ＰＴ−ＲＳシンボル）を配置（挿入）するか否かを決定する、または、当該ユーザに対するＰＴ−ＲＳ伝送領域（ＰＴ−ＲＳシンボル）の例えば、フレームに対する挿入頻度、または、挿入規則を決定してもよい。詳細には、基地局４０１は、ＭＣＳ（つまり、変調多値数（または、変調方式）と符号化率の組み合わせ（伝送速度））そのものではなく、ＭＣＳに含まれる変調多値数（または、変調方式）に基づいてＰＴ−ＲＳ伝送領域（ＰＴ−ＲＳシンボル）の配置の有無を判定する。または、基地局４０１は、ＭＣＳ（つまり、変調多値数（または、変調方式）と符号化率の組み合わせ（伝送速度））そのものではなく、ＭＣＳに含まれる変調多値数（または、変調方式）に基づいてＰＴ−ＲＳ伝送領域（ＰＴ−ＲＳシンボル）の、例えば、フレームに対する挿入頻度、または、挿入規則を決定する。なお、「フレームに対する挿入頻度、または、挿入規則」には、「ＰＴ−ＲＳ伝送領域（ＰＴ−ＲＳシンボル）を挿入しない場合」を含んでいてもよい。
【０１９９】
また、以下で説明するようなことが発生してもよい。例えば、基地局４０１が、ユーザ（端末）に送信する変調信号の変調方式として、６４ＱＡＭ（Quadrature Amplitude Modulation）および６４ＡＰＳＫ（Amplitude Phase Shift Keying）が選択可能であるものとする。このとき、基地局４０１は、例えば、ＭＣＳに含まれる変調方式の情報により、ＰＴ−ＲＳ伝送領域（ＰＴ−ＲＳシンボル）のフレームに対する挿入頻度、または、挿入規則を決定することになるが、基地局４０１が、６４ＱＡＭを選択したときのＰＴ−ＲＳ伝送領域（ＰＴ−ＲＳシンボル）のフレームに対する挿入頻度（挿入規則）と６４ＡＰＳＫを選択したときのＰＴ−ＲＳ伝送領域（ＰＴ−ＲＳシンボル）のフレームに対する挿入頻度（挿入規則）が異なっていてもよい。また、基地局４０１が、６４ＱＡＭを選択したときのＰＴ−ＲＳ伝送領域（ＰＴ−ＲＳシンボル）のフレームに対する挿入頻度（挿入規則）と６４ＡＰＳＫを選択したときのＰＴ−ＲＳ伝送領域（ＰＴ−ＲＳシンボル）のフレームに対する挿入頻度（挿入規則）が異なっていてもよい。なお、挿入頻度、挿入規則のなかにＰＴ−ＲＳ伝送領域（ＰＴ−ＲＳシンボル）を挿入しない場合を含んでいてもよい。
【０２００】
また、基地局４０１が、ユーザ（端末）に送信する変調信号の変調方式として、（uniform）６４ＱＡＭおよびＮＵ（Non-Uniform）６４ＱＡＭが選択可能である。このとき、基地局４０１は、例えば、ＭＣＳに含まれる変調方式の情報により、ＰＴ−ＲＳ伝送領域（ＰＴ−ＲＳシンボル）のフレームに対する挿入頻度、または、挿入規則を決定することになるが、基地局４０１が、６４ＱＡＭを選択したときのＰＴ−ＲＳ伝送領域（ＰＴ−ＲＳシンボル）のフレームに対する挿入頻度（挿入規則）とＮＵ−６４ＱＡＭを選択したときのＰＴ−ＲＳ伝送領域（ＰＴ−ＲＳシンボル）のフレームに対する挿入頻度（挿入規則）が異なっていてもよい。なお、挿入頻度、挿入規則のなかにＰＴ−ＲＳ伝送領域（ＰＴ−ＲＳシンボル）を挿入しない場合を含んでいてもよい。以上は例であり、別の表現をすると以下のようになる。基地局４０１が、ユーザ（端末）に送信する変調信号の変調方式として、同相Ｉ−直交Ｑ平面にＮ（Ｎは２以上の整数とする）個の信号点をもつ第１の変調方式と第２の変調方式が選択可能である。したがって、第１の変調方式の変調多値数はＮ、第２の変調方式の変調多値数もＮとなるが、第１の変調方式の同相Ｉ−直交Ｑ平面における信号点配置と第２の変調方式の同相Ｉ−直交Ｑ平面における信号点配置は異なる。このとき、基地局４０１は、例えば、ＭＣＳに含まれる変調方式の情報により、ＰＴ−ＲＳ伝送領域（ＰＴ−ＲＳシンボル）のフレームに対する挿入頻度、または、挿入規則を決定することになるが、基地局４０１が、第１の変調方式を選択したときのＰＴ−ＲＳ伝送領域（ＰＴ−ＲＳシンボル）のフレームに対する挿入頻度（挿入規則）と第２の変調方式を選択したときのＰＴ−ＲＳ伝送領域（ＰＴ−ＲＳシンボル）のフレームに対する挿入頻度（挿入規則）が異なっていてもよい。なお、挿入頻度、挿入規則のなかにＰＴ−ＲＳ伝送領域（ＰＴ−ＲＳシンボル）を挿入しない場合を含んでいてもよい。
【０２０１】
例えば、ＭＣＳのインデックスが大きい順に伝送速度が速い場合、各ＭＣＳでの変調多値数と符号化率との組み合わせによっては、変調多値数が少ないＭＣＳのインデックスが、変調多値数が多いＭＣＳのインデックスよりも大きくなることもある。よって、仮に、ＭＣＳ（インデックス）に応じてＰＴ−ＲＳ伝送領域（ＰＴ−ＲＳシンボル）の配置の有無が判定されると、変調多値数が多いＭＣＳでＰＴ−ＲＳ伝送領域が配置され、変調多値数が少ないＭＣＳでＰＴ−ＲＳ伝送領域が配置されない状況も発生し得る。よって、ＭＣＳに応じてＰＴ−ＲＳ伝送領域の配置の有無を判定するのでは、位相雑音の推定精度を向上させる必要がある状況においてＰＴ−ＲＳ伝送領域が配置されない可能性もあり、端末の受信性能が劣化してしまう場合も生じる。
【０２０２】
これに対して、変形例２では、基地局４０１は、ＭＣＳに含まれる変調多値数、および／または、信号点配置に基づいてＰＴ−ＲＳ伝送領域の配置の有無を判定する、または、ＰＴ−ＲＳ伝送領域の挿入頻度、挿入規則を決定することにより、変調多値数、および／または、信号点配置、または、変調方式に依存する可能性のある位相雑音の影響を考慮して、ＰＴ−ＲＳ伝送領域の要否、挿入頻度、挿入規則を適切に判断することができるので、端末での受信性能の劣化を抑えることができる。
【０２０３】
（変形例３）
基地局４０１は、端末からのフィードバック情報に基づいてＰＴ−ＲＳ伝送領域（ＰＴ−ＲＳシンボル）の挿入の有無、挿入頻度、挿入規則を切り替えてもよい。
【０２０４】
例えば、位相雑音の主な要因となり得る発振器は、基地局と比較して、端末の方が安価で性能が低いことが考えられる。よって、位相雑音の発生は、基地局の発振器よりも端末の発振器に起因する可能性が高い。
【０２０５】
そこで、端末がデータの復調結果をモニタし、端末から基地局４０１へＰＴ−ＲＳ伝送領域（ＰＴ−ＲＳシンボル）の配置が必要であるか否か、または、挿入頻度、挿入規則を示す情報をフィードバックしてもよい。そして、基地局４０１は、位相雑音の影響が大きい端末に対してＰＴ−ＲＳ伝送領域（ＰＴ−ＲＳシンボル）を配置し、位相雑音の影響が小さい端末に対してＰＴ−ＲＳ伝送領域（ＰＴ−ＲＳシンボル）を配置しない、または、位相雑音の影響が大きい端末に対してＰＴ−ＲＳ伝送領域（ＰＴ−ＲＳシンボル）を密に挿入し、位相雑音の影響が小さい端末に対してＰＴ−ＲＳ伝送領域（ＰＴ−ＲＳシンボル）を疎に挿入する。
【０２０６】
これにより、位相雑音の影響が大きい端末では、ＰＴ−ＲＳ伝送領域（ＰＴ−ＲＳシンボル）を用いて位相雑音を推定し、位相雑音の影響を低減することができる。一方、位相雑音の影響が小さい端末では、ＰＴ−ＲＳ伝送領域（ＰＴ−ＲＳシンボル）が挿入されない、または、挿入頻度が疎な分、データ伝送領域（データシンボル）が増加するので、データの伝送効率を向上させることができる。
【０２０７】
（変形例４）
ＤＭＲＳ、データ及びＰＴ−ＲＳのプリコーディングは、各端末（受信装置）に対してそれぞれ設定される。よって、上述したように、ある端末が、他の端末のＰＴ−ＲＳを用いて位相雑音を推定する際、端末間のプリコーディングが異なることが問題となる。つまり、端末は、他の端末に対するプリコーディングが異なる場合、他の端末のＰＴ−ＲＳをそのまま使用することができないという問題がある。
【０２０８】
そこで、変形例４では、この問題を解決するために、各端末に対するＰＴ−ＲＳシンボルを周波数領域で隣接させる。
【０２０９】
図１８は、上記実施の形態で説明した図７の変調信号１０８＿Ａのフレーム構成の変形例を示し、図１９は、上記実施の形態で説明した図８の変調信号１０８＿Ｂのフレーム構成の変形例を示す。
【０２１０】
図１８及び図１９において、図７及び図８と異なる点は、各ユーザに対するＰＴ−ＲＳ伝送領域５０３，６０３のＰＴ−ＲＳシンボルが、各ユーザが用いる伝送領域（リソース）の最も高い周波数（キャリア）及び最も低い周波数（キャリア）に配置される点である。つまり、基地局４０１は、端末に割り当てられるリソースの最も高い周波数及び最も低い周波数にＰＴ−ＲＳ伝送領域（ＰＴ−ＲＳシンボル）を配置する。
【０２１１】
これにより、ユーザ割当によっては、ＰＴ−ＲＳ伝送領域５０３，６０３が連続した２キャリアに配置される。例えば、図１８及び図１９では、（キャリア１２とキャリア１３）、（キャリア２４とキャリア２５）において、異なるユーザに対するＰＴ−ＲＳシンボルが隣接する周波数（キャリア）に配置されている。
【０２１２】
このように、連続したキャリアに配置されるＰＴ−ＲＳ伝送領域が存在すると、端末（受信装置）はキャリア間干渉（ＩＣＩ：Inter-Carrier Interference）の推定を容易に行うことができる。なお、端末が連続したキャリアに配置されたＰＴ−ＲＳ伝送領域を用いてＩＣＩを推定する際、ユーザ＃１用の伝送領域で用いるプリコーディング行列と、ユーザ＃２の伝送領域で用いるプリコーディング行列と、ユーザ＃３の伝送領域で用いるプリコーディング行列とが同一であってもよく、異なってもよい。
【０２１３】
さらに、ユーザ＃１用の伝送領域で用いるプリコーディング行列と、ユーザ＃２の伝送領域で用いるプリコーディング行列と、ユーザ＃３の伝送領域で用いるプリコーディング行列とが異なる場合でも、各端末は、他のユーザのＤＭ−ＲＳ伝送領域のＤＭ−ＲＳシンボルを用いて位相雑音を推定することができる。
【０２１４】
例えば、図１８及び図１９において、ユーザ＃２の端末（受信装置）は、ユーザ＃２の伝送領域内のキャリア１３及びキャリア２４のＤＭ−ＲＳ伝送領域を用いて、位相雑音を推定することができる。さらに、ユーザ＃２の端末は、位相雑音を推定するために、ユーザ＃１用の伝送領域内のキャリア１２のＤＭ−ＲＳ伝送領域、及び、ユーザ＃３用の伝送領域内のキャリア２５のＤＭ−ＲＳ伝送領域を用いて、位相雑音を推定することができる。
【０２１５】
ここで、ユーザ＃２用の伝送領域であるキャリア１３とユーザ＃１用の伝送領域のキャリア１２とは隣接しており、キャリア１３及びキャリア１２のチャネル変動は、ほぼ等しいとみなすことができる。これにより、ユーザ＃２の端末は、ユーザ＃１用の伝送領域内のキャリア１２のＤＭ−ＲＳ伝送領域と、ユーザ＃２用伝送領域内のキャリア１３のＤＭ−ＲＳ伝送領域とを用いて、ユーザ＃１用の伝送領域で使用しているプリコーディング行列を推定することができる。
【０２１６】
詳細には、端末においてＤＭ−ＲＳ伝送領域を用いて推定される受信信号レベルは、当該ＤＭ−ＲＳ伝送領域のチャネル特性と、当該ＤＭ−ＲＳ伝送領域で使用されるプリコーディング行列とから定まる。よって、ユーザ＃２の端末は、ユーザ＃２の伝送領域で使用しているプリコーディング行列を把握しているので、ユーザ＃２の伝送領域内のキャリア１３のＤＭ−ＲＳ伝送領域で測定される受信信号レベルから、キャリア１３のチャネル変動（チャネル特性）を推定することができる。そして、推定したキャリア１３のチャネル特性とキャリア１２のチャネル特性とは同等であると見なせるので、ユーザ＃２の端末は、キャリア１２のＤＭ−ＲＳ伝送領域で測定される受信信号レベルから、ユーザ＃１の伝送領域で使用されるプリコーディング行列を推定することができる。
【０２１７】
このように、ユーザ＃２の端末は、ユーザ＃１用の伝送領域であるキャリア１２のＤＭ−ＲＳ伝送領域を用いて、ユーザ＃１の伝送領域で使用されるプリコーディング行列を推定することで、ユーザ＃１の伝送領域内のキャリア１２のＰＴ−ＲＳ伝送領域を用いて位相雑音を推定することができる。よって、ユーザ＃２の端末は、ユーザ＃２とユーザ＃１との間で使用するプリコーディングが異なる場合でも、ユーザ＃２のＰＴ−ＲＳに加えて、ユーザ＃１のＰＴ−ＲＳを使用して位相推定を行うことができ、位相推定精度を向上させることができる。
【０２１８】
さらに、上述したように、端末は、隣接するキャリアを用いることで、キャリア間干渉を容易に推定することができる。
【０２１９】
同様に、ユーザ＃２用の伝送領域であるキャリア２４とユーザ＃３用の伝送領域キャリア２５とは隣接しており、キャリア２４及びキャリア２５のチャネル変動は、ほぼ等しいとみなすことができる。これにより、ユーザ＃２の端末は、ユーザ＃２用の伝送領域内のキャリア２４のＤＭ−ＲＳ伝送領域と、ユーザ＃３用の伝送領域内のキャリア２５のＤＭ−ＲＳ伝送領域とを用いて、ユーザ＃３用の伝送領域で使用しているプリコーディング行列を推定することができる。よって、ユーザ＃２の端末は、ユーザ＃２とユーザ＃３との間で使用するプリコーディングが異なる場合でも、ユーザ＃２のＰＴ−ＲＳに加えて、ユーザ＃３のＰＴ−ＲＳを使用して位相推定を行うことができ、位相推定精度を向上させることができる。さらに、上述したように、端末は、隣接するキャリアを用いることで、キャリア間干渉を容易に推定することができる。
【０２２０】
なお、図７及び図８のように、ＰＴ−ＲＳ伝送領域が配置されるキャリアは、各ユーザ用に対して２キャリアに限ったものではなく、各ユーザに対して１キャリア以上でＰＴ−ＲＳ伝送領域が配置されれば、同様に実施することができる。また、あるユーザ用に対して、ＰＴ−ＲＳ伝送領域が配置されない場合があってもよい。
【０２２１】
（変形例５）
変形例５では、基地局４０１（送信装置）は、ユーザ割り当てが無いリソース領域（リソースブロック）にＰＴ−ＲＳ伝送領域を配置する。これにより、基地局４０１の通信相手である各端末（受信装置）は、ユーザ割り当てが無い領域内に存在するＰＴ−ＲＳ伝送領域を位相雑音推定に用いることができる。よって、各端末の位相雑音の推定精度を向上させ、データの受信品質を向上させることができる。
【０２２２】
以下、変形例５におけるフレーム構成の一例として、第１の例から第４の例について説明する。
【０２２３】
＜第１の例＞
図２０は、上記実施の形態で説明した図７の変調信号１０８＿Ａのフレーム構成の変形例を示し、図２１は、上記実施の形態で説明した図８の変調信号１０８＿Ｂのフレーム構成の変形例を示す。
【０２２４】
図２０及び図２１において、図７及び図８と異なる点は、ユーザ用のデータ伝送領域が割り当てられていない未使用の時間・周波数領域が存在している点、及び、未使用の時間・周波数領域にＰＴ−ＲＳ伝送領域５０３，６０３及びＤＭ−ＲＳ伝送領域５０１，６０１が配置される点である。
【０２２５】
例えば、ユーザ＃２の端末（受信装置）は、ユーザ＃２宛のＰＴ−ＲＳ伝送領域、つまり、図２０、図２１に示すキャリア１６及びキャリア２１のＰＴ−ＲＳ伝送領域５０３，６０３を位相雑音推定に用いる。さらに、ユーザ＃２の端末は、自機宛てのＰＴ−ＲＳ伝送領域に加え、未使用の時間・周波数領域に挿入されている少なくともＰＴ−ＲＳ伝送領域（ＤＭ−ＲＳ伝送領域を用いてもよい）、つまり、図２０、図２１に示すキャリア２８及びキャリア３３のＰＴ−ＲＳ伝送領域５０３，６０３（ＤＭ−ＲＳ伝送領域５０１，６０１を用いてもよい））を位相雑音推定に用いてもよい。これにより、ユーザ＃２の端末は、位相雑音の推定精度を向上させることができ、データの受信品質を向上させることができる。
【０２２６】
また、ユーザ＃１用の伝送領域及びユーザ＃２の伝送領域と同様、図２０及び図２１に示すキャリア２８及びキャリア３３の時刻＄１に、ＤＭ−ＲＳ伝送領域５０１，６０１が配置される。こうすることで、ユーザ＃２（又はユーザ＃１）の端末は、キャリア２８及びキャリア３３のＤＭ−ＲＳ伝送領域５０１，６０１を用いてチャネル推定を行うことができる。これにより、ユーザ＃２（又はユーザ＃１）の端末は、チャネル推定精度を向上させることができ、データの受信品質を向上させることができる。
【０２２７】
なお、ＰＴ−ＲＳ伝送領域が配置されるキャリアは、図２０、図２１のように各ユーザ用に対して２キャリアに限ったものではなく、各ユーザに対して１キャリア以上にＰＴ−ＲＳ伝送領域が配置されれば、同様に実施することができる。また、あるユーザ用に対してＰＴ−ＲＳ伝送領域が配置されない場合があってもよい。
【０２２８】
また、ユーザ割り当てが行われていない未使用の時間・周波数領域に配置されるＰＴ−ＲＳ伝送領域は、２キャリアに限ったものではなく、１キャリア以上にＰＴ−ＲＳ伝送領域が配置されれば、同様に実施することができる。また、ユーザ割り当てが行われていない未使用の時間・周波数領域に配置されるＤＭ−ＲＳ伝送領域の構成は、図２０、図２１に限ったものではなく、時間＄１に２つ以上配置されてもよい。
【０２２９】
なお、図２０、図２１では、ＰＴ−ＲＳ伝送領域を配置しているキャリア２８及びキャリア３３にＤＭ−ＲＳ伝送領域が配置されている。このようにすると、端末においてＰＴ−ＲＳ伝送領域を位相雑音推定に用いるのが容易となるという利点がある。
【０２３０】
例えば、ユーザ＃１用の伝送領域で使用されるプリコーディングと、ユーザ＃２用の伝送領域で使用されるプリコーディング行列とが同じであるとし、そのプリコーディング行列をＦｃと表す。
【０２３１】
このとき、図２０、図２１のキャリア２８及びキャリア３３のＰＴ−ＲＳ伝送領域（及びＤＭ−ＲＳ伝送領域）では、プリコーディング行列Ｆｃが用いられることが１つの好適な方法となる。例えば、ユーザ＃２の端末は、自機宛に送信された伝送領域で使用されているプリコーディング行列と、キャリア２８及びキャリア３３で使用されているプリコーディング行列とが同一のため、キャリア２８及びキャリア３３のＰＴ−ＲＳ伝送領域（及び、ＤＭ−ＲＳ伝送領域）を、位相雑音の推定に容易に用いることができるという利点がある。
【０２３２】
もう１つの好適な方法として、図２０、図２１のキャリア２８及びキャリア３３のＰＴ−ＲＳ伝送領域（及びＤＭ−ＲＳ伝送領域）では、プリコーディングを行わない、又は、プリコーディング行列Ｆｘを次式（３０）又は（３１）とする。
【数３０】
2018163657.tif 000032
または、
【数３１】
2018163657.tif 000033
【０２３３】
なお、ｃは０以外の実数とする。
【０２３４】
これにより、例えば、ユーザ＃２の端末は、キャリア２８及びキャリア３３で使用されているプリコーディング行列が容易に分かり、キャリア２８及びキャリア３３のＰＴ−ＲＳ伝送領域（及び、ＤＭ−ＲＳ伝送領域）を、位相雑音推定に容易に用いることができるという利点がある。また、基地局４０１（送信装置）は、キャリア２８及びキャリア３３ではプリコーディング行列による複素数演算を行わなくてよいため、演算量を削減することができるという利点がある。ただし、図２０、図２１のキャリア２８及びキャリア３３のＰＴ−ＲＳ伝送領域（及びＤＭ−ＲＳ伝送領域）におけるプリコーディング方法（使用するプリコーディング行列）は上記例に限ったものではない。
【０２３５】
次に、図２０、図２１において、プリコーディング行列がユーザ毎に設定される場合について説明する。この場合、図２０、図２１において、ユーザ割り当てが行われていない未使用の時間・周波数領域に配置されているＰＴ−ＲＳ伝送領域（及びＤＭ−ＲＳ伝送領域）の好適なプリコーディング行列として、式（３０）、式（３１）が挙げられる。ただし、ＰＴ−ＲＳ伝送領域（及びＤＭ−ＲＳ伝送領域）におけるプリコーディング方法（使用するプリコーディング行列）は上記例に限ったものではない。
【０２３６】
これにより、例えば、ユーザ＃２の端末は、キャリア２８及びキャリア３３で使用されているプリコーディング行列が容易に分かり、キャリア２８及びキャリア３３のＰＴ−ＲＳ伝送領域（及び、ＤＭ−ＲＳ伝送領域）を、位相雑音推定に容易に用いることができるという利点がある。また、基地局４０１は、キャリア２８及びキャリア３３ではプリコーディング行列による複素数演算を行わなくてもよいため、演算量を削減することができるという利点がある。
【０２３７】
ただし、ユーザ割り当てが行われていない未使用の時間・周波数領域に配置されている、例えば、キャリア２８及びキャリア３３のＰＴ−ＲＳ伝送領域（及び、ＤＭ−ＲＳ伝送領域）で使用するプリコーディング行列は上記の例に限ったものではない。
【０２３８】
＜第２の例＞
図２２は、上記実施の形態で説明した図７の変調信号１０８＿Ａのフレーム構成の変形例を示し、図２３は、上記実施の形態で説明した図８の変調信号１０８＿Ｂのフレーム構成の変形例を示す。
【０２３９】
図２２及び図２３において、図７及び図８と異なる点は、第１の例（図２０、図２１）と同様、ユーザ用のデータ伝送領域が割り当てられていない未使用の時間・周波数領域が存在している点、及び、未使用の時間・周波数領域にＰＴ−ＲＳ伝送領域５０３，６０３及びＤＭ−ＲＳ伝送領域５０１，６０１が配置される点である。
【０２４０】
また、図２２及び図２３では、変形例４（図１８、図１９）と同様、各ユーザ用の伝送領域又は未使用の領域の最も低い周波数及び最も高い周波数にＰＴ−ＲＳ伝送領域（及びＤＭ−ＲＳ伝送領域）が配置され、ＰＴ−ＲＳシンボルが周波数領域で隣接する。
【０２４１】
これにより、変形例４と同様、位相推定精度を向上させ、さらに、キャリア間干渉を容易に推定することができる。
【０２４２】
また、ユーザ割り当てが行われていない未使用の時間・周波数領域に配置されるＰＴ−ＲＳ伝送領域、ＤＭ−ＲＳ伝送領域の構成方法、各伝送領域で使用されるプリコーディング行列の構成方法、及び、その利点については、第１の例で説明した通りであるので、説明を省略する。
【０２４３】
＜第３の例＞
図２４は、上記実施の形態で説明した図７の変調信号１０８＿Ａのフレーム構成の変形例を示し、図２５は、上記実施の形態で説明した図８の変調信号１０８＿Ｂのフレーム構成の変形例を示す。
【０２４４】
図２４及び図２５では、第１の例（図２０、図２１）と同様、ユーザ用のデータ伝送領域が割り当てられていない未使用の時間・周波数領域が存在し、未使用の時間・周波数領域にＰＴ−ＲＳ伝送領域５０３，６０３が配置される。図２４及び図２５において特徴的な点は、ユーザ＃１用の伝送領域及びユーザ＃２の伝送領域においてＤＭ−ＲＳ伝送領域５０１，６０１が配置されている時刻＄１において、ユーザ割り当てが行われていない未使用の時間・周波数領域にＰＴ−ＲＳ伝送領域が配置されている点である。
【０２４５】
例えば、ユーザ＃２の端末は、ユーザ＃２宛のＰＴ−ＲＳ伝送領域、つまり、図２４、図２５に示すキャリア１６及びキャリア２１のＰＴ−ＲＳ伝送領域５０３，６０３を位相雑音推定に用いる。さらに、ユーザ＃２の端末は、自機宛てのＰＴ−ＲＳ伝送領域に加え、未使用の時間・周波数領域に挿入されている少なくともＰＴ−ＲＳ伝送領域、つまり、図２４、図２５に示すキャリア２８及びキャリア３３のＰＴ−ＲＳ伝送領域５０３，６０３を位相雑音推定に用いてもよい。これにより、ユーザ＃２の端末は、位相雑音の推定精度を向上させることができ、データの受信品質が向上させることができる。
【０２４６】
また、図２４、図２５に示すキャリア２８及びキャリア３３の時刻＄１に、ＰＴ−ＲＳ伝送領域５０３，６０３が配置されることで、ユーザ＃２（及びユーザ＃１）の端末は、キャリア２８及びキャリア３３のＰＴ−ＲＳ伝送領域を用いて、チャネル推定及び／又は位相雑音推定を行うことができる。これにより、歪み（例えば、チャネル変動、位相雑音の影響）の推定精度を向上させることができ、データの受信品質を向上させることができる。
【０２４７】
また、図２４、図２５に示すキャリア２８及びキャリア３３の時刻＄１に、ＤＭ−ＲＳ伝送領域を設けていないため、ユーザ＃２（及びユーザ＃１）の端末は、ＤＭ−ＲＳ伝送領域用のプリコーディング行列を意識する必要が無い。つまり、ユーザ＃２（及びユーザ＃１）の端末は、ＰＴ−ＲＳ伝送領域用のプリコーディング行列のみを考慮すればよい。このため、歪み（例えば、チャネル変動、位相雑音の影響）の推定を簡素化できるという利点がある。
【０２４８】
なお、ＰＴ−ＲＳ伝送領域が配置されるキャリアは、図２４、図２５のように各ユーザ用に対して２キャリアに限ったものではなく、各ユーザに対して１キャリア以上にＰＴ−ＲＳ伝送領域が配置されれば、同様に実施することができる。また、あるユーザ用に対してＰＴ−ＲＳ伝送領域が配置されない場合があってもよい。
【０２４９】
また、ユーザ割り当てが行われていない未使用の時間・周波数領域に配置されるＰＴ−ＲＳ伝送領域は、２キャリアに限ったものではなく、１キャリア以上にＰＴ−ＲＳ伝送領域が配置されれば、同様に実施することができる。
【０２５０】
ここで、例えば、ユーザ＃１用の伝送領域で使用されるプリコーディングと、ユーザ＃２用の伝送領域で使用されるプリコーディング行列とが同じであるとし、そのプリコーディング行列をＦｃと表す。
【０２５１】
このとき、図２４、図２５のキャリア２８及びキャリア３３のＰＴ−ＲＳ伝送領域では、プリコーディング行列としてＦｃが用いられることが１つの好適な方法となる。例えば、ユーザ＃２の端末は、自機宛に送信された伝送領域で使用されているプリコーディング行列と、キャリア２８及びキャリア３３で使用されているプリコーディング行列とが同一のため、キャリア２８及びキャリア３３のＰＴ−ＲＳ伝送領域を、位相雑音の推定（及び、チャネル推定）に容易に用いることができるという利点がある。
【０２５２】
もう１つの好適な方法として、図２４、図２５のキャリア２８及びキャリア３３のＰＴ−ＲＳ伝送領域では、プリコーディングを行わない、又は、プリコーディング行列Ｆｘを式（３０）又は（３１）とする。
【０２５３】
これにより、例えば、ユーザ＃２の端末は、キャリア２８及びキャリア３３で使用されているプリコーディング行列が容易に分かり、キャリア２８及びキャリア３３のＰＴ−ＲＳ伝送領域を、位相雑音推定（及び、チャネル推定）に容易に用いることができるという利点がある。また、基地局４０１は、キャリア２８及びキャリア３３ではプリコーディング行列による複素数演算を行わなくてもよいため、演算量を削減することができるという利点がある。
【０２５４】
次に、図２４、図２５において、プリコーディング行列がユーザ毎に設定される場合について説明する。この場合、図２４、図２５において、ユーザ割り当てが行われていない未使用の時間・周波数領域に配置されているＰＴ−ＲＳ伝送領域の好適なプリコーディング行列として、式（３０）、式（３１）が挙げられる。
【０２５５】
これにより、例えば、ユーザ＃２の端末は、キャリア２８及びキャリア３３で使用されているプリコーディング行列が容易に分かり、キャリア２８及びキャリア３３のＰＴ−ＲＳ伝送領域を、位相雑音推定（及び、チャネル推定）に容易に用いることができるという利点がある。また、基地局４０１は、キャリア２８及びキャリア３３ではプリコーディング行列による複素数演算を行わなくてもよいため、演算量を削減することができるという利点がある。
【０２５６】
ただし、ユーザ割り当てが行われていない未使用の時間・周波数領域に配置されている、例えば、キャリア２８及びキャリア３３のＰＴ−ＲＳ伝送領域で使用するプリコーディング行列は上記の例に限ったものではない。
【０２５７】
＜第４の例＞
図２６は、上記実施の形態で説明した図７の変調信号１０８＿Ａのフレーム構成の変形例を示し、図２７は、上記実施の形態で説明した図８の変調信号１０８＿Ｂのフレーム構成の変形例を示す。
【０２５８】
図２６及び図２７では、第３の例（図２４、図２５）と同様、ユーザ用のデータ伝送領域が割り当てられていない未使用の時間・周波数領域が存在し、未使用の時間・周波数領域にＰＴ−ＲＳ伝送領域５０３，６０３が配置される。図２６及び図２７において特徴的な点は、第３の例と同様、ユーザ＃１用の伝送領域及びユーザ＃２の伝送領域においてＤＭ−ＲＳ伝送領域５０１，６０１が配置されている時刻＄１において、ユーザ割り当てが行われていない未使用の時間・周波数領域にＰＴ−ＲＳ伝送領域が配置されている点である。
【０２５９】
また、図２６及び図２７では、変形例４（図１８、図１９）と同様、各ユーザ用の伝送領域又は未使用の領域の最も低い周波数及び最も高い周波数にＰＴ−ＲＳ伝送領域（及びＤＭ−ＲＳ伝送領域）が配置され、ＰＴ−ＲＳシンボルが周波数領域で隣接する。
【０２６０】
これにより、変形例４と同様、位相推定精度を向上させ、さらに、キャリア間干渉を容易に推定することができる。
【０２６１】
また、ユーザ割り当てが行われていない未使用の時間・周波数領域に配置されるＰＴ−ＲＳ伝送領域、ＤＭ−ＲＳ伝送領域の構成方法、各伝送領域で使用されるプリコーディング行列の構成方法、及び、その利点については、第３の例で説明した通りであるので、説明を省略する。
【０２６２】
（変形例６）
図５Ａに示すＰＴ−ＲＳシンボル、及び、図５Ｂに示すＰＴ−ＲＳシンボルの何れかがnon-zeroパワーのシンボルであってもよい。つまり、図５Ａに示すＰＴ−ＲＳシンボル、及び、図５Ｂに示すＰＴ−ＲＳシンボルの何れかが存在しない（zeroパワー）ことになる。また、図５Ａには、ＰＴ−ＲＳシンボルが存在し、図５ＢにＰＴ−ＲＳシンボルが存在しないとしてもよい。
【０２６３】
具体的には、図５Ａに示すＰＴ−ＲＳシンボルが配置された時間・周波数領域（つまり、non-zeroパワー）と同一の時間・周波数領域において、図５Ｂではzeroパワーとする。または、図５Ｂに示すＰＴ−ＲＳシンボルが配置された時間・周波数領域（つまり、non-zeroパワー）と同一の時間・周波数領域において、図５Ａではzeroパワーとする。
【０２６４】
また、図５Ａ、図５Ｂに、ＰＴ−ＲＳシンボルとzeroパワーのシンボルが存在していてもよい。例えば、図５Ａのキャリアｋ，４、時刻＄２にＰＴ−ＲＳシンボルが存在し、キャリアｋ，４、時刻＄３にzeroパワーのシンボルが存在し、キャリアｋ，４、時刻＄４にＰＴ−ＲＳシンボルが存在し、キャリアｋ，４、時刻＄５にzeroパワーのシンボルが存在する、・・・、とする。そして、図５Ａのキャリアｋ，１０、時刻＄２にＰＴ−ＲＳシンボルが存在し、キャリアｋ，１０、時刻＄３にzeroパワーのシンボルが存在し、キャリアｋ，１０、時刻＄４にＰＴ−ＲＳシンボルが存在し、キャリアｋ，１０、時刻＄５にzeroパワーのシンボルが存在する、・・・、とする。
【０２６５】
また、図５Ｂのキャリアｋ，４、時刻２にzeroパワーのシンボルが存在し、キャリアｋ，４、時刻＄３にＰＴ−ＲＳシンボルが存在し、キャリアｋ，４、時刻＄４にzeroパワーのシンボルが存在し、キャリアｋ，４、時刻＄５にＰＴ−ＲＳシンボルが存在し、・・・、とする。そして、図５Ｂのキャリアｋ，１０、時刻２にzeroパワーのシンボルが存在し、キャリアｋ，１０、時刻＄３にＰＴ−ＲＳシンボルが存在し、キャリアｋ，１０、時刻＄４にzeroパワーのシンボルが存在し、キャリアｋ，１０、時刻＄５にＰＴ−ＲＳシンボルが存在し、・・・、とする。
【０２６６】
ただし、上記２つの例は、あくまでも例であり、ＰＴ−ＲＳシンボルとzeroパワーのシンボルの配置は、これに限ったものではない。
【０２６７】
また、上記の変形方法として、図７に示すＰＴ−ＲＳ伝送領域、及び、図８に示すＰＴ−ＲＳシンボルの何れかがnon-zeroパワーであってもよい。つまり、図７に示すＰＴ−ＲＳ伝送領域、及び、図８に示すＰＴ−ＲＳ伝送領域の何れかが存在しない（zeroパワー）ことになる。また、図７には、ＰＴ−ＲＳ伝送領域が存在し、図８にＰＴ−ＲＳ伝送領域が存在しないとしてもよい。
【０２６８】
具体的には、図７に示すＰＴ−ＲＳ伝送領域が配置された時間・周波数領域（つまり、non-zeroパワー）と同一の時間・周波数領域において、図８ではnon-zeroパワーとする。または、図８に示すＰＴ−ＲＳ伝送領域が配置された時間・周波数領域（つまり、non-zeroパワー）と同一の時間・周波数領域において、図７ではnon-zeroパワーとする。
【０２６９】
また、図７、図８に、ＰＴ−ＲＳ伝送領域とzeroパワーのシンボルが存在していてもよい。例えば、ユーザ＃１に着目し、図７のキャリア４、時刻＄２にＰＴ−ＲＳ伝送領域が存在し、キャリア４、時刻＄３にzeroパワーの伝送領域が存在し、キャリア４、時刻＄４にＰＴ−ＲＳ伝送領域が存在し、キャリア４、時刻＄５にzeroパワーの伝送領域シンボルが存在する、・・・、とする。そして、図７のキャリア１０、時刻＄２にＰＴ−ＲＳ伝送領域が存在し、キャリア１０、時刻＄３にzeroパワーの伝送領域が存在し、キャリア１０、時刻＄４にＰＴ−ＲＳ伝送領域が存在し、キャリア１０、時刻＄５にzeroパワーの伝送領域が存在する、・・・、とする。
【０２７０】
また、図８のキャリア４、時刻２にzeroパワーの伝送領域が存在し、キャリア４、時刻＄３にＰＴ−ＲＳ伝送領域が存在し、キャリア４、時刻＄４にzeroパワーの伝送領域が存在し、キャリア４、時刻＄５にＰＴ−ＲＳ伝送領域が存在し、・・・、とする。そして、図８のキャリア１０、時刻２にzeroパワーの伝送領域が存在し、キャリア１０、時刻＄３にＰＴ−ＲＳ伝送領域が存在し、キャリア１０、時刻＄４にzeroパワーの伝送領域が存在し、キャリア１０、時刻＄５にＰＴ−ＲＳ伝送領域が存在し、・・・、とする。
【０２７１】
ただし、上記２つの例は、あくまでも例であり、ＰＴ−ＲＳ伝送領域とzeroパワーの伝送領域の配置は、これに限ったものではない。
【０２７２】
以上のような構成であっても、端末は、変調信号における位相雑音の影響を推定することが可能であり、本明細書の各実施の形態を実施することは可能である。
【０２７３】
（変形例７）
上記実施の形態では、ＭＩＭＯ伝送（複数ストリームを例えば複数アンテナを用いて送信する）について説明したが、伝送方式はＭＩＭＯ伝送に限ったものではない。
【０２７４】
例えば、基地局４０１（図３に示す送信装置）は、シングルストリームの送信方式を適用してもよい。
【０２７５】
この場合、例えば、図４に示すユーザ＃ｋ変調信号生成部１０４＿ｋにおいて、マッピング部２０５の出力であるマッピング後のベースバンド信号２０６＿１（ストリーム＃Ｘ１）及びマッピング後のベースバンド信号２０６＿２（ストリーム＃Ｘ２）は、同一のストリームである。
【０２７６】
この点について、例を説明する。
【０２７７】
例えば、マッピング後のベースバンド信号２０６＿１とマッピング後のベースバンド信号２０６＿２が同じ変調信号であってもよい。
【０２７８】
また、別の例として、基地局４０１は、マッピング後のベースバンド信号２０６＿１により、第１のビット列を伝送している場合、マッピング後のべースバンド信号２０６＿２においても第１のビット列を伝送する。
【０２７９】
別の例として、マッピング後のベースバンド信号２０６＿１において、第１のビット列を伝送する第１シンボルが存在するものとする。このとき、マッピング後のベースバンド信号２０６＿２に、第１ビット列を伝送するシンボルが存在する。
【０２８０】
そして、同一ストリームであるベースバンド信号２０６＿１，２０６＿２が異なるアンテナ部＃Ａ（１１１＿Ａ），アンテナ部＃Ｂ（１１１＿Ｂ）から送信されてもよいし、ベースバンド信号２０６＿１，２０６＿２が複数のアンテナから送信されてもよい。
【０２８１】
又は、例えば、図４に示すユーザ＃ｋ変調信号生成部１０４＿ｋにおいて、マッピング部２０５から、ベースバンド信号２０６＿１（ストリーム＃Ｘ１）のみが出力され、処理部２０７から変調信号２０８＿Ａが出力され、変調信号２０８＿Ａが１つのアンテナ部＃Ａ（１１１＿Ａ）から送信されてもよい。つまり、マッピング部２０５及び処理部２０７は、１つのアンテナ系統の構成（例えば、多重部１０７、無線部１０９、アンテナ部１１１）に対応する変調信号を出力することで、シングルストリームのシングルアンテナ送信が実行される。なお、この際、処理部２０７ではプリコーディングが行われない。
【０２８２】
又は、例えば、図４に示すユーザ＃ｋ変調信号生成部１０４＿ｋにおいて、マッピング部２０５から、ベースバンド信号２０６＿１（ストリーム＃Ｘ１）のみが出力され、処理部２０７でＣＤＤ（Cyclic Delay Diversity）（またはＣＳＤ：Cyclic Shift Diversity）のための信号処理が施された変調信号２０８＿Ａ，２０８＿Ｂが出力され、変調信号２０８＿Ａ，２０８＿Ｂが２つのアンテナ部＃Ａ（１１１＿Ａ），アンテナ部＃Ｂ（１１１＿Ｂ）からそれぞれ送信されてもよい。つまり、処理部２０７は、マッピング部２０５から出力される１つのベースバンド信号に対して２つのアンテナ系統の構成（例えば、多重部１０７、無線部１０９、アンテナ部１１１）にそれぞれ対応する変調信号を出力することで、シングルストリームのマルチアンテナ送信が実行される。
【０２８３】
上記のようにシングルストリームの変調信号を基地局が送信した場合についても、本実施の形態で説明した各実施例と同様の効果を得ることができる。例えば、図５Ａ、図５Ｂのフレーム構成のうち、図５Ａのフレーム構成のシングルストリームの変調信号を生成し、本実施の形態の上述の説明を実施してもよい。
【０２８４】
また、図７のフレーム構成のシングルストリームの変調信号を、基地局が送信してもよい。そして、図７、図８のフレーム構成のシングルストリームの変調信号を、基地局が各アンテナから送信してもよい。このとき、図７のフレーム構成、図８のフレーム構成の生成方法は上述で説明したとおりである。図７、および／または、図８を用い、上述で説明した実施例を実施してもよい。
【０２８５】
また、図１８のフレーム構成のシングルストリームの変調信号を、基地局が送信してもよい。そして、図１８、図１９のフレーム構成のシングルストリームの変調信号を、基地局が各アンテナから送信してもよい。このとき、図１８のフレーム構成、図１９のフレーム構成の生成方法は上述で説明したとおりである。図１８、および／または、図１９を用い、上述で説明した実施例を実施してもよい。
【０２８６】
図２０のフレーム構成のシングルストリームの変調信号を、基地局が送信してもよい。そして、図２０、図２１のフレーム構成のシングルストリームの変調信号を、基地局が各アンテナから送信してもよい。このとき、図２０のフレーム構成、図２１のフレーム構成の生成方法は上述で説明したとおりである。図２０、および／または、図２１を用い、上述で説明した実施例を実施してもよい。
【０２８７】
図２２のフレーム構成のシングルストリームの変調信号を、基地局が送信してもよい。そして、図２２、図２３のフレーム構成のシングルストリームの変調信号を、基地局が各アンテナから送信してもよい。このとき、図２２のフレーム構成、図２３のフレーム構成の生成方法は上述で説明したとおりである。図２２、および／または、図２３を用い、上述で説明した実施例を実施してもよい。
【０２８８】
図２４のフレーム構成のシングルストリームの変調信号を、基地局が送信してもよい。そして、図２４、図２５のフレーム構成のシングルストリームの変調信号を、基地局が各アンテナから送信してもよい。このとき、図２４のフレーム構成、図２５のフレーム構成の生成方法は上述で説明したとおりである。図２４、および／または、図２５を用い、上述で説明した実施例を実施してもよい。
【０２８９】
図２６のフレーム構成のシングルストリームの変調信号を、基地局が送信してもよい。そして、図２６、図２７のフレーム構成のシングルストリームの変調信号を、基地局が各アンテナから送信してもよい。このとき、図２６のフレーム構成、図２７のフレーム構成の生成方法は上述で説明したとおりである。図２６、および／または、図２７を用い、上述で説明した実施例を実施してもよい。
【０２９０】
（変形例８）
また、基地局４０１は、シンボル番号ｉにおけるマッピング後のベースバンド信号２０６＿１（ストリーム＃Ｘ１）、シンボル番号ｉにおけるマッピング後のベースバンド信号２０６＿２（ストリーム＃Ｘ２）により、異なるデータを伝送してもよいし、同一のデータを伝送してもよい。
【０２９１】
例えば、基地局４０１は、シンボル番号ｉにおけるマッピング後のベースバンド信号２０６＿１（ストリーム＃Ｘ１）において、ｂ０の１ビットのデータを伝送し、シンボル番号ｉにおけるマッピング後のベースバンド信号２０６＿２（ストリーム＃Ｘ２）において、ｂ０の１ビットのデータを伝送してもよい。
【０２９２】
また、基地局４０１は、シンボル番号ｉにおけるマッピング後のベースバンド信号２０６＿１（ストリーム＃Ｘ１）において、ｂ０の１ビットのデータを伝送し、シンボル番号ｉにおけるマッピング後のベースバンド信号２０６＿２（ストリーム＃Ｘ２）において、ｂ０と異なるｂ１の１ビットのデータを伝送してもよい。
【０２９３】
したがって、基地局４０１は、ユーザごとに、「複数ストリームの複数の変調信号を送信する」、および、「シングルストリームの変調信号を送信する」を設定してもよい。よって、フレームでは、「複数ストリームの複数の変調信号を送信する」と「シングルストリームの変調信号を送信する」が混在していてもよい。
【０２９４】
また、上記を実現するにあたって、基地局（図３の送信装置）において、誤り訂正符号化部２０３を１つ以上備え、マッピング部２０５についても１つ以上備えてもよい。
【０２９５】
（変形例９）
本実施の形態において、ＭＩＭＯ伝送（複数ストリームを例えば複数アンテナを用いて送信する）における、ＰＴ−ＲＳ伝送領域（ＰＴ−ＲＳシンボル）、ＤＭＲＳ伝送領域（ＤＭ−ＲＳシンボル）、データ伝送領域（データシンボル）を、２つの変調信号（２つのストリーム）を、２つのアンテナで、例えば基地局が送信する場合について説明したが、２つの変調信号を１つのアンテナ、または、３つのアンテナで送信するような構成であってもよく、また、端末は、１つのアンテナ、または、２つのアンテナ、または、３つのアンテナを用いて変調信号を受信するような場合についても、本実施の形態を実施することは可能である。
【０２９６】
また、本実施の形態において、ＭＩＭＯ伝送（複数ストリームを例えば複数アンテナを用いて送信する）における、ＰＴ−ＲＳ伝送領域（ＰＴ−ＲＳシンボル）、ＤＭＲＳ伝送領域（ＤＭ−ＲＳシンボル）、データ伝送領域（データシンボル）を、２つの変調信号（２つのストリーム）を、２つのアンテナで、例えば基地局が送信する場合について説明したが、３つ以上の変調信号（３つ以上のストリーム）を、複数アンテナで、例えば基地局が送信する場合であっても、本実施の形態で説明したフレーム構成を３つ以上用意し、基地局は、変調信号を生成し、送信することで同様に実施することが可能である。このとき、端末は、１つのアンテナ、または、２つのアンテナ、または、３つのアンテナを用いて変調信号を受信するようなにすることで、同様に実施することが可能である。
【０２９７】
（実施の形態２）
本実施の形態では、ＤＦＴ−ｓ−ＯＦＤＭ（Discrete Fourier Transform spread Orthogonal Frequency Division Multiplexing）伝送におけるＰＴ−ＲＳの送信方法について説明する。
【０２９８】
［送信装置の構成］
図２８は、本実施の形態に係る送信装置の構成例を示すブロック図である。図２８に示す送信装置は、例えば、端末などである。
【０２９９】
図２８において、誤り訂正符号化部Ｂ１０４は、データＢ１０１及び制御信号Ｂ１００を入力とする。誤り訂正符号化部Ｂ１０４は、制御信号Ｂ１００に含まれる誤り訂正符号化方式（例えば、誤り訂正符号化方法、誤り訂正符号のブロックサイズ、誤り訂正符号の符号化率等）の情報に基づいて、データＢ１００に対して誤り訂正符号化を施し、誤り訂正符号化後のデータＢ１０５を生成し、出力する。
【０３００】
変調信号生成部Ｂ１０６は、誤り訂正符号化後のデータＢ１０５及び制御信号Ｂ１００を入力とする。変調信号生成部Ｂ１０６は、制御信号Ｂ１００に含まれる変調方式の情報に基づいて、誤り訂正符号化後のデータＢ１０５に対してマッピング（変調）を行い、ストリーム＃１のベースバンド信号Ｂ１０７＿１、及び、ストリーム＃２のベースバンド信号Ｂ１０７＿２を出力する。
【０３０１】
処理部Ｂ１０８は、ストリーム＃１のベースバンド信号Ｂ１０７＿１、ストリーム＃２のベースバンド信号Ｂ１０７＿２、ＤＭ−ＲＳ（Ｂ１０２）、ＰＴ−ＲＳ（Ｂ１０３）、及び、制御信号Ｂ１００を入力とする。処理部Ｂ１０８は、制御信号Ｂ１００に含まれるフレーム構成の情報、プリコーディングに関する情報、送信パワーの情報、ＣＤＤ（ＣＳＤ）に関する情報等に基づいて、所定の処理（例えば、プリコーディング、送信パワー変更、ＣＤＤ（ＣＳＤ）等の処理）を行い、変調信号Ａ（Ｂ１０９＿Ａ）及び変調信号Ｂ（Ｂ１０９＿Ｂ）を生成し、出力する。
【０３０２】
なお、処理部Ｂ１０８は、プリコーディング処理の際、プリコーディング処理で使用するプリコーディング（行列）を複数シンボル単位で切り替えてもよく、プリコーディング処理で使用するプリコーディング（行列）をシンボル単位で切り替えるプリコーディングサイクリングの処理を行ってもよい。
【０３０３】
離散フーリエ変換部Ｂ１１０＿Ａは、変調信号Ａ（Ｂ１０９＿Ａ）及び制御信号Ｂ１００を入力とする。離散フーリエ変換部Ｂ１１０＿Ａは、制御信号Ｂ１００に基づいて、変調信号Ａ（Ｂ１０９＿Ａ）に対して離散フーリエ変換処理を施し、離散フーリエ変換後の信号群Ｂ１１１＿Ａを生成し、出力する。
【０３０４】
同様に、離散フーリエ変換部Ｂ１１０＿Ｂは、変調信号Ｂ（Ｂ１０９＿Ｂ）及び制御信号Ｂ１００を入力とする。離散フーリエ変換部Ｂ１１０＿Ｂは、制御信号Ｂ１００に基づいて、変調信号Ｂ（Ｂ１０９＿Ｂ）に対して、離散フーリエ変換処理を施し、離散フーリエ変換後の信号群Ｂ１１１＿Ｂを生成し、出力する。
【０３０５】
サブキャリアマッピング部Ｂ１１３＿Ａは、離散フーリエ変換後の信号群Ｂ１１１＿Ａ、ゼロ信号群Ｂ１１２＿Ａ、及び制御信号Ｂ１００を入力とする。サブキャリアマッピング部Ｂ１１３＿Ａは、制御信号Ｂ１００に基づいて、離散フーリエ変換後の信号群Ｂ１１１＿Ａ、及び、ゼロ信号群Ｂ１１２＿Ａをサブキャリアへマッピングし、サブキャリアマッピング後の信号群Ｂ１１４＿Ａを生成し、出力する。
【０３０６】
同様に、サブキャリアマッピング部Ｂ１１３＿Ｂは、離散フーリエ変換後の信号群Ｂ１１１＿Ｂ、ゼロ信号群Ｂ１１２＿Ｂ、及び制御信号Ｂ１００を入力とする。サブキャリアマッピング部Ｂ１１３＿Ｂは、制御信号Ｂ１００に基づいて、離散フーリエ変換後の信号群Ｂ１１１＿Ｂ、及び、ゼロ信号群Ｂ１１２＿Ｂをサブキャリアへマッピングし、サブキャリアマッピング後の信号群Ｂ１１４＿Ｂを生成し、出力する。
【０３０７】
逆（高速）フーリエ変換部（又は、逆離散フーリエ変換部）Ｂ１１５＿Ａは、サブキャリアマッピング後の信号群Ｂ１１４＿Ａ及び制御信号Ｂ１００を入力とする。逆（高速）フーリエ変換部Ｂ１１５＿Ａは、制御信号Ｂ１００に基づいて、サブキャリアマッピング後の信号群Ｂ１１４＿Ａに対して逆（高速）フーリエ変換（逆離散フーリエ変換）を施し、逆フーリエ変換後の信号Ｂ１１６＿Ａを生成し、出力する。
【０３０８】
同様に、逆（高速）フーリエ変換部（又は、逆離散フーリエ変換部）Ｂ１１５＿Ｂは、サブキャリアマッピング後の信号群Ｂ１１４＿Ｂ及び制御信号Ｂ１００を入力とする。逆（高速）フーリエ変換部Ｂ１１５＿Ｂは、制御信号Ｂ１００に基づいて、サブキャリアマッピング後の信号群Ｂ１１４＿Ｂに対して逆（高速）フーリエ変換（逆離散フーリエ変換）を施し、逆フーリエ変換後の信号Ｂ１１６＿Ｂを生成し、出力する。
【０３０９】
サイクリックプレフィックス付加部Ｂ１１７＿Ａは、逆フーリエ変換後の信号Ｂ１１６＿Ａ、及び制御信号Ｂ１００を入力とする。サイクリックプレフィックス付加部Ｂ１１７＿Ａは、制御信号Ｂ１００に基づいて、逆フーリエ変換後の信号Ｂ１１６＿Ａに対して、サイクリックプレフィックス（ＣＰ：Cyclic Prefix）を付加し、サイクリックプレフィックス付加後の信号Ｂ１１８＿Ａを生成し、出力する。
【０３１０】
同様に、サイクリックプレフィックス付加部Ｂ１１７＿Ｂは、逆フーリエ変換後の信号Ｂ１１６＿Ｂ、及び制御信号Ｂ１００を入力とする。サイクリックプレフィックス付加部Ｂ１１７＿Ｂは、制御信号Ｂ１００に基づいて、逆フーリエ変換後の信号Ｂ１１６＿Ｂに対して、サイクリックプレフィックス（ＣＰ）を付加し、サイクリックプレフィックス付加後の信号Ｂ１１８＿Ｂを生成し、出力する。
【０３１１】
無線部Ｂ１１９＿Ａは、サイクリックプレフィックス付加後の信号Ｂ１１８＿Ａ、及び制御信号Ｂ１００を入力とする。無線部Ｂ１１９＿Ａは、制御信号Ｂ１００に基づいて、サイクリックプレフィックス付加後の信号Ｂ１１８＿Ａに対して無線関連の処理を行い、送信信号Ａ（Ｂ１２０＿Ａ）を生成する。送信信号Ａ（Ｂ１２０＿Ａ）は、アンテナ部＃Ａ（Ｂ１２１＿Ａ）から電波として出力される。
【０３１２】
同様に、無線部Ｂ１１９＿Ｂは、サイクリックプレフィックス付加後の信号Ｂ１１８＿Ｂ、及び制御信号Ｂ１００を入力とする。無線部Ｂ１１９＿Ｂは、制御信号Ｂ１００に基づいて、サイクリックプレフィックス付加後の信号Ｂ１１８＿Ｂに対して無線関連の処理を行い、送信信号Ｂ（Ｂ１２０＿Ｂ）を生成する。送信信号Ｂ（Ｂ１２０＿Ｂ）は、アンテナ部＃Ｂ（Ｂ１２１＿Ｂ）から電波として出力される。
【０３１３】
アンテナ部＃Ａ（Ｂ１２１＿Ａ）は、制御信号Ｂ１００を入力としている。アンテナ部＃Ａ（Ｂ１２１＿Ａ）は、制御信号Ｂ１００に従って送信指向性制御を行ってもよい。また、アンテナ部＃Ａ（Ｂ１２１＿Ａ）の入力として制御信号Ｂ１００が無くてもよい。同様に、アンテナ部＃Ｂ（Ｂ１２１＿Ｂ）は、制御信号Ｂ１００を入力としている。アンテナ部＃Ｂ（Ｂ１２１＿Ｂ）は、制御信号Ｂ１００に従って送信指向性制御を行ってもよい。また、アンテナ部＃Ｂ（Ｂ１２１＿Ｂ）の入力として制御信号Ｂ１００が無くてもよい。
【０３１４】
［ストリームのフレーム構成］
図２９（Ａ）及び図２９（Ｂ）は、図２８のストリーム＃１のベースバンド信号Ｂ１０７＿１及びストリーム＃２のベースバンド信号Ｂ１０７＿２のフレーム構成例を示す。図２９（Ａ）、図２９（Ｂ）において、横軸は時間である。
【０３１５】
また、図２９（Ａ）、図２９（Ｂ）において、「ＤＦＴ−ｓ−ＯＦＤＭシンボル」は、ＤＦＴ（離散フーリエ変換）  ｓｐｒｅａｄ  ＯＦＤＭシンボルを示す。ＤＦＴ−ｓ−ＯＦＤＭシンボルは、データシンボル、ＤＭ−ＲＳシンボル又はＰＴ−ＲＳシンボルで構成される。
【０３１６】
図２９（Ａ）は、ストリーム＃１のフレーム構成の一例を示す。図２９（Ａ）において、ＤＦＴ−ｓ−ＯＦＤＭシンボルＢ２０１＿１＿１は、図２８に示す送信装置（端末）が第１時間に送信するストリーム＃１のＤＦＴ−ｓ−ＯＦＤＭシンボルである。ＤＦＴ−ｓ−ＯＦＤＭシンボルＢ２０１＿１＿２は、送信装置が第２時間に送信するストリーム＃１のＤＦＴ−ｓ−ＯＦＤＭシンボルである。ＤＦＴ−ｓ−ＯＦＤＭシンボルＢ２０１＿１＿３は、送信装置が第３時間に送信するストリーム＃１のＤＦＴ−ｓ−ＯＦＤＭシンボルである。
【０３１７】
なお、ここでは、１スロットについて考える。したがって、ＤＦＴ−ｓ−ＯＦＤＭシンボルＢ２０１＿１＿ｋは、送信装置が１スロット内の第ｋ時間に送信するストリーム＃１のＤＦＴ−ｓ−ＯＦＤＭシンボルである。ｋは、例えば、１以上７以下の整数とする。
【０３１８】
ＤＦＴ−ｓ−ＯＦＤＭシンボルＢ２０１＿１＿１、Ｂ２０１＿１＿２、Ｂ２０１＿１＿３、・・・、Ｂ２０１＿１＿７は、ストリーム＃１のデータシンボル、ストリーム＃１のＤＭ−ＲＳシンボル、又は、ストリーム＃２のＰＴ−ＲＳシンボルで構成される。このとき、ストリーム＃１のデータシンボルは、図２８のストリーム＃１のベースバンド信号Ｂ１０７＿１に相当する。また、ストリーム＃１のＤＭ−ＲＳシンボル及びストリーム＃１のＰＴ−ＲＳシンボルは、図２８のストリーム＃１のベースバンド信号Ｂ１０７＿１（データシンボル）に付加されるストリーム＃１のＤＭ−ＲＳシンボル及びストリーム＃１のＰＴ−ＲＳシンボルに相当する。
【０３１９】
図２９（Ｂ）は、ストリーム＃２のフレーム構成の一例を示す。図２９（Ｂ）において、ＤＦＴ−ｓ−ＯＦＤＭシンボルＢ２０１＿２＿１は、図２８に示す送信装置が第１時間に送信するストリーム＃２のＤＦＴ−ｓ−ＯＦＤＭシンボルである。ＤＦＴ−ｓ−ＯＦＤＭシンボルＢ２０１＿２＿２は、送信装置が第２時間に送信するストリーム＃２のＤＦＴ−ｓ−ＯＦＤＭシンボルである。ＤＦＴ−ｓ−ＯＦＤＭシンボルＢ２０１＿２＿３は、送信装置が第３時間に送信するストリーム＃２のＤＦＴ−ｓ−ＯＦＤＭシンボルである。
【０３２０】
なお、ここでは、１スロットについて考える。したがって、ＤＦＴ−ｓ−ＯＦＤＭシンボルＢ２０１＿２＿ｋは、送信装置が１スロット内の第ｋ時間に送信するストリーム＃２のＤＦＴ−ｓ−ＯＦＤＭシンボルである。ｋは、例えば、１以上７以下の整数とする。
【０３２１】
ＤＦＴ−ｓ−ＯＦＤＭシンボルＢ２０１＿２＿１、Ｂ２０１＿２＿２、Ｂ２０１＿２＿３、・・・、Ｂ２０１＿２＿７は、ストリーム＃２のデータシンボル、ストリーム＃２のＤＭ−ＲＳシンボル、又は、ストリーム＃２のＰＴ−ＲＳシンボルで構成される。このとき、ストリーム＃２のデータシンボルは、図２８のストリーム＃２のベースバンド信号Ｂ１０７＿２に相当する。また、ストリーム＃２のＤＭ−ＲＳシンボル及びストリーム＃２のＰＴ−ＲＳシンボルは、図２８のストリーム＃２のベースバンド信号Ｂ１０７＿２（データシンボル）に付加されるストリーム＃２のＤＭ−ＲＳシンボル及びストリーム＃２のＰＴ−ＴＳシンボルに相当する。
【０３２２】
なお、図２８のＤＭ−ＲＳ（Ｂ１０２）は、ストリーム＃１のＤＭ−ＲＳシンボル、及び、ストリーム＃２のＤＭ−ＲＳシンボルを含んでいる。また。図２８のＰＴ−ＲＳ（Ｂ１０３）は、ストリーム＃１のＰＴ−ＲＳシンボル、及び、ストリーム＃２のＰＴ−ＲＳシンボルを含んでいる。
【０３２３】
また、図２９（Ａ）のＤＦＴ−ｓ−ＯＦＤＭシンボルＢ２０１＿１＿１及び図２９（Ｂ）のＤＦＴ−ｓ−ＯＦＤＭシンボルＢ２０１＿２＿１は、第１時間（同一時間）の同一周波数を用いて、送信装置から複数のアンテナ（アンテナ部＃Ａ及びアンテナ部＃Ｂ）を用いて送信される。同様に、図２９（Ａ）のＤＦＴ−ｓ−ＯＦＤＭシンボルＢ２０１＿１＿２及び図２９（Ｂ）のＤＦＴ−ｓ−ＯＦＤＭシンボルＢ２０１＿２＿２は、第２時間（同一時間）の同一周波数を用いて、送信装置から複数のアンテナ（アンテナ部＃Ａ及びアンテナ部＃Ｂ）を用いて送信される。また、図２９（Ａ）のＤＦＴ−ｓ−ＯＦＤＭシンボルＢ２０１＿１＿３及び図２９（Ｂ）のＤＦＴ−ｓ−ＯＦＤＭシンボルＢ２０１＿２＿３は、第３時間（同一時間）の同一周波数を用いて、送信装置から複数のアンテナ（アンテナ部＃Ａ及びアンテナ部＃Ｂ）を用いて送信される。以下、同様にして、ＤＦＴ−ｓ−ＯＦＤＭシンボルＢ２０１＿１＿７及びＤＦＴ−ｓ−ＯＦＤＭシンボルＢ２０１＿２＿７は、第７時間（同一時間）の同一周波数を用いて、送信装置から複数のアンテナ（アンテナ部＃Ａ及びアンテナ部＃Ｂ）を用いて送信される（図示せず）。
【０３２４】
［変調信号のフレーム構成］
図３０（Ａ）及び図３０Ｂは、変調信号Ａ（Ｂ１０９＿Ａ）及び変調信号Ｂ（Ｂ１０９＿Ｂ）のフレーム構成例を示す。図３０（Ａ）、図３０Ｂにおいて、横軸は時間である。
【０３２５】
図３０（Ａ）、図３０（Ｂ）において、「ＤＦＴ−ｓ−ＯＦＤＭ伝送領域」は、ＤＦＴ  ｓｐｒｅａｄ  ＯＦＤＭの伝送領域である。
【０３２６】
図３０（Ａ）のＤＦＴ−ｓ−ＯＦＤＭ伝送領域は、図２８の変調信号Ａ（Ｂ１０９＿Ａ）を示し、図３０（Ｂ）のＤＦＴ−ｓ−ＯＦＤＭ伝送領域は、図２８の変調信号Ｂ（Ｂ１０９＿Ｂ）を示す。
【０３２７】
図３０（Ａ）のＤＦＴ−ｓ−ＯＦＤＭ伝送領域Ｂ３０１＿１＿１は、図２８の処理部Ｂ１０８において、図２９（Ａ）のＤＦＴ−ｓ−ＯＦＤＭシンボルＢ２０１＿１＿１及び図２９（Ｂ）のＤＦＴ−ｓ−ＯＦＤＭシンボルＢ２０１＿２＿１に対して処理を行うことで得られた信号である。ＤＦＴ−ｓ−ＯＦＤＭ伝送領域Ｂ３０１＿１＿１は、図２８の送信装置（端末）から第１時間に送信される。
【０３２８】
図３０（Ａ）のＤＦＴ−ｓ−ＯＦＤＭ伝送領域Ｂ３０１＿１＿２は、図２８の処理部Ｂ１０８において、図２９（Ａ）のＤＦＴ−ｓ−ＯＦＤＭシンボルＢ２０１＿１＿２及び図２９（Ｂ）のＤＦＴ−ｓ−ＯＦＤＭシンボルＢ２０１＿２＿２に対して処理を行うことで得られた信号である。ＤＦＴ−ｓ−ＯＦＤＭ伝送領域Ｂ３０１＿１＿２は、送信装置から第２時間に送信される。
【０３２９】
図３０（Ａ）のＤＦＴ−ｓ−ＯＦＤＭ伝送領域Ｂ３０１＿１＿３は、図２８の処理部Ｂ１０８において、図２９（Ａ）のＤＦＴ−ｓ−ＯＦＤＭシンボルＢ２０１＿１＿３及び図２９（Ｂ）のＤＦＴ−ｓ−ＯＦＤＭシンボルＢ２０１＿２＿３に対して処理を行うことで得られた信号である。ＤＦＴ−ｓ−ＯＦＤＭ伝送領域Ｂ３０１＿１＿３は、送信装置から第３時間に送信される。
【０３３０】
以下、同様にして、図３０（Ａ）に図示していないが、ＤＦＴ−ｓ−ＯＦＤＭ伝送領域Ｂ３０１＿１＿７は、図２８の処理部Ｂ１０８において、ＤＦＴ−ｓ−ＯＦＤＭシンボルＢ２０１＿１＿７（図２９（Ａ）で図示せず）及びＤＦＴ−ｓ−ＯＦＤＭシンボルＢ２０１＿２＿７（図２９（Ｂ）で図示せず）に対して処理を行うことで得られた信号である。ＤＦＴ−ｓ−ＯＦＤＭ伝送領域Ｂ３０１＿１＿７は、送信装置から第７時間に送信される。
【０３３１】
同様に、図３０（Ｂ）のＤＦＴ−ｓ−ＯＦＤＭ伝送領域Ｂ３０１＿２＿１は、図２８の処理部Ｂ１０８において、図２９（Ａ）のＤＦＴ−ｓ−ＯＦＤＭシンボルＢ２０１＿１＿１及び図２９（Ｂ）のＤＦＴ−ｓ−ＯＦＤＭシンボルＢ２０１＿２＿１に対して処理を行うことで得られた信号である。ＤＦＴ−ｓ−ＯＦＤＭ伝送領域Ｂ３０１＿２＿１は、送信装置から第１時間に送信される。
【０３３２】
図３０（Ｂ）のＤＦＴ−ｓ−ＯＦＤＭ伝送領域Ｂ３０１＿２＿２は、図２８の処理部Ｂ１０８において、図２９（Ａ）のＤＦＴ−ｓ−ＯＦＤＭシンボルＢ２０１＿１＿２及び図２９（Ｂ）のＤＦＴ−ｓ−ＯＦＤＭシンボルＢ２０１＿２＿２に対して処理を行うことで得られた信号である。ＤＦＴ−ｓ−ＯＦＤＭ伝送領域Ｂ３０１＿２＿２は、送信装置から第２時間に送信される。
【０３３３】
図３０（Ｂ）のＤＦＴ−ｓ−ＯＦＤＭ伝送領域Ｂ３０１＿２＿３は、図２８の処理部Ｂ１０８において、図２９（Ａ）のＤＦＴ−ｓ−ＯＦＤＭシンボルＢ２０１＿１＿３及び図２９（Ｂ）のＤＦＴ−ｓ−ＯＦＤＭシンボルＢ２０１＿２＿３に対して処理を行うことで得られた信号である。ＤＦＴ−ｓ−ＯＦＤＭ伝送領域Ｂ３０１＿２＿３は、送信装置から第３時間に送信される。
【０３３４】
以下、同様にして、図３０（Ｂ）に図示していないが、ＤＦＴ−ｓ−ＯＦＤＭ伝送領域Ｂ３０１＿２＿７は、図２８の処理部Ｂ１０８において、ＤＦＴ−ｓ−ＯＦＤＭシンボルＢ２０１＿１＿７（図２９（Ａ）で図示せず）及びＤＦＴ−ｓ−ＯＦＤＭシンボルＢ２０１＿２＿７（図２９で図示せず）に対して処理を行うことで得られた信号である。ＤＦＴ−ｓ−ＯＦＤＭ伝送領域Ｂ３０１＿２＿７は、送信装置から第７時間に送信される。
【０３３５】
したがって、図３０（Ａ）、図３０（Ｂ）のＤＦＴ−ｓ−ＯＦＤＭ伝送領域は、データ伝送領域、ＤＭ−ＲＳ伝送領域、又は、ＰＴ−ＲＳ伝送領域を含んでいる。
【０３３６】
また、図３０（Ａ）のＤＦＴ−ｓ−ＯＦＤＭ伝送領域Ｂ３０１＿１＿１及び図３０（Ｂ）のＤＦＴ−ｓ−ＯＦＤＭ伝送領域Ｂ３０１＿２＿１は、第１時間（同一時間）の同一周波数を用いて、送信装置から複数のアンテナ（アンテナ部＃Ａ及びアンテナ部＃Ｂ）を用いて送信される。同様に、図３０（Ａ）のＤＦＴ−ｓ−ＯＦＤＭ伝送領域Ｂ３０１＿１＿２及び図３０（Ｂ）のＤＦＴ−ｓ−ＯＦＤＭ伝送領域Ｂ３０１＿２＿２は、第２時間（同一時間）の同一周波数を用いて、送信装置から複数のアンテナ（アンテナ部＃Ａ及びアンテナ部＃Ｂ）を用いて送信される。また、図３０（Ａ）のＤＦＴ−ｓ−ＯＦＤＭ伝送領域Ｂ３０１＿１＿３及び図３０（Ｂ）のＤＦＴ−ｓ−ＯＦＤＭ伝送領域Ｂ３０１＿２＿３は、第３時間（同一時間）の同一周波数を用いて、送信装置から複数のアンテナ（アンテナ部＃Ａ及びアンテナ部＃Ｂ）を用いて送信される。以下、同様にして、図３０（Ａ）のＤＦＴ−ｓ−ＯＦＤＭ伝送領域Ｂ３０１＿１＿７及び図３０（Ｂ）のＤＦＴ−ｓ−ＯＦＤＭ伝送領域Ｂ３０１＿２＿７は、第７時間（同一時間）の同一周波数を用いて、送信装置から複数のアンテナ（アンテナ部＃Ａ及びアンテナ部＃Ｂ）を用いて送信される。
【０３３７】
また、図３０（Ａ）、図３０（Ｂ）では「ＣＰ」が付加されている。図２８に示すサイクリックプレフィックス付加部Ｂ１１７＿Ａは、図３０（Ａ）に示すようにＤＦＴ−ｓ−ＯＦＤＭ伝送領域Ｂ３０１＿１＿１の前に「ＣＰ」を付加する。以降、同様に、サイクリックプレフィックス付加部Ｂ１１７＿Ａは、ＤＦＴ−ｓ−ＯＦＤＭ伝送領域Ｂ３０１＿１＿２の前に「ＣＰ」を付加し、ＤＦＴ−ｓ−ＯＦＤＭ伝送領域Ｂ３０１＿１＿３の前に「ＣＰ」を付加し、・・・、ＤＦＴ−ｓ−ＯＦＤＭ伝送領域Ｂ３０１＿１＿７の前に「ＣＰ」を付加する。
【０３３８】
同様に、図２８に示すサイクリックプレフィックス付加部Ｂ１１７＿Ｂは、図３０（Ｂ）に示すようにＤＦＴ−ｓ−ＯＦＤＭ伝送領域Ｂ３０１＿２＿１の前に「ＣＰ」を付加する。以降、同様に、サイクリックプレフィックス付加部Ｂ１１７＿Ｂは、ＤＦＴ−ｓ−ＯＦＤＭ伝送領域Ｂ３０１＿２＿２の前に「ＣＰ」を付加し、ＤＦＴ−ｓ−ＯＦＤＭ伝送領域Ｂ３０１＿２＿３の前に「ＣＰ」を付加し、・・・、ＤＦＴ−ｓ−ＯＦＤＭ伝送領域Ｂ３０１＿２＿７の前に「ＣＰ」を付加する。
【０３３９】
なお、図２９（Ａ）、図２９（Ｂ）のＤＦＴ−ｓ−ＯＦＤＭシンボル及び図３０（Ａ）、図３０（Ｂ）のＤＦＴ−ｓ−ＯＦＤＭ伝送領域における「シンボル」と「伝送領域」との関係については、図５Ａ及び図５Ｂで説明した「シンボル」と図７及び図８で説明した「伝送領域」との関係を用いて説明した通りである。すなわち、図２９（Ａ）の第ｋ時間のＤＦＴ−ｓ−ＯＦＤＭシンボルＢ２０１＿１＿ｋ及び図２９（Ｂ）の第ｋ時間のＤＦＴ−ｓ−ＯＦＤＭシンボルＢ２０１＿２＿ｋから、図３０（Ａ）のＤＦＴ−ｓ−ＯＦＤＭ伝送領域Ｂ３０１＿１＿ｋ及び図３０（Ｂ）のＤＦＴ−ｓ−ＯＦＤＭ伝送領域Ｂ３０１＿２＿ｋが生成される。なお、生成方法については、式（１）から式（２１）などが一例であるが、α１、α２、β１、β２を用いた送信レベルの変更は行われなくてもよい。
【０３４０】
［ＤＭ−ＲＳのフレーム構成］
図３１（Ａ）及び図３１（Ｂ）は、ＤＭ−ＲＳシンボルのフレーム構成例を示す。図３１（Ａ）、図３１（Ｂ）において、横軸は時間である。
【０３４１】
例えば、図２８に示す送信装置（端末）が図２９（Ａ）の第４時間で送信するＤＦＴ−ｓ−ＯＦＤＭシンボルＢ２０１＿１＿４においてＤＭ−ＲＳシンボルが送信される。図３１（Ａ）は、そのときの状態を示しており、ストリーム＃１のＤＭ−ＲＳシンボルＢ４０１＿１は、送信装置が第４時間で送信するＤＦＴ−ｓ−ＯＦＤＭシンボルＢ２０１＿１＿４である。
【０３４２】
同様に、送信装置が図２９（Ｂ）の第４時間で送信するＤＦＴ−ｓ−ＯＦＤＭシンボルＢ２０１＿２＿４においてＤＭ−ＲＳシンボルが送信される。図３１（Ｂ）は、そのときの状態を示しており、ストリーム＃２のＤＭ−ＲＳシンボルＢ４０１＿２は、第４時間に送信装置が送信するＤＦＴ−ｓ−ＯＦＤＭシンボルＢ２０１＿２＿４である。
【０３４３】
図３２（Ａ）及び図３２（Ｂ）は、ＤＭ−ＲＳ伝送領域のフレーム構成例を示す。図３２（Ａ）、図３２（Ｂ）において、横軸は時間である。
【０３４４】
上述の記載から、送信装置が図３０（Ａ）の第４時間で送信するＤＦＴ−ｓ−ＯＦＤＭ伝送領域Ｂ３０１＿１＿４はＤＭ−ＲＳ伝送領域となる。図３２（Ａ）は、そのときの状態を示しており、変調信号ＡのＤＭ−ＲＳ伝送領域Ｂ５０１＿Ａは、第４時間に送信装置が送信するＤＦＴ−ｓ−ＯＦＤＭ伝送領域Ｂ３０１＿１＿４となる。
【０３４５】
同様に、送信装置が図３０（Ｂ）の第４時間で送信するＤＦＴ−ｓ−ＯＦＤＭ伝送領域Ｂ３０１＿２＿４はＤＭ−ＲＳ伝送領域となる。図３２（Ｂ）は、そのときの状態を示しており、変調信号ＢのＤＭ−ＲＳ伝送領域Ｂ５０１＿Ｂは、第４時間に送信装置が送信するＤＦＴ−ｓ−ＯＦＤＭ伝送領域Ｂ３０１＿２＿４となる。
【０３４６】
なお、図３１（Ａ）、図３１（Ｂ）のストリーム＃１のＤＭ−ＲＳシンボル及びストリーム＃２のＤＭ−ＲＳシンボルと、図３２（Ａ）、図３２（Ｂ）の変調信号ＡのＤＭ−ＲＳ伝送領域及び変調信号ＢのＤＭ−ＲＳ伝送領域とにおける「シンボル」と「伝送領域」との関係については、図５Ａ及び図５Ｂで説明した「シンボル」と図７及び図８で説明した「伝送領域」との関係を用いて説明した通りである。すなわち、図３１（Ａ）のストリーム＃１のＤＭ−ＲＳシンボル及び図３１（Ｂ）のストリーム＃２のＤＭ−ＲＳシンボルから、図３２（Ａ）の変調信号ＡのＤＭ−ＲＳ伝送領域及び図３２（Ｂ）の変調信号ＢのＤＭ−ＲＳ伝送領域が生成される。なお、生成方法については、式（１）から式（２１）などが一例であるが、α１、α２、β１、β２を用いた送信レベルの変更は行われなくてもよい。
【０３４７】
［ＤＦＴ−ｓ−ＯＦＤＭシンボル及びＤＦＴ−ｓ−ＯＦＭＤ伝送領域の構成例］
図３３（Ａ）及び図３３（Ｂ）は、第ｋ時間（ただし、ｋ＝１〜３、５〜７）のＤＦＴ−ｓ−ＯＦＭＤシンボルの構成例を示す。図３３（Ａ）、図３３（Ｂ）において、横軸は時間である。
【０３４８】
例えば、図２８に示す送信装置（端末）が図２９（Ａ）の第１時間、第２時間、第３時間、第５時間、第６時間、第７時間（つまり、第４時間を除く時間）で送信するＤＦＴ−ｓ−ＯＦＤＭシンボルＢ２０１＿１＿１、Ｂ２０１＿１＿２、Ｂ２０１＿１＿３、Ｂ２０１＿１＿５、Ｂ２０１＿１＿６、Ｂ２０１＿１＿７では、少なくともデータシンボル及びＰＴ−ＲＳシンボルが送信される。図３３（Ａ）は、そのときの状態を示しており、ＤＦＴ−ｓ−ＯＦＤＭシンボルは、少なくともストリーム＃１のデータシンボルＢ６０１＿１及びストリーム＃１のＰＴ−ＲＳシンボルＢ６０２＿１で構成される。なお、ＤＦＴ−ｓ−ＯＦＤＭシンボルに、ストリーム＃１のデータシンボルＢ６０１＿１及びストリーム＃１のＰＴ−ＲＳシンボルＢ６０２＿１以外のシンボルが含まれてもよい。また、ストリーム＃１のデータシンボルＢ６０１＿１は図２８のストリーム＃１のベースバンド信号Ｂ１０７＿１に相当し、ストリーム＃１のＰＴ−ＲＳシンボルＢ６０２＿１は図２８のＰＴ−ＲＳ（Ｂ１０３）に含まれている。
【０３４９】
同様に、送信装置が図２９（Ｂ）の第１時間、第２時間、第３時間、第５時間、第６時間、第７時間（つまり、第４時間を除く時間）で送信するＤＦＴ−ｓ−ＯＦＤＭシンボルＢ２０１＿２＿１、Ｂ２０１＿２＿２、Ｂ２０１＿２＿３、Ｂ２０１＿２＿５、Ｂ２０１＿２＿６、Ｂ２０１＿２＿７では、少なくともデータシンボル及びＰＴ−ＲＳシンボルが送信される。図３３（Ｂ）は、そのときの状態を示しており、ＤＦＴ−ｓ−ＯＦＤＭシンボルは、少なくともストリーム＃２のデータシンボルＢ６０１＿２及びストリーム＃２のＰＴ−ＲＳシンボルＢ６０２＿２で構成される。なお、ＤＦＴ−ｓ−ＯＦＤＭシンボルに、ストリーム＃２のデータシンボルＢ６０１＿２及びストリーム＃２のＰＴ−ＲＳシンボルＢ６０２＿２以外のシンボルが含まれてもよい。また、ストリーム＃２のデータシンボルＢ６０１＿２は図２８のストリーム＃２のベースバンド信号Ｂ１０７＿２に相当し、ストリーム＃２のＰＴ−ＲＳシンボルＢ６０２＿２は図２８のＰＴ−ＲＳ信号Ｂ１０３に含まれている。
【０３５０】
図３４（Ａ）及び図３４（Ｂ）は、第ｋ時間（ただし、ｋ＝１〜３、５〜７）のＤＦＴ−ｓ−ＯＦＭＤ伝送領域の構成例を示す。図３４（Ａ）、図３４（Ｂ）において、横軸は時間である。
【０３５１】
上述の記載から、送信装置が図３０の第１時間、第２時間、第３時間、第５時間、第６時間、第７時間（つまり、第４時間を除く時間）で送信するＤＦＴ−ｓ−ＯＦＤＭ伝送領域Ｂ３０１＿１＿１、Ｂ３０１＿１＿２、Ｂ３０１＿１＿３、Ｂ３０１＿１＿５、Ｂ３０１＿１＿６、Ｂ３０１＿１＿７は、少なくとも変調信号Ａのデータ伝送領域及び変調信号ＡのＰＴ−ＲＳ伝送領域となる。図３４（Ａ）は、そのときの状態を示しており、少なくとも変調信号Ａのデータ伝送領域Ｂ７０１＿１及び変調信号ＡのＰＴ−ＲＳ伝送領域Ｂ７０２＿１は、第ｋ時間（ｋ＝１、２、３、５、６、７）に送信装置が送信するＤＦＴ−ｓ−ＯＦＤＭ伝送領域Ｂ３０１＿１＿ｋに含まれる。
【０３５２】
同様に、送信装置が図３０（Ｂ）の第１時間、第２時間、第３時間、第５時間、第６時間、第７時間（つまり、第４時間を除く時間）で送信するＤＦＴ−ｓ−ＯＦＤＭ伝送領域Ｂ３０１＿２＿１、Ｂ３０１＿２＿２、Ｂ３０１＿２＿３、Ｂ３０１＿２＿５、Ｂ３０１＿２＿６、Ｂ３０１＿２＿７は、少なくとも変調信号Ｂのデータ伝送領域及び変調信号ＢのＰＴ−ＲＳ伝送領域となる。図３４（Ｂ）は、そのときの状態を示しており、少なくとも変調信号Ｂのデータ伝送領域Ｂ７０１＿２及び変調信号ＢのＰＴ−ＲＳ伝送領域Ｂ７０２＿２は、第ｋ時間（ｋ＝１、２、３、５、６、７）に送信装置が送信するＤＦＴ−ｓ−ＯＦＤＭ伝送領域Ｂ３０１＿２＿ｋに含まれる。
【０３５３】
なお、図３３（Ａ）、図３３（Ｂ）のストリーム＃１のデータシンボルＢ６０１＿１及びストリーム＃２のデータシンボルＢ６０１＿２と、図３４（Ａ）、図３４（Ｂ）の変調信号Ａのデータ伝送領域Ｂ７０１＿１及び変調信号Ｂのデータ伝送領域Ｂ７０１＿２とにおける「シンボル」と「伝送領域」との関係については、図５Ａ及び図５Ｂで説明した「シンボル」と図７及び図８で説明した「伝送領域」との関係を用いて説明した通りである。すなわち、図３３（Ａ）の第ｋ時間のストリーム＃１のデータシンボルＢ６０１＿１と図３３（Ｂ）の第ｋ時間のストリーム＃２のデータシンボルＢ６０１＿２から、図３４（Ａ）の変調信号Ａのデータ伝送領域Ｂ７０１＿１及び図３４（Ｂ）の変調信号Ｂのデータ伝送領域Ｂ７０１＿２が生成される。なお、生成方法については、式（１）から式（２１）などが一例であるが、α１、α２、β１、β２を用いた送信レベルの変更は行われなくてもよい。
【０３５４】
また、図３３（Ａ）、図３３（Ｂ）のストリーム＃１のＰＴ−ＲＳシンボルＢ６０２＿１及びストリーム＃２のＰＴ−ＲＳシンボルＢ６０２＿２と、図３４（Ａ）、図３４（Ｂ）の変調信号ＡのＰＴ−ＲＳ伝送領域Ｂ７０２＿１及び変調信号ＢのＰＴ−ＲＳ伝送領域Ｂ７０２＿２とにおける「シンボル」と「伝送領域」との関係については、図５Ａ及び図５Ｂで説明した「シンボル」と図７及び図８で説明した「伝送領域」との関係を用いて説明した通りである。すなわち、図３３（Ａ）の第ｋ時間のストリーム＃１のＰＴ−ＲＳシンボルＢ６０２＿１と図３３（Ｂ）の第ｋ時間のストリーム＃２のＰＴ−ＲＳシンボルＢ６０２＿２から、図３４（Ａ）のＰＴ−ＲＳ伝送領域Ｂ７０２＿１及び図３４（Ｂ）の変調信号ＢのＰＴ−ＲＳ伝送領域Ｂ７０２＿２が生成される。なお、生成方法については、式（１）から式（２１）などが一例であるが、α１、α２、β１、β２を用いた送信レベルの変更は行われなくてもよい。
【０３５５】
［サイクリックプレフィックス付加後の信号構成例］
図３５（Ａ）及び図３５（Ｂ）は、図２８のサイクリックプレフィックス付加部Ｂ１１７＿Ａ，Ｂ１１７＿Ｂの出力であるサイクリックプレフィックス付加後の信号Ｂ１１８＿Ａ，Ｂ１１８＿Ａの構成例を示す。図３５（Ａ）、図３５（Ｂ）において、横軸は時間である。
【０３５６】
なお、図３５（Ａ）及び図３５（Ｂ）において、図３４（Ａ）及び図３４（Ｂ）と同様の構成には、同一の符号を付し、その説明を省略する。
【０３５７】
ここで、図３４（Ａ）は、図２８の逆フーリエ変換後の信号Ｂ１１６＿Ａに相当するＤＦＴ−ｓ−ＯＦＤＭ伝送領域であり、図３５（Ａ）は、図２８のサイクリックプレフィックス付加部Ｂ１１７＿Ａの出力であるサイクリックプレフィックス付加後の信号Ｂ１１８＿Ａに相当する構成である。したがって、図３５（Ａ）に示す信号では、図３４（Ａ）に示す信号に対して、先頭にサイクリックプレフィックス（つまり、変調信号ＡのＣＰ（Ｂ８０１＿１））が付加されている。
【０３５８】
同様に、図３４（Ｂ）は、図２８の逆フーリエ変換後の信号Ｂ１１６＿Ｂに相当するＤＦＴ−ｓ−ＯＦＤＭ伝送領域であり、図３５（Ｂ）は、図２８のサイクリックプレフィックス付加部Ｂ１１７＿Ｂの出力であるサイクリックプレフィックス付加後の信号Ｂ１１８＿Ｂに相当する構成である。したがって、図３５（Ｂ）に示す信号では、図３４（Ｂ）に示す信号に対して、先頭にサイクリックプレフィックス（つまり、変調信号ＢのＣＰ（Ｂ８０１＿２））が付加されている。
【０３５９】
ところで、図２８の送信装置（端末）における演算規模の削減、つまり、回路規模の削減という利点を考慮すると、逆（高速）フーリエ変換部（逆離散フーリエ変換部）Ｂ１１５＿Ａ、Ｂ１１５Ｂでは、逆離散フーリエ変換ではなく、逆高速フーリエ変換（ＩＦＦＴ：Inverse Fast Fourier Transform）の演算を実施することが望まれる。
【０３６０】
この点を考慮すると、図３３（Ａ）において、ストリーム＃１のデータシンボルのシンボル数とストリーム＃１のＰＴ−ＲＳシンボルのシンボル数との和は、４、８、１６、３２、６４、１２８、２５６、５１２、１０２４、２０４８、４０９６、８１９２、１６３８４、３２７６８、６５５３６のように２ｎシンボル（ｎは１以上の整数）であるとよい。なお、ここでは、「シンボル」と記載しているが「チップ」、「サンプル」という語句で表現されてもよい。
【０３６１】
したがって、図３３（Ａ）において、ストリーム＃１のデータシンボル（データチップ）のチップ数とストリーム＃１のＰＴ−ＲＳシンボル（ＰＴ−ＲＳチップ）のチップ数との和は４、８、１６、３２、６４、１２８、２５６、５１２、１０２４、２０４８、４０９６、８１９２、１６３８４、３２７６８、６５５３６のように２ｎチップ（ｎは１以上の整数）であるとよい。
【０３６２】
別の表現をすると、図３３（Ａ）において、ストリーム＃１のデータシンボル（データサンプル）のサンプル数とストリーム＃１のＰＴ−ＲＳシンボル（ＰＴ−ＲＳサンプル）のサンプル数との和は４、８、１６、３２、６４、１２８、２５６、５１２、１０２４、２０４８、４０９６、８１９２、１６３８４、３２７６８、６５５３６のように２ｎサンプル（ｎは１以上の整数）であるとよい。
【０３６３】
同様に、図３３（Ｂ）において、ストリーム＃２のデータシンボルのシンボル数とストリーム＃２のＰＴ−ＲＳシンボルのシンボル数との和は４、８、１６、３２、６４、１２８、２５６、５１２、１０２４、２０４８、４０９６、８１９２、１６３８４、３２７６８、６５５３６のように２ｎシンボル（ｎは１以上の整数）であるとよい。
【０３６４】
したがって、別の表現をすると、図３３（Ｂ）において、ストリーム＃２のデータシンボル（データチップ）の数とストリーム＃２のＰＴ−ＲＳシンボル（ＰＴ−ＲＳチップ）との和は４、８、１６、３２、６４、１２８、２５６、５１２、１０２４、２０４８、４０９６、８１９２、１６３８４、３２７６８、６５５３６のように２ｎチップ（ｎは１以上の整数）であるとよい。
【０３６５】
さらに別の表現をすると、図３３（Ｂ）において、ストリーム＃２のデータシンボル（データサンプル）の数とストリーム＃２のＰＴ−ＲＳシンボル（ＰＴ−ＲＳサンプル）との和は４、８、１６、３２、６４、１２８、２５６、５１２、１０２４、２０４８、４０９６、８１９２、１６３８４、３２７６８、６５５３６のように２ｎサンプル（ｎは１以上の整数）であるとよい。
【０３６６】
これに伴い、図３４（Ａ）において、変調信号Ａのデータ伝送領域のチップ数の和と変調信号ＡのＰＴ−ＲＳ伝送領域のチップ数との和は４、８、１６、３２、６４、１２８、２５６、５１２、１０２４、２０４８、４０９６、８１９２、１６３８４、３２７６８、６５５３６のように２ｎチップ（ｎは１以上の整数）であるとよい。
【０３６７】
別の表現をすると、図３４（Ａ）において、変調信号Ａのデータ伝送領域のサンプル数の和と変調信号ＡのＰＴ−ＲＳ伝送領域のサンプル数との和は４、８、１６、３２、６４、１２８、２５６、５１２、１０２４、２０４８、４０９６、８１９２、１６３８４、３２７６８、６５５３６のように２ｎサンプル（ｎは１以上の整数）であるとよい。
【０３６８】
同様に、図３４（Ｂ）において、変調信号Ｂのデータ伝送領域のチップ数の和と変調信号ＢのＰＴ−ＲＳ伝送領域のチップ数との和は４、８、１６、３２、６４、１２８、２５６、５１２、１０２４、２０４８、４０９６、８１９２、１６３８４、３２７６８、６５５３６のように２ｎチップ（ｎは１以上の整数）であるとよい。
【０３６９】
別の表現をすると、図３４（Ｂ）において、変調信号Ｂのデータ伝送領域のチップ数の和と変調信号ＢのＰＴ−ＲＳ伝送領域のサンプル数との和は４、８、１６、３２、６４、１２８、２５６、５１２、１０２４、２０４８、４０９６、８１９２、１６３８４、３２７６８、６５５３６のように２ｎサンプル（ｎは１以上の整数）であるとよい。
【０３７０】
［ＤＦＴ−ｓ−ＯＦＭＤ伝送領域におけるＰＴ−ＲＳ伝送領域の配置方法］
次に、図３５（Ａ）及び図３５（Ｂ）を用いて、図３４（Ａ）及び図３４（Ｂ）のＤＦＴ−ｓ−ＯＦＭＤ伝送領域内におけるＰＴ−ＲＳ伝送領域の配置方法について説明する。
【０３７１】
ここで、図３５（Ａ）の変調信号ＡのＣＰ（Ｂ８０１＿１）及び図３５（Ｂ）の変調信号ＢのＣＰ（Ｂ８０１＿２）の時間間隔を「Ｔｚ」で表す。
【０３７２】
また、図３５（Ａ）、図３５（Ｂ）に示すように、変調信号ＡのＰＴ−ＲＳ伝送領域Ｂ７０２＿１及び変調信号ＢのＰＴ−ＲＳ伝送領域Ｂ７０２＿２の時間間隔を「Ｔ１」と表す。
【０３７３】
また、変調信号ＡのＰＴ−ＲＳ伝送領域Ｂ７０２＿１及び変調信号ＢのＰＴ−ＲＳ伝送領域Ｂ７０２＿２の時間的に最後のタイミングＢ８５０から、タイミングＢ８５２までの時間間隔を「Ｔ２」（Ｂ８０２）と表す。ここで、Ｔ２＜Ｔ１が成立する。
【０３７４】
また、変調信号ＡのＰＴ−ＲＳ伝送領域Ｂ７０２＿１及び変調信号ＢのＰＴ−ＲＳ伝送領域Ｂ７０２＿２の時間的に最後のタイミングＢ８５０から、タイミングＢ８５３までの時間間隔を「Ｔ３」（Ｂ８０３）と表す。ここで、Ｔ３＝Ｔ１が成立する。
【０３７５】
また、変調信号ＡのＰＴ−ＲＳ伝送領域Ｂ７０２＿１及び変調信号ＢのＰＴ−ＲＳ伝送領域Ｂ７０２＿２の時間的に最後のタイミングＢ８５０から、タイミングＢ８５４までの時間間隔を「Ｔ４」（Ｂ８０４）と表す。ここで、Ｔ４＞Ｔ１が成立する。
【０３７６】
つまり、時間間隔Ｔ２はＰＴ−ＲＳ伝送領域の時間間隔Ｔ１より短く、時間間隔Ｔ３はＰＴ−ＲＳ伝送領域の時間間隔Ｔ１と等しく、時間間隔Ｔ４は、ＰＴ−ＲＳ伝送領域の時間間隔Ｔ１より長い。
【０３７７】
以下、変調信号ＡのＣＰ（Ｂ８０１＿１）及び変調信号ＢのＣＰ（Ｂ８０１＿１）の時間間隔Ｔｚが時間間隔Ｔ２，Ｔ３，Ｔ４である場合についてそれぞれ説明する。
【０３７８】
＜Ｔｚ＝Ｔ２の場合＞
変調信号ＡのＣＰ（Ｂ８０１＿１）の時間間隔Ｔｚ＝Ｔ２の場合、サイクリックプレフィックス付加部Ｂ１１７＿Ａは、図３５（Ａ）の時間間隔Ｔ２の時間波形をコピーし、変調信号ＡのＣＰ（Ｂ８０１＿１）の時間波形とする。同様に、変調信号ＢのＣＰ（Ｂ８０１＿２）の時間間隔ＴｚもＴ２となるので、サイクリックプレフィックス付加部Ｂ１１７＿Ｂは、図３５（Ｂ）の時間間隔Ｔ２の時間波形をコピーし、変調信号ＢのＣＰ（Ｂ８０１＿２）の時間波形とする。
【０３７９】
このようにした場合、変調信号ＡのＣＰ（Ｂ８０１＿１）は、変調信号ＡのＰＴ−ＲＳ伝送領域Ｂ７０２＿１の一部で構成されることになる。同様に、変調信号ＢのＣＰ（Ｂ８０１＿２）は、変調信号ＢのＰＴ−ＲＳ伝送領域Ｂ７０２＿２の一部で構成されることになる。
【０３８０】
したがって、図２８の送信装置（端末）の通信相手である受信装置（基地局）（図示せず）は、変調信号ＡのＣＰ（Ｂ８０１＿１）及び変調信号ＢのＣＰ（Ｂ８０１＿２）の双方を、ＰＴ−ＲＳ伝送領域と同様に扱うことができる。これにより、受信装置（基地局）は、位相雑音の推定精度を向上する効果を得ることができる。また、受信装置は、変調信号ＡのＣＰ（Ｂ８０１＿１）及び変調信号ＢのＣＰ（Ｂ８０１＿２）の双方を、時間同期、周波数同期、周波数オフセット推定、信号検出等に使用することも可能となる。特に、ＰＴ−ＲＳシンボルが、送信装置及び受信装置にとって既知の信号である場合に、その効果は大きい。
【０３８１】
＜Ｔｚ＝Ｔ３の場合＞
変調信号ＡのＣＰ（Ｂ８０１＿１）の時間間隔Ｔｚ＝Ｔ３の場合、サイクリックプレフィックス付加部Ｂ１１７＿Ａは、図３５（Ａ）の時間間隔Ｔ３の時間波形をコピーし、変調信号ＡのＣＰ（Ｂ８０１＿１）の時間波形とする。同様に、変調信号ＢのＣＰ（Ｂ８０１＿２）の時間間隔ＴｚもＴ３となるので、サイクリックプレフィックス付加部Ｂ１１７＿Ｂは、図３５（Ｂ）の時間間隔Ｔ３の時間波形をコピーし、変調信号ＢのＣＰ（Ｂ８０１＿２）の時間波形とする。
【０３８２】
このようにした場合、変調信号ＡのＣＰ（Ｂ８０１＿１）は、変調信号ＡのＰＴ−ＲＳ伝送領域Ｂ７０２＿１と同一の時間波形で構成されることになる。同様に、変調信号ＢのＣＰ（Ｂ８０１＿２）は、変調信号ＢのＰＴ−ＲＳ伝送領域Ｂ７０２＿２と同一の時間波形で構成されることになる。
【０３８３】
したがって、図２８の送信装置（端末）の通信相手である受信装置（基地局）（図示せず）は、変調信号ＡのＣＰ（Ｂ８０１＿１）及び変調信号ＢのＣＰ（Ｂ８０１＿２）の双方を、ＰＴ−ＲＳ伝送領域と同様に扱うことができる。これにより、受信装置（基地局）は、位相雑音の推定精度を向上する効果を得ることができる。また、受信装置は、変調信号ＡのＣＰ（Ｂ８０１＿１）及び変調信号ＢのＣＰ（Ｂ８０１＿２）の双方を、時間同期、周波数同期、周波数オフセット推定、信号検出等に使用することも可能となる。特に、ＰＴ−ＲＳシンボルが、送信装置および受信装置にとって既知の信号である場合に、その効果は大きい。
【０３８４】
＜Ｔｚ＝Ｔ４の場合＞
変調信号ＡのＣＰ（Ｂ８０１＿１）の時間間隔Ｔｚ＝Ｔ４の場合、サイクリックプレフィックス付加部Ｂ１１７＿Ａは、図３５（Ａ）の時間間隔Ｔ４の時間波形をコピーし、変調信号ＡのＣＰ（Ｂ８０１＿１）の時間波形とする。同様に、変調信号ＢのＣＰ（Ｂ８０１＿２）の時間間隔ＴｚもＴ３となるので、サイクリックプレフィックス付加部Ｂ１１７＿Ｂは、図３５（Ｂ）の時間間隔Ｔ４の時間波形をコピーし、変調信号ＢのＣＰ（Ｂ８０１＿２）の時間波形とする。
【０３８５】
このようにした場合、変調信号ＡのＣＰ（Ｂ８０１＿１）は、変調信号ＡのＰＴ−ＲＳ伝送領域と変調信号Ａのデータ伝送領域Ｂ７０１＿１の一部とで構成されることになる。同様に、変調信号ＢのＣＰ（Ｂ８０１＿２）は、変調信号ＢのＰＴ−ＲＳ伝送領域Ｂ７０２＿２と変調信号Ｂのデータ伝送領域Ｂ７０１＿２の一部で構成されることになる。
【０３８６】
したがって、図２８の送信装置（端末）の通信相手である受信装置（基地局）（図示せず）は、変調信号ＡのＣＰ（Ｂ８０１＿１）及び変調信号ＢのＣＰ（Ｂ８０１＿２）の一部をＰＴ−ＲＳ伝送領域と同様に扱うことができる。これにより、受信装置（基地局）は、位相雑音の推定精度を向上する効果を得ることができる。また、受信装置は、変調信号ＡのＣＰ（Ｂ８０１＿１）の一部、及び、変調信号ＢのＣＰ（Ｂ８０１＿２）の一部を、時間同期、周波数同期、周波数オフセット推定、信号検出等に使用することも可能となる。特に、ＰＴ−ＲＳシンボルが、送信装置及び受信装置にとって既知の信号である場合、その効果は大きい。
【０３８７】
このように、送信装置は、変調信号のＤＦＴ−ｓ−ＯＦＭＤ伝送領域（ＤＦＴ−ｓ−ＯＦＭＤシンボル）の最後部にＰＴ−ＲＳ伝送領域（ＰＴ−ＲＳシンボル）を配置することにより、ＰＴ−ＲＳ伝送領域（ＰＴ−ＲＳシンボル）によってＣＰを構成することができる。これにより、受信装置では、ＤＦＴ−ｓ−ＯＦＭＤ伝送領域（ＤＦＴ−ｓ−ＯＦＭＤシンボル）に含まれるＰＴ−ＲＳ伝送領域（ＰＴ−ＲＳシンボル）に加え、ＣＰを位相雑音の推定に利用することができるので、位相雑音の推定精度を向上させ、データの伝送効率を向上させることができる。
【０３８８】
［サイクリックプレフィックス付加後の信号のフレーム構成］
図３６（Ａ）及び図３６（Ｂ）は、図３５（Ａ）及び図３５（Ｂ）で説明したサイクリックプレフィックス付加後の信号のフレーム構成の一例を示す。図３６（Ａ）、図３６（Ｂ）において、横軸は時間である。
【０３８９】
すなわち、図３６（Ａ）は、図２８のサイクリックプレフィックス付加後の信号Ｂ１１８＿Ａのフレーム構成の例を示し、図３６（Ｂ）は、図２８のサイクリックプレフィックス付加後の信号Ｂ１１８＿Ｂのフレーム構成の例を示す。
【０３９０】
ＣＰ（Ｂ９０１＿Ａ、Ｂ９０１＿Ｂ）、ＤＦＴ−ｓ−ＯＦＤＭ伝送領域Ｂ９０２＿Ａ、Ｂ９０２＿Ｂは、第１時間に、図２８の送信装置（端末）が送信する信号である。ＣＰ（Ｂ９０３＿Ａ、Ｂ９０３＿Ｂ）、ＤＦＴ−ｓ−ＯＦＤＭ伝送領域Ｂ９０４＿Ａ、Ｂ９０４＿Ｂは、第２時間に、送信装置が送信する信号である。ＣＰ（Ｂ９０５＿Ａ、Ｂ９０５＿Ｂ）、ＤＦＴ−ｓ−ＯＦＤＭ伝送領域Ｂ９０６＿Ａ、Ｂ９０６＿Ｂは、第３時間に、送信装置が送信する信号である。
【０３９１】
ＤＦＴ−ｓ−ＯＦＤＭ伝送領域Ｂ９０２＿Ａ、Ｂ９０４＿Ａ、Ｂ９０６＿Ａは、例えば、図３５（Ａ）の変調信号Ａのデータ伝送領域Ｂ７０１＿１と変調信号ＡのＰＴ−ＲＳ伝送領域Ｂ７０２＿１とで構成される。ＣＰ（Ｂ９０１＿Ａ、Ｂ９０３＿Ａ、Ｂ９０５＿Ａ）は、図３５（Ａ）の変調信号ＡのＣＰ（Ｂ８０１＿１）のように構成される。
【０３９２】
同様に、ＤＦＴ−ｓ−ＯＦＤＭ伝送領域Ｂ９０２＿Ｂ、Ｂ９０４＿Ｂ、Ｂ９０６＿Ｂは、例えば、図３５（Ｂ）の変調信号Ｂのデータ伝送領域Ｂ７０１＿２と変調信号ＢのＰＴ−ＲＳ伝送領域Ｂ７０２＿２とで構成される。ＣＰ（Ｂ９０１＿Ｂ、Ｂ９０３＿Ｂ、Ｂ９０５＿Ｂ）は、図３５（Ｂ）の変調信号ＢのＣＰ（Ｂ８０１＿２）のように構成される。
【０３９３】
以下、図３６（Ａ）、図３６（Ｂ）のＣＰ（Ｂ９０１＿Ａ、Ｂ９０１＿Ｂ、Ｂ９０３＿Ａ、Ｂ９０３＿Ｂ、Ｂ９０５＿Ａ、Ｂ９０５＿Ｂ）の時間間隔を「Ｔｚ０」と表す。
【０３９４】
このとき、図３５（Ａ）、図３５（Ｂ）で説明したように、ＣＰ（Ｂ９０１＿Ａ、Ｂ９０１＿Ｂ、Ｂ９０３＿Ａ、Ｂ９０３＿Ｂ、Ｂ９０５＿Ａ、Ｂ９０５＿Ｂ）の時間間隔Ｔｚ０が時間間隔Ｔ２，Ｔ３，Ｔ４である場合についてそれぞれ説明する。
【０３９５】
＜Ｔｚ０＝Ｔ２の場合＞
この場合、図３５（Ａ）、図３５（Ｂ）で説明したように、ＣＰ（Ｂ９０１＿Ａ、Ｂ９０１＿Ｂ、Ｂ９０３＿Ａ、Ｂ９０３＿Ｂ、Ｂ９０５＿Ａ、Ｂ９０５＿Ｂ）は、変調信号のＰＴ−ＲＳ伝送領域の一部で構成されることになる。
【０３９６】
よって、図３６（Ａ）において、例えば、ＤＦＴ−ｓ−ＯＦＤＭ伝送領域Ｂ９０２＿ＡとＣＰ（Ｂ９０３＿Ａ）に着目すると、「ＤＦＴ−ｓ−ＯＦＤＭ伝送領域Ｂ９０２＿Ａ（最後部）に含まれる変調信号ＡのＰＴ−ＲＳ伝送領域（例えば、図３５（Ａ）を参照）」と「変調信号ＡのＰＴ−ＲＳ伝送領域のみで構成されているＣＰ（Ｂ９０３＿Ａ）」とが連続する。このため、時間的に連続するＰＴ−ＲＳ伝送領域が拡大することになる。なお、この点については、ＤＦＴ−ｓ−ＯＦＤＭ伝送領域Ｂ９０４＿ＡとＣＰ（Ｂ９０５＿Ａ）とで構成する連続領域等でも同様である。
【０３９７】
同様に、図３６（Ｂ）において、例えば、ＤＦＴ−ｓ−ＯＦＤＭ伝送領域Ｂ９０２＿ＢとＣＰ（Ｂ９０３＿Ｂ）に着目すると、「ＤＦＴ−ｓ−ＯＦＤＭ伝送領域Ｂ９０２＿Ｂ（最後部）に含まれる変調信号ＢのＰＴ−ＲＳ伝送領域（例えば、図３５（Ｂ）を参照）」と「変調信号ＢのＰＴ−ＲＳ伝送領域のみで構成されているＣＰ（Ｂ９０３＿Ｂ）」とが連続する。このため、時間的に連続するＰＴ−ＲＳ伝送領域が拡大することになる。なお、この点については、ＤＦＴ−ｓ−ＯＦＤＭ伝送領域Ｂ９０４＿ＢとＣＰ（Ｂ９０５＿Ｂ）で構成する連続領域等でも同様である。
【０３９８】
以上より、図２８の送信装置（端末）の通信相手である受信装置（基地局）は、時間的に連続するＰＴ−ＲＳ伝送領域とＣＰ（ＰＴ−ＲＳ伝送領域で構成）とを用いて、位相雑音を高精度で推定することが可能となるとともに、高精度なチャネル推定、時間同期、周波数同期、周波数オフセット推定、信号検出が可能となるという効果を得ることができる。
【０３９９】
＜Ｔｚ０＝Ｔ３の場合＞
この場合、図３５（Ａ）、図３５（Ｂ）で説明したように、ＣＰ（Ｂ９０１＿Ａ、Ｂ９０１＿Ｂ、Ｂ９０３＿Ａ、Ｂ９０３＿Ｂ、Ｂ９０５＿Ａ、Ｂ９０５＿Ｂ）は、変調信号のＰＴ−ＲＳ伝送領域と同一の時間波形で構成されることになる。
【０４００】
よって、図３６（Ａ）において、例えば、ＤＦＴ−ｓ−ＯＦＤＭ伝送領域Ｂ９０２＿ＡとＣＰ（Ｂ９０３＿Ａ）に着目すると、「ＤＦＴ−ｓ−ＯＦＤＭ伝送領域Ｂ９０２＿Ａ（最後部）に含まれる変調信号ＡのＰＴ−ＲＳ伝送領域（例えば、図３５（Ａ）を参照）」と「変調信号ＡのＰＴ−ＲＳ伝送領域のみで構成されているＣＰ（Ｂ９０３＿Ａ）」とが連続する。このため、時間的に連続するＰＴ−ＲＳ伝送領域が拡大することになる。なお、この点については、ＤＦＴ−ｓ−ＯＦＤＭ伝送領域Ｂ９０４＿ＡとＣＰ（Ｂ９０５＿Ａ）で構成する連続領域等でも同様である。
【０４０１】
同様に、図３６（Ｂ）において、例えば、ＤＦＴ−ｓ−ＯＦＤＭ伝送領域Ｂ９０２＿ＢとＣＰ（Ｂ９０３＿Ｂ）に着目すると、「ＤＦＴ−ｓ−ＯＦＤＭ伝送領域Ｂ９０２＿Ｂ（最後部）に含まれる変調信号ＢのＰＴ−ＲＳ伝送領域（例えば、図３５（Ｂ））」と「変調信号ＢのＰＴ−ＲＳ伝送領域のみで構成されているＣＰ（Ｂ９０３＿Ｂ）」とが連続する。このため、時間的に連続するＰＴ−ＲＳ伝送領域が拡大することになる。なお、この点については、ＤＦＴ−ｓ−ＯＦＤＭ伝送領域Ｂ９０４＿ＢとＣＰ（Ｂ９０５＿Ｂ）で構成する連続領域等でも同様である。
【０４０２】
以上より、受信装置（基地局）は、時間的に連続するＰＴ−ＲＳ伝送領域とＣＰ（ＰＴ−ＲＳ伝送領域で構成）を用いて、位相雑音を高精度で推定することが可能となるとともに、高精度なチャネル推定、時間同期、周波数同期、周波数オフセット推定、信号検出が可能となるという効果を得ることができる。
【０４０３】
＜Ｔｚ０＝Ｔ４の場合＞
この場合、図３５（Ａ）、図３５（Ｂ）で説明したように、ＣＰ（Ｂ９０１＿Ａ、Ｂ９０１＿Ｂ、Ｂ９０３＿Ａ、Ｂ９０３＿Ｂ、Ｂ９０５＿Ａ、Ｂ９０５＿Ｂ）は、変調信号のＰＴ−ＲＳ伝送領域と変調信号のデータ伝送領域の一部とで構成されることになる。
【０４０４】
よって、図３６（Ａ）において、例えば、ＤＦＴ―ｓＯＦＤＭ伝送領域Ｂ９０２＿ＡとＣＰ（Ｂ９０３＿Ａ）に着目すると、「ＤＦＴ−ｓ−ＯＦＤＭ伝送領域Ｂ９０２＿Ａに含まれる変調信号ＡのＰＴ−ＲＳ伝送領域」と「変調信号ＡのＰＴ−ＲＳ伝送領域とデータ伝送領域で構成されているＣＰ（Ｂ９０３＿Ａ）」とが連続する。このとき、この時間的に連続する領域では、「ＰＴ−ＲＳ伝送領域」、「データ伝送領域」、「ＰＴ−ＲＳ伝送領域」の順に並ぶことになる。したがって、「ＰＴ−ＲＳ伝送領域」は不連続となるという特徴を有する。
【０４０５】
同様に、図３６（Ｂ）において、例えば、ＤＦＴ−ｓ−ＯＦＤＭ伝送猟奇Ｂ９０２＿ＢとＣＰ（Ｂ９０３＿Ｂ）に着目すると、「ＤＦＴ−ｓ−ＯＦＤＭ伝送領域Ｂ９０２＿Ｂに含まれる変調信号ＢのＰＴ−ＲＳ伝送領域」と「変調信号ＢのＰＴ−ＲＳ伝送領域とデータ伝送領域で構成されているＣＰ（Ｂ９０３＿Ｂ）」とが連続する。このとき、この時間的に連続する領域では、「ＰＴ−ＲＳ伝送領域」、「データ伝送領域」、「ＰＴ−ＲＳ伝送領域」の順に並ぶことになる。したがって、「ＰＴ−ＲＳ伝送領域」は不連続になるという特徴を有する。
【０４０６】
ただし、Ｔｚ０＝Ｔ４の場合には、図３５（Ａ）及び図３５（Ｂ）を用いて説明したように、受信装置（基地局）は、ＰＴ−ＲＳ伝送領域（ＰＴ−ＲＳシンボル）に加え、ＣＰを位相雑音の推定に利用することができるので、位相雑音を高精度で推定することが可能となるとともに、高精度なチャネル推定、時間同期、周波数同期、周波数オフセット推定、信号検出が可能となるという効果を得ることができる。
【０４０７】
以上、ＣＰ（Ｂ９０１＿Ａ、Ｂ９０１＿Ｂ、Ｂ９０３＿Ａ、Ｂ９０３＿Ｂ、Ｂ９０５＿Ａ、Ｂ９０５＿Ｂ）の時間間隔Ｔｚ０が時間間隔Ｔ２，Ｔ３，Ｔ４である場合について説明した。
【０４０８】
例えば、図２８の送信装置（端末）は、図３６（Ａ）及び図３６（Ｂ）の送信、又は、図３７（Ａ）および図３７（Ｂ）の送信の選択を行うことが可能とする。
【０４０９】
なお、図３７（Ａ）、図３７（Ｂ）において、図３６（Ａ）、図３６（Ｂ）と同様の構成については、同一の符号を付し、その説明を省略する。図３７（Ａ）が図３６（Ａ）と異なる点は、図３６（Ａ）におけるＣＰ（Ｂ９０１＿Ａ、Ｂ９０３＿Ａ、Ｂ９０５＿Ａ）の代わりに拡張ＣＰ（Ｂ１００１＿Ａ、Ｂ１００３＿Ａ、Ｂ１００５＿Ａ）を付加している点である。同様に、図３７（Ｂ）が図３６（Ｂ）と異なる点は、図３６（Ｂ）におけるＣＰ（Ｂ９０１＿Ｂ、Ｂ９０３＿Ｂ、Ｂ９０５＿Ｂ）の代わりに拡張ＣＰ（Ｂ１００１＿Ｂ、Ｂ１００３＿Ｂ、Ｂ１００５＿Ｂ）を付加している点である。
【０４１０】
なお、拡張ＣＰの付加の方法は、図３５（Ａ）、図３５（Ｂ）を用いて説明した方法と同様である。
【０４１１】
図３７（Ａ）、図３７（Ｂ）において、ＣＰ（Ｂ１００１＿Ａ、Ｂ１００１＿Ｂ、Ｂ１００３＿Ａ、Ｂ１００３＿Ｂ、Ｂ１００５＿Ａ、Ｂ１００５＿Ｂ）の時間間隔を「Ｔｚ１」とする。また、Ｔｚ１＞Ｔｚ０が成立するものとする。
【０４１２】
このとき、図３６（Ａ）、図３６（Ｂ）におけるＣＰの時間間隔Ｔｚ０を、Ｔ２（図３５を参照）に設定した場合及びＴ３（図３５を参照）に設定した場合の利点、効果は上述のとおりである。同様に、図３７（Ａ）、図３７（Ｂ）における拡張ＣＰの時間間隔Ｔｚ１を、Ｔ２に設定した場合も、Ｔｚ０＝Ｔ２の場合と同様に、時間的に連続するＰＴ−ＲＳ伝送領域を拡大することができるので、上述した利点、効果を得ることができる。また、図３７（Ａ）、図３７（Ｂ）における拡張ＣＰの時間間隔Ｔｚ１を、Ｔ３に設定した場合も、Ｔｚ０＝Ｔ３の場合と同様に、時間的に連続するＰＴ−ＲＳ伝送領域が拡大することができるので、上述した利点、効果を得ることができる。
【０４１３】
したがって、図２８に示す送信装置（端末）が、図３６（Ａ）及び図３６（Ｂ）の送信、及び、図３７（Ａ）及び図３７（Ｂ）の送信の選択を行うことが可能である場合、Ｔｚ１＞Ｔｚ０であるので、Ｔｚ１＝Ｔ２又はＴｚ１＝Ｔ３の何れかを満たすことで、送信装置は、図３７（Ａ）及び図３７（Ｂ）の送信、又は、図３６（Ａ）及び図３６（Ｂ）の送信の何れを行う場合でも、上述した利点、効果を得ることができる。
【０４１４】
さらに、以下について検討する。
【０４１５】
ＣＰの時間幅（時間間隔）が第１の時間幅を有する方法からＣＰの時間幅が第ｎの時間幅を有する方法のｎ通りの方法のうちの何れかを送信装置が選択し、変調信号を送信できるものとする。なお、ｎは２以上の整数とする。また、第ｋの時間幅を「Ｔｚｋ」と表す。なお、ｋは１以上ｎ以下の整数である。また、全てのｋの中で、Ｔｚｋの最大値を「Ｔｚｍａｘ」と表す。
【０４１６】
このとき、Ｔｚｍａｘ＝Ｔ２又はＴｚｍａｘ＝Ｔ３の何れかを満たす場合、送信装置が第１の時間幅を有する方法から第ｎの時間幅を有する方法の何れの方法を選択しても、時間的に連続するＰＴ−ＲＳ伝送領域を拡大することができるので、上述した利点、効果を得ることができる。
【０４１７】
次に、図２８の送信装置（端末）が、図３８（Ａ）、図３８（Ｂ）の変調信号を送信する場合について説明する。
【０４１８】
図３８（Ａ）、図３８（Ｂ）において、図３６（Ａ）、図３６（Ｂ）と同様の構成については、同一の符号を付し、その説明を省略する。
【０４１９】
図３８（Ａ）が図３６（Ａ）と異なる点は、図３６（Ａ）におけるＣＰ（Ｂ９０１＿Ａ、Ｂ９０３＿Ａ、Ｂ９０５＿Ａ）の代わりに第１ＣＰ（Ｂ１１０１＿Ａ）、第２ＣＰ（Ｂ１１０３＿Ａ、Ｂ１１０５＿Ａ）を付加している点である。同様に、図３８（Ｂ）が図３６（Ｂ）と異なる点は、図３６（Ｂ）におけるＣＰ（Ｂ９０１＿Ｂ、Ｂ９０３＿Ｂ、Ｂ９０５＿Ｂ）の代わりに第１ＣＰ（Ｂ１１０１＿Ｂ）、第２ＣＰ（Ｂ１１０３＿Ｂ、Ｂ１１０５＿Ｂ）を付加している点である。
【０４２０】
なお、第１ＣＰ、第２ＣＰの付加の方法は、図３５（Ａ）、図３５（Ｂ）を用いて説明した方法と同様である。
【０４２１】
また、図３８（Ａ）、図３８（Ｂ）の第１ＣＰ（Ｂ１１０１＿Ａ、Ｂ１１０１＿Ｂ）の時間間隔を「Ｔｙ１」と表し、第２ＣＰ（Ｂ１１０３＿Ａ、Ｂ１１０５＿Ａ、Ｂ１１０３＿Ｂ、Ｂ１１０５＿Ｂ）の時間間隔を「Ｔｙ２」と表す。また、Ｔｙ１＞Ｔｙ２が成立するものとする。
【０４２２】
このとき、図３８（Ａ）、図３８（Ｂ）の第１ＣＰの時間間隔Ｔｙ１＝Ｔ２又はＴｙ１＝Ｔ３に設定すると、Ｔｙ１＞Ｔｙ２の関係があるので、「ＤＦＴ−ｓ−ＯＦＭＤ伝送領域」と「ＣＰ（第１ＣＰ、第２ＣＰ）」の何れの境界においても時間的に連続するＰＴ−ＲＳ伝送領域を拡大することができるので、上述した利点、効果を得ることができる。
【０４２３】
なお、第１ＣＰ（Ｂ１１０１＿Ａ）の時間的前には、ＤＦＴ−ｓ−ＯＦＤＭ伝送領域が存在している。また、このＤＦＴ−ｓ−ＯＦＤＭ伝送領域は、ＤＭＲＳ伝送領域、または、データ伝送領域とＰＴ−ＲＳ伝送領域とで構成されていることになる。したがって、上述で説明した利点、効果を得ることができることになる。
【０４２４】
また、図３８（Ａ）、図３８（Ｂ）における第２ＣＰの時間間隔Ｔｙ２＝Ｔ２又はＴｙ２＝Ｔ３に設定すると、「ＤＦＴ−ｓ−ＯＦＭＤ伝送領域」と「第２ＣＰ」の何れの境界においても時間的に連続するＰＴ−ＲＳ伝送領域を拡大することができるので、上述した利点、効果を得ることができる。
【０４２５】
さらに、以下について検討する。
【０４２６】
ある時間期間に、ＣＰの時間幅が第１の時間幅を有する方法からＣＰの時間幅が第ｎの時間幅を有する方法のｎ通りの方法のＣＰを送信装置が送信するものとする。なお、ｎは２以上の整数とする。また、第ｋの時間幅を「Ｔｙｋ」と表す。なお、ｋは１以上ｎ以下の整数である。また、全てのｋの中で、Ｔｙｋの最大値を「Ｔｙｍａｘ」と表す。
【０４２７】
このとき、Ｔｙｍａｘ＝Ｔ２又はＴｙｍａｘ＝Ｔ３の何れかを満たす場合、第１の時間幅を有するＣＰから第ｎの時間幅を有するＣＰの何れのＣＰにおいても、時間的に連続するＰＴ−ＲＳ伝送領域を拡大することができるので、上述した利点、効果を得ることができる。
【０４２８】
以上、本実施の形態では、送信装置（端末）は、各送信時間（第ｋ時間）に送信されるＤＦＴ−ｓ−ＯＦＭＤ伝送領域の最後尾にＰＴ−ＲＳ伝送領域を配置する。これにより、送信装置は、各送信時間においてＰＴ−ＲＳ伝送領域の時間波形をコピーして、ＣＰを付加することができる。
【０４２９】
よって、受信装置（例えば、基地局）は、各送信時間（シンボル）において、ＤＦＴ−ｓ−ＯＦＭＤ伝送領域に含まれるＰＴ−ＲＳ伝送領域に加え、ＣＰを位相雑音の推定に用いることができるので、位相雑音の推定精度を向上させることができる。
【０４３０】
また、受信装置は、ＤＦＴ−ｓ−ＯＦＭＤ伝送領域が配置されるフレームにおいて、ＤＦＴ−ｓ−ＯＦＭＤ伝送領域に含まれるＰＴ−ＲＳ伝送領域と後続するＣＰとによって、ＰＴ−ＲＳ伝送領域を時間領域で拡大することができるので、位相雑音の推定精度を向上させることができる。
【０４３１】
よって、本実施の形態によれば、受信装置は、位相雑音の推定精度を向上させることができ、データの伝送効率を向上させることができる。
【０４３２】
（変形例１）
なお、上述の説明において、図２９（Ａ）の「ＤＦＴ−ｓ−ＯＦＤＭシンボル」の構成例として、図３３（Ａ）に示す例について説明したが、「ＤＦＴ−ｓ−ＯＦＤＭシンボル」の構成はこれに限ったものではない。例えば、「ＤＦＴ−ｓ−ＯＦＤＭシンボル」には、図３３（Ａ）で示した「ストリーム＃１のデータシンボル」、「ストリーム＃１のＰＴ−ＴＳシンボル」以外のシンボルが含まれてもよい。ただし、「ストリーム＃１のＰＴ−ＴＳシンボル」については、上述したように「ＤＦＴ−ｓ−ＯＦＤＭシンボル」の最後部に配置されるとよい。なお、「ストリーム＃１のＰＴ−ＴＳシンボル」の好適な構成方法・構成要件（例えば、時間幅）については上述で説明したとおりである。
【０４３３】
同様に、図２９（Ｂ）の「ＤＦＴ−ｓ−ＯＦＤＭシンボル」の構成例として、図３３（Ｂ）に示す例について説明したが、「ＤＦＴ−ｓ−ＯＦＤＭシンボル」の構成はこれに限ったものではない。例えば、「ＤＦＴ−ｓ−ＯＦＤＭシンボル」には、図Ｂ６Ｂで示した「ストリーム＃２のデータシンボル」、「ストリーム＃２のＰＴ−ＴＳシンボル」以外のシンボルが含まれてもよい。ただし、「ストリーム＃２のＰＴ−ＴＳシンボル」については、上述したように「ＤＦＴ−ｓ−ＯＦＤＭシンボル」の最後部に配置されるとよい。なお、「ストリーム＃２のＰＴ−ＴＳシンボル」の好適な構成方法・構成要件（例えば、時間幅）については、上述で説明したとおりである。
【０４３４】
例えば、図３９（Ａ）に示すように、「ＤＦＴ−ｓ−ＯＦＤＭシンボル」において、ストリーム＃１のＰＴ−ＲＳシンボル（Ｂ１２０２＿１）が、時間的に、ストリーム＃１のデータシンボル（Ｂ１２０１＿１、Ｂ１２０３＿１）の前に配置されてもよい。なお、図３９（Ａ）に示すように、ＤＦＴ−ｓ−ＯＦＤＭシンボルの最後部には、図３３（Ａ）と同様、ストリーム＃１のＰＴ−ＲＳシンボル（Ｂ６０２＿１）が配置されるとよい。なお、最後部の「ストリーム＃１のＰＴ−ＴＳシンボル」の好適な構成方法・構成要件（例えば、時間幅）については上述で説明したとおりである。
【０４３５】
同様に、図３９（Ｂ）に示すように、「ＤＦＴ−ｓ−ＯＦＤＭシンボル」において、ストリーム＃２のＰＴ−ＲＳシンボル（Ｂ１２０２＿２）が、時間的に、ストリーム＃２のデータシンボル（Ｂ１２０１＿２、Ｂ１２０３＿２）の前に配置されてもよい。なお、図３９（Ｂ）に示すように、ＤＦＴ−ｓ−ＯＦＤＭシンボルの最後部には、図３３（Ｂ）と同様、ストリーム＃１のＰＴ−ＲＳシンボル（Ｂ６０２＿２）が配置されるとよい。なお、最後部の「ストリーム＃２のＰＴ−ＴＳシンボル」の好適な構成方法・構成要件（例えば、時間幅）については上述で説明したとおりである。
【０４３６】
また、図３３（Ａ）、図３３（Ｂ）の説明を考慮すると、図２９（Ａ）、図２９（Ｂ）のＤＦＴ−ｓ−ＯＦＤＭシンボル（Ｂ２０１＿１＿１、Ｂ２０１＿２＿１、Ｂ２０１＿１＿３）（Ｂ２０１＿２＿１、Ｂ２０１＿２＿２、Ｂ２０１＿２＿３）のシンボル数は、４、８、１６、３２、６４、１２８、２５６、５１２、１０２４、２０４８、４０９６、８１９２、１６３８４、３２７６８、６５５３６のように２ｎシンボル（ｎは１以上の整数）であるとよい。なお、ここでは、「シンボル」と記載しているが、「チップ」、「サンプル」という語句で表現されてもよい。
【０４３７】
したがって、図３３（Ａ）、図３３（Ｂ）の説明を考慮すると、図２９（Ａ）、図２９（Ｂ）のＤＦＴ−ｓ−ＯＦＤＭシンボル（Ｂ２０１＿１＿１、Ｂ２０１＿２＿１、Ｂ２０１＿１＿３）（Ｂ２０１＿２＿１、Ｂ２０１＿２＿２、Ｂ２０１＿２＿３）のシンボル数（チップ数）は、４、８、１６、３２、６４、１２８、２５６、５１２、１０２４、２０４８、４０９６、８１９２、１６３８４、３２７６８、６５５３６のように２ｎチップ（ｎは１以上の整数）であるとよい。
【０４３８】
別の表現をすると、図３３（Ａ）、図３３（Ｂ）の説明を考慮すると、図２９（Ａ）、図２９（Ｂ）のＤＦＴ−ｓ−ＯＦＤＭシンボル（Ｂ２０１＿１＿１、Ｂ２０１＿２＿１、Ｂ２０１＿１＿３）（Ｂ２０１＿２＿１、Ｂ２０１＿２＿２、Ｂ２０１＿２＿３）のシンボル数（サンプル数）は、４、８、１６、３２、６４、１２８、２５６、５１２、１０２４、２０４８、４０９６、８１９２、１６３８４、３２７６８、６５５３６のように２ｎサンプル（ｎは１以上の整数）であるとよい。
【０４３９】
また、本実施の形態において、図３０（Ａ）の「ＤＦＴ−ｓ−ＯＦＤＭ伝送領域」の構成の例として、図３４（Ａ）に示す例について説明したが、「ＤＦＴ−ｓ−ＯＦＤＭ伝送領域」の構成はこれに限ったものではない。例えば、「ＤＦＴ−ｓ−ＯＦＤＭ伝送領域」には、図３４（Ａ）で示した「変調信号Ａのデータ伝送領域」、「変調信号ＡのＰＴ−ＲＳ伝送領域」以外の伝送領域が含まれてもよい。ただし、「変調信号ＡのＰＴ−ＴＳ伝送領域」については、上述したように「ＤＦＴ−ｓ−ＯＦＤＭ伝送領域」の最後部に配置されるとよい。なお、「変調信号ＡのＰＴ−ＴＳ伝送領域」の好適な構成方法・構成要件（例えば、時間幅）については、上述で説明したとおりである。
【０４４０】
同様に、図３０（Ｂ）の「ＤＦＴ−ｓ−ＯＦＤＭ伝送領域」の構成の例として、図３４（Ｂ）に示す例について説明したが、「ＤＦＴ−ｓ−ＯＦＤＭ伝送領域」の構成はこれに限ったものではない。例えば、「ＤＦＴ−ｓ−ＯＦＤＭ伝送領域」には、図３４（Ｂ）で示した「変調信号Ｂのデータ伝送領域」、「変調信号ＢのＰＴ−ＲＳ伝送領域」以外の伝送領域が含まれてもよい。ただし、「変調信号ＢのＰＴ−ＴＳ伝送領域」については、上述したように「ＤＦＴ−ｓ−ＯＦＤＭ伝送領域」の最後部に配置されるとよい。なお、「変調信号ＢのＰＴ−ＴＳ伝送領域」の好適な構成方法・構成要件（例えば、時間幅）については、上述で説明したとおりである。
【０４４１】
例えば、図４０（Ａ）に示すように、「ＤＦＴ−ｓ−ＯＦＤＭ伝送領域」において、変調信号ＡのＰＴ−ＲＳ伝送領域（Ｂ１３０２＿１）が、時間的に、変調信号Ａのデータ伝送領域（Ｂ１３０１＿１、Ｂ１３０３＿１）の前に配置されてもよい。なお、図４０（Ａ）に示すように、ＤＦＴ−ｓ−ＯＦＤＭ伝送領域の最後部には、図３４（Ａ）と同様、変調信号ＡのＰＴ−ＲＳ伝送領域（Ｂ７０２＿１）が配置されるとよい。なお、最後部の「変調信号ＡのＰＴ−ＲＳ伝送領域」の好適な構成方法・構成要件（例えば、時間幅）については上述で説明したとおりである。
【０４４２】
同様に、図４０（Ｂ）に示すように、「ＤＦＴ−ｓ−ＯＦＤＭ伝送領域」において、変調信号ＢのＰＴ−ＲＳ伝送領域（Ｂ１３０２＿２）が、時間的に、変調信号Ｂのデータ伝送領域（Ｂ１３０１＿２、Ｂ１３０３＿２）の前に配置されてもよい。なお、図４０（Ｂ）に示すように、ＤＦＴ−ｓ−ＯＦＤＭ伝送領域の最後部には、図３４（Ｂ）と同様、変調信号ＢのＰＴ−ＲＳ伝送領域（Ｂ７０２＿２）が配置されるとよい。なお、最後部の「変調信号ＢのＰＴ−ＲＳ伝送領域」の好適な構成方法・構成要件（例えば、時間幅）については上述で説明したとおりである。
【０４４３】
（変形例２）
上記実施の形態では、ＭＩＭＯ伝送（複数ストリームを例えば複数アンテナを用いて送信する）について説明したが、伝送方式はＭＩＭＯ伝送に限ったものではない。
【０４４４】
例えば、図２８に示す送信装置（端末）は、シングルストリームの送信方式を適用してもよい。
【０４４５】
この場合、例えば、図２８に示す変調信号生成部Ｂ１０６において、ベースバンド信号Ｂ１０７＿１（ストリーム＃１）及びベースバンド信号Ｂ１０７＿２（ストリーム＃２）は、同一のストリームである。
【０４４６】
この点について、例を説明する。
【０４４７】
例えば、ベースバンド信号Ｂ１０７＿１とベースバンド信号１０７＿２が同じ変調信号であってもよい。
【０４４８】
また、別の例として、ベースバンド信号Ｂ１０７＿１により、第１ビット列を伝送している場合、ベースバンド信号１０７＿２においても第１ビット列を伝送する。
【０４４９】
別の例として、ベースバンド信号Ｂ１０７＿１において、第１ビット列を伝送する第１シンボルが存在するものとする。このとき、ベースバンド信号Ｂ１０７＿２に、第１ビット列を伝送するシンボルが存在する。
【０４５０】
そして、同一ストリームであるベースバンド信号Ｂ１０７＿１，Ｂ１０７＿２が異なるアンテナ部＃Ａ（Ｂ１２１＿Ａ），アンテナ部＃Ｂ（Ｂ１２１＿Ｂ）から送信されてもよいし、ベースバンド信号Ｂ１０７＿１、Ｂ１０７＿２が複数のアンテナから送信されてもよい。
【０４５１】
又は、例えば、図２８に示す変調信号生成部Ｂ１０６において、ベースバンド信号Ｂ１０７＿１（ストリーム＃１）のみが出力され、処理部Ｂ１０８から変調信号Ｂ１０９＿Ａが出力され、変調信号Ｂ１０９＿Ａが１つのアンテナ部＃Ａ（Ｂ１２１＿Ａ）から送信されてもよい。つまり、変調信号生成部Ｂ１０６及び処理部Ｂ１０８は、１つのアンテナ系統の構成（例えば、離散フーリエ変換部Ｂ１１０＿Ａ〜アンテナ部Ｂ１２１＿Ａ）に対応する変調信号を出力することで、シングルストリームのシングルアンテナ送信が実行される。なお、この際、処理部Ｂ１０８ではプリコーディングが行われない。
【０４５２】
又は、例えば、図２８に示す変調信号生成部Ｂ１０６において、ベースバンド信号Ｂ１０７＿１（ストリーム＃１）のみが出力され、処理部Ｂ１０８でＣＤＤが施された変調信号Ｂ１０９＿Ａ，Ｂ１０９＿Ｂが出力され、変調信号Ｂ１０９＿Ａ，Ｂ１０９＿Ｂが２つのアンテナ部＃Ａ（Ｂ１２１＿Ａ），アンテナ部＃Ｂ（Ｂ１２１＿Ｂ）からそれぞれ送信されてもよい。つまり、処理部Ｂ１０８は、変調信号生成部Ｂ１０６から出力される１つのベースバンド信号に対して２つのアンテナ系統の構成（例えば、離散フーリエ変換部Ｂ１１０〜アンテナ部Ｂ１２１）にそれぞれ対応する変調信号を出力することで、シングルストリームのマルチアンテナ送信が実行される。
【０４５３】
上述のようにシングルストリームの変調信号を例えば端末が送信した場合についても、本実施の形態で説明した各実施例と同様の効果を得ることができる。例えば、図２９（Ａ）、図２９（Ｂ）のうち、図２９（Ａ）を端末は送信し、図３０（Ａ）、図３０（Ｂ）のうち、図３０（Ａ）を端末は送信し、図３１（Ａ）、図３１（Ｂ）のうち、図３１（Ａ）を端末は送信し、図３２（Ａ）、図３２（Ｂ）のうち、図３２（Ａ）を端末は送信し、図３３（Ａ）、図３３（Ｂ）のうち図３３（Ａ）を端末は送信し、図３４（Ａ）、図３４（Ｂ）のうち図３４（Ａ）を端末は送信し、図３５（Ａ）、図３５（Ｂ）のうち図３５（Ａ）を端末は送信し、図３６（Ａ）、図３６（Ｂ）のうち図３６（Ａ）を端末は送信し、図３７（Ａ）、図３７（Ｂ）のうち図３７（Ａ）を端末は送信し、図３８（Ａ）、図３８（Ｂ）のうち図３８（Ａ）を端末は送信し、図３９（Ａ）、図３９（Ｂ）のうち図３９（Ａ）を端末は送信し、図４０（Ａ）、図４０（Ｂ）のうち図４０（Ａ）を端末は送信する。なお、好適な送信方法、フレームの構成方法、構成要件（例えば、時間幅）などは上述で説明したとおりである。
【０４５４】
また、端末は、図２９（Ａ）、図２９（Ｂ）の構成のシングルストリームの変調信号を送信してもよい、このとき、図２９（Ａ）、図２９（Ｂ）の変調信号の生成方法は上述で説明したとおりである。そして、好適な送信方法、フレーム構成方法、構成要件（例えば、時間幅）などは上述で説明したとおりである。
【０４５５】
また、端末は、図３０（Ａ）、図３０（Ｂ）の構成のシングルストリームの変調信号を送信してもよい、このとき、図３０（Ａ）、図３０（Ｂ）の変調信号の生成方法は上述で説明したとおりである。そして、好適な送信方法、フレーム構成方法、構成要件（例えば、時間幅）などは上述で説明したとおりである。
【０４５６】
また、端末は、図３１（Ａ）、図３１（Ｂ）の構成のシングルストリームの変調信号を送信してもよい、このとき、図３１（Ａ）、図３１（Ｂ）の変調信号の生成方法は上述で説明したとおりである。そして、好適な送信方法、フレーム構成方法、構成要件（例えば、時間幅）などは上述で説明したとおりである。
【０４５７】
また、端末は、図３２（Ａ）、図３２（Ｂ）の構成のシングルストリームの変調信号を送信してもよい、このとき、図３２（Ａ）、図３２（Ｂ）の変調信号の生成方法は上述で説明したとおりである。そして、好適な送信方法、フレーム構成方法、構成要件（例えば、時間幅）などは上述で説明したとおりである。
【０４５８】
また、端末は、図３３（Ａ）、図３３（Ｂ）の構成のシングルストリームの変調信号を送信してもよい、このとき、図３３（Ａ）、図３３（Ｂ）の変調信号の生成方法は上述で説明したとおりである。そして、好適な送信方法、フレーム構成方法、構成要件（例えば、時間幅）などは上述で説明したとおりである。
【０４５９】
また、端末は、図３４（Ａ）、図３４（Ｂ）の構成のシングルストリームの変調信号を送信してもよい、このとき、図３４（Ａ）、図３４（Ｂ）の変調信号の生成方法は上述で説明したとおりである。そして、好適な送信方法、フレーム構成方法、構成要件（例えば、時間幅）などは上述で説明したとおりである。
【０４６０】
また、端末は、図３５（Ａ）、図３５（Ｂ）の構成のシングルストリームの変調信号を送信してもよい、このとき、図３５（Ａ）、図３５（Ｂ）の変調信号の生成方法は上述で説明したとおりである。そして、好適な送信方法、フレーム構成方法、構成要件（例えば、時間幅）などは上述で説明したとおりである。
【０４６１】
また、端末は、図３６（Ａ）、図３６（Ｂ）の構成のシングルストリームの変調信号を送信してもよい、このとき、図３６（Ａ）、図３６（Ｂ）の変調信号の生成方法は上述で説明したとおりである。そして、好適な送信方法、フレーム構成方法、構成要件（例えば、時間幅）などは上述で説明したとおりである。
【０４６２】
また、端末は、図３７（Ａ）、図３７（Ｂ）の構成のシングルストリームの変調信号を送信してもよい、このとき、図３７（Ａ）、図３７（Ｂ）の変調信号の生成方法は上述で説明したとおりである。そして、好適な送信方法、フレーム構成方法、構成要件（例えば、時間幅）などは上述で説明したとおりである。
【０４６３】
また、端末は、図３８（Ａ）、図３８（Ｂ）の構成のシングルストリームの変調信号を送信してもよい、このとき、図３８（Ａ）、図３８（Ｂ）の変調信号の生成方法は上述で説明したとおりである。そして、好適な送信方法、フレーム構成方法、構成要件（例えば、時間幅）などは上述で説明したとおりである。
【０４６４】
また、端末は、図３９（Ａ）、図３９（Ｂ）の構成のシングルストリームの変調信号を送信してもよい、このとき、図３９（Ａ）、図３９（Ｂ）の変調信号の生成方法は上述で説明したとおりである。そして、好適な送信方法、フレーム構成方法、構成要件（例えば、時間幅）などは上述で説明したとおりである。
【０４６５】
また、端末は、図４０（Ａ）、図４０（Ｂ）の構成のシングルストリームの変調信号を送信してもよい、このとき、図４０（Ａ）、図４０（Ｂ）の変調信号の生成方法は上述で説明したとおりである。そして、好適な送信方法、フレーム構成方法、構成要件（例えば、時間幅）などは上述で説明したとおりである。
【０４６６】
以上、本開示の各実施の形態について説明した。
【０４６７】
当然であるが、本明細書において説明した実施の形態、その他の内容を複数組み合わせて、実施してもよい。
【０４６８】
また、各実施の形態については、あくまでも例であり、例えば、「変調方式、誤り訂正符号化方式（使用する誤り訂正符号、符号長、符号化率等）、制御情報など」を例示していても、別の「変調方式、誤り訂正符号化方式（使用する誤り訂正符号、符号長、符号化率等）、制御情報など」を適用した場合でも同様の構成で実施することが可能である。
【０４６９】
変調方式については、本明細書で記載している変調方式以外の変調方式を使用しても、本明細書において説明した実施の形態、その他の内容を実施することが可能である。例えば、ＡＰＳＫ（Amplitude Phase Shift Keying）（例えば、16APSK, 64APSK, 128APSK, 256APSK, 1024APSK, 4096APSKなど）、ＰＡＭ（Pulse Amplitude Modulation）（例えば、4PAM, 8PAM, 16PAM, 64PAM, 128PAM, 256PAM, 1024PAM, 4096PAMなど）、ＰＳＫ（Phase Shift Keying）（例えば、BPSK, QPSK, 8PSK, 16PSK, 64PSK, 128PSK, 256PSK, 1024PSK, 4096PSKなど）、ＱＡＭ（Quadrature Amplitude Modulation）（例えば、4QAM, 8QAM, 16QAM, 64QA, 128QAM, 256QAM, 1024QAM, 4096QAMなど）などを適用してもよいし、各変調方式において、均一マッピング、非均一マッピングとしてもよい。
【０４７０】
また、Ｉ−Ｑ平面における２個、４個、８個、１６個、６４個、１２８個、２５６個、１０２４個等の信号点の配置方法（２個、４個、８個、１６個、６４個、１２８個、２５６個、１０２４個等の信号点をもつ変調方式）は、本明細書で示した変調方式の信号点配置方法に限ったものではない。したがって、複数のビットに基づき同相成分と直交成分を出力するという機能がマッピング部での機能となり、その後、プリコーディングおよび位相変更を施すことが本開示の一態様の一つの有効な機能となる。
【０４７１】
また、本明細書において、複素平面がある場合、例えば、偏角のような、位相の単位は、「ラジアン（radian）」としている。複素平面を利用すると、複素数の極座標による表示として極形式で表示できる。複素数z = a + ｊb （ａ、ｂはともに実数であり、ｊは虚数単位である）に、複素平面上の点(ａ, ｂ)を対応させたとき、この点が極座標で[r, θ]とあらわされるなら、ａ＝ｒ×ｃｏｓθ、ｂ＝ｒ×ｓｉｎθ、
【数３２】
2018163657.tif 000034
が成り立ち、rはzの絶対値(r = |z|)であり、θが偏角(argument)となる。そして、z = a + ｊbは、ｒ×ｅｊθと表される。
【０４７２】
本明細書において、受信装置とアンテナが別々となっている構成であってもよい。例えば、アンテナで受信した信号、または、アンテナで受信した信号に対し、周波数変換を施した信号を、ケーブルを通して、入力するインターフェースを受信装置が具備し、受信装置はその後の処理を行うことになる。また、受信装置が得たデータ・情報は、その後、映像や音に変換され、ディスプレイ（モニタ）に表示されたり、スピーカから音が出力されたりする。さらに、受信装置が得たデータ・情報は、映像や音に関する信号処理が施され（信号処理を施さなくてもよい）、受信装置が具備するＲＣＡ端子（映像端子、音用端子）、ＵＳＢ（Universal Serial Bus）、ＨＤＭＩ（登録商標）（High-Definition Multimedia Interface）、デジタル用端子等から出力されてもよい。
【０４７３】
本明細書において、送信装置を具備しているのは、例えば、放送局、基地局、アクセスポイント、端末、携帯電話（ｍｏｂｉｌｅ  ｐｈｏｎｅ）等の通信・放送機器であることが考えられ、このとき、受信装置を具備しているのは、テレビ、ラジオ、端末、パーソナルコンピュータ、携帯電話、アクセスポイント、基地局等の通信機器であることが考えられる。また、本開示における送信装置、受信装置は、通信機能を有している機器であって、その機器が、テレビ、ラジオ、パーソナルコンピュータ、携帯電話等のアプリケーションを実行するための装置に何らかのインターフェースを解して接続できるような形態であることも考えられる。そして、本明細書において、一例として、基地局、端末と名づけて、各実施の形態を説明しているが、あくまでも例であり、各実施の形態で「基地局」と呼んでいるものが、他の呼び方（例えば、アクセスポイント、端末、携帯電話、パーソナルコンピュータなど）であってもよいし、また、各実施の形態で「端末」と呼んでいるものが、他の呼び方（例えば、アクセスポイント、基地局、携帯電話、パーソナルコンピュータなど）であってもよい。
【０４７４】
また、上記実施の形態では、データシンボル以外のシンボル、例えば、パイロットシンボル（プリアンブル、ユニークワード、ポストアンブル、リファレンスシンボル等）、制御情報用のシンボルなどが、フレームにどのように配置されていてもよい。そして、ここでは、パイロットシンボル、制御情報用のシンボルと名付けているが、どのような名付け方を行ってもよく、機能自身が重要となっている。
【０４７５】
パイロットシンボルは、例えば、送受信機において、ＰＳＫ変調を用いて変調した既知のシンボル（又は、受信機が同期をとることによって、受信機は、送信機が送信したシンボルを知ることができてもよい）であればよく、受信機は、このシンボルを用いて、周波数同期、時間同期、（各変調信号の）チャネル推定（ＣＳＩ（Ｃｈａｎｎｅｌ  Ｓｔａｔｅ  Ｉｎｆｏｒｍａｔｉｏｎ）の推定）、信号の検出等を行うことになる。
【０４７６】
また、制御情報用のシンボルは、（アプリケーション等の）データ以外の通信を実現するための、通信相手に伝送する必要がある情報（例えば、通信に用いている変調方式・誤り訂正符号化方式・誤り訂正符号化方式の符号化率、上位レイヤーでの設定情報等）を伝送するためのシンボルである。
【０４７７】
なお、本開示は各実施の形態に限定されず、種々変更して実施することが可能である。例えば、各実施の形態では、通信装置として行う場合について説明しているが、これに限られるものではなく、この通信方法をソフトウェアとして行うことも可能である。
【０４７８】
また、上記実施の形態では、２つの変調信号を２つのアンテナから送信する方法におけるプリコーディング切り替え方法について説明したが、これに限ったものではなく、４つのマッピング後の信号に対し、プリコーディングを行い、４つの変調信号を生成し、４つのアンテナから送信する方法、つまり、Ｎ個のマッピング後の信号に対し、プリコーディングを行い、Ｎ個の変調信号を生成し、Ｎ個のアンテナから送信する方法においても同様にプリコーディングウェイト（行列）を変更する、プリコーディング切り替え方法としても同様に実施することができる。
【０４７９】
本明細書では、「プリコーディング」「プリコーディングウェイト」等の用語を用いているが、呼び方自身は、どのようなものでもよく、本開示では、その信号処理自身が重要となる。
【０４８０】
送信装置の送信アンテナ、受信装置の受信アンテナ、共に、図面で記載されている１つのアンテナは、複数のアンテナにより構成されていても良い。
【０４８１】
また、送信装置及び受信装置に対して、送信方法（ＭＩＭＯ、ＳＩＳＯ、時空間ブロック符号、インタリーブ方式）、変調方式、誤り訂正符号化方式を通知する必要がある実施の形態によっっては省略されている送信装置が送信するフレームに存在することになる受信装置はこれを得ることで、動作を変更することになる。
【０４８２】
また、例えば、上記通信方法を実行するプログラムを予めＲＯＭ（Ｒｅａｄ  Ｏｎｌｙ  Ｍｅｍｏｒｙ）に格納しておき、そのプログラムをＣＰＵ（Ｃｅｎｔｒａｌ  Ｐｒｏｃｅｓｓｏｒ  Ｕｎｉｔ）によって動作させるようにしても良い。
【０４８３】
また、上記通信方法を実行するプログラムをコンピュータで読み取り可能な記憶媒体に格納し、記憶媒体に格納されたプログラムをコンピュータのＲＡＭ（Ｒａｎｄｏｍ  Ａｃｃｅｓｓ  Ｍｅｍｏｒｙ）に記録して、コンピュータをそのプログラムにしたがって動作させるようにしても良い。
【０４８４】
そして、上記の各実施の形態などの各構成は、典型的には集積回路であるＬＳＩ（Ｌａｒｇｅ  Ｓｃａｌｅ  Ｉｎｔｅｇｒａｔｉｏｎ）として実現されてもよい。これらは、個別に１チップ化されてもよいし、各実施の形態の全ての構成又は一部の構成を含むように１チップ化されてもよい。ここでは、ＬＳＩとしたが、集積度の違いにより、ＩＣ（Ｉｎｔｅｇｒａｔｅｄ  Ｃｉｒｃｕｉｔ）、システムＬＳＩ、スーパーＬＳＩ、ウルトラＬＳＩと呼称されることもある。また、集積回路化の手法はＬＳＩに限られるものではなく、専用回路又は汎用プロセッサで実現しても良い。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０４８５】
さらに、半導体技術の進歩又は派生する別技術によりＬＳＩに置き換わる集積回路化の技術が登場すれば、当然、その技術を用いて機能ブロックの集積化を行っても良い。バイオ技術の適応等が可能性としてあり得る。
【０４８６】
本開示は、複数のアンテナからそれぞれ異なる変調信号を送信する無線システムに広く適用できる。例えば、シングルキャリアにおけるＭＩＭＯ通信システム、ＯＦＤＭ−ＭＩＭＯ通信システムに適用して好適である。また、複数の送信箇所を持つ有線通信システム（例えば、ＰＬＣ（Ｐｏｗｅｒ  Ｌｉｎｅ  Ｃｏｍｍｕｎｉｃａｔｉｏｎ）システム、光通信システム、ＤＳＬ（Ｄｉｇｉｔａｌ  Ｓｕｂｓｃｒｉｂｅｒ  Ｌｉｎｅ：デジタル加入者線）システム）、光、可視光を利用した通信システムにおいて、ＭＩＭＯ伝送を行う場合についても適用することができる。
【０４８７】
また、本明細書において、ＰＴ−ＲＳ伝送領域（ＰＴ−ＲＳシンボル）により、通信相手の受信装置は、チャネル推定を行ってもよい。また、ＤＭ−ＲＳ伝送領域（ＤＭ−ＲＳシンボル）により、通信相手の受信装置は、位相雑音の推定を行ってもよい。
【０４８８】
また、ＰＴ−ＲＳ伝送領域（ＰＴ−ＲＳシンボル）、ＤＭ−ＲＳ伝送領域（ＤＭ−ＲＳシンボル）により、他の歪みの推定を行ってもよい。例えば、キャリア間干渉の推定、シンボル間干渉の推定、周波数オフセットの推定、時間同期、周波数同期、信号検出を行ってもよい。
【０４８９】
また、変調信号を送信するアンテナ数は、本明細書の図面で示したアンテナ数に限ったものではない。アンテナ数が１つ以上あれば、各実施の形態は、同様に実施することが可能である。また、各アンテナは、複数のアンテナで構成されていてもよい。
【０４９０】
また、本明細書において、ＤＭ−ＲＳ、ＰＴ−ＲＳという語句を使用しているが、呼び方はこれに限ったものではない。例えば、リファレンス信号（ＲＳ：Reference Signal）、パイロット信号、パイロットシンボル、基準信号、チャネル推定シンボル、ユニークワードなどのように呼んでもよい。
【産業上の利用可能性】
【０４９１】
本開示は、基地局又は端末などの通信装置に有用である。
【符号の説明】
【０４９２】
１０４＿１〜１０４＿ｎ  ユーザ＃１変調信号生成部〜ユーザ＃ｎ変調信号生成部
１０７＿Ａ，１０７＿Ｂ  多重部（信号処理部）
１０９＿Ａ，１０９＿Ｂ，７０３Ｘ，７０３Ｙ，Ｂ１１９＿Ａ，Ｂ１１９＿Ｂ  無線部
１１１＿Ａ，１１１＿Ｂ，Ｂ１２１＿Ａ，Ｂ１２１＿Ｂ  アンテナ部＃Ａ，アンテナ部＃Ｂ
１１３  制御情報用マッピング部
２０３，Ｂ１０４  誤り訂正符号化部
２０５  マッピング部
２０７，３０６，Ｂ１０８  処理部
３０２  シリアルパラレル変換部
３０４  逆フーリエ変換部
７０１Ｘ，７０１Ｙ  アンテナ部＃Ｘ，アンテナ部＃Ｙ
７０５＿１，７０７＿１  変調信号ｕ１のチャネル推定部
７０５＿２，７０７＿２  変調信号ｕ２のチャネル推定部
７０９  制御情報復調部
７１１，７１３  位相雑音推定部
７１５  信号処理部
Ｂ１０６  変調信号生成部
Ｂ１１０＿Ａ，Ｂ１１０＿Ｂ  離散フーリエ変換部
Ｂ１１３＿Ａ，Ｂ１１３＿Ｂ  サブキャリアマッピング部
Ｂ１１５＿Ａ，Ｂ１１５＿Ｂ  逆（高速）フーリエ変換部
Ｂ１１７＿Ａ，Ｂ１１７＿Ｂ  サイクリックプレフィックス付加部
【図１】
2018163657.tif 000035
【図２】
2018163657.tif 000036
【図３】
2018163657.tif 000037
【図４】
2018163657.tif 000038
【図５Ａ】
2018163657.tif 000039
【図５Ｂ】
2018163657.tif 000040
【図６】
2018163657.tif 000041
【図７】
2018163657.tif 000042
【図８】
2018163657.tif 000043
【図９】
2018163657.tif 000044
【図１０】
2018163657.tif 000045
【図１１】
2018163657.tif 000046
【図１２】
2018163657.tif 000047
【図１３】
2018163657.tif 000048
【図１４】
2018163657.tif 000049
【図１５】
2018163657.tif 000050
【図１６】
2018163657.tif 000051
【図１７】
2018163657.tif 000052
【図１８】
2018163657.tif 000053
【図１９】
2018163657.tif 000054
【図２０】
2018163657.tif 000055
【図２１】
2018163657.tif 000056
【図２２】
2018163657.tif 000057
【図２３】
2018163657.tif 000058
【図２４】
2018163657.tif 000059
【図２５】
2018163657.tif 000060
【図２６】
2018163657.tif 000061
【図２７】
2018163657.tif 000062
【図２８】
2018163657.tif 000063
【図２９】
2018163657.tif 000064
【図３０】
2018163657.tif 000065
【図３１】
2018163657.tif 000066
【図３２】
2018163657.tif 000067
【図３３】
2018163657.tif 000068
【図３４】
2018163657.tif 000069
【図３５】
2018163657.tif 000070
【図３６】
2018163657.tif 000071
【図３７】
2018163657.tif 000072
【図３８】
2018163657.tif 000073
【図３９】
2018163657.tif 000074
【図４０】
2018163657.tif 000075
【国際調査報告】
2018163657.tif 000076
2018163657.tif 000077
2018163657.tif 000078
2018163657.tif 000079